(57)【要約】  無線通信システムにおける端末がチャネル状態情報（Ｃｈａｎｎｅｌ  Ｓｔａｔｅ  Ｉｎｆｏｒｍａｔｉｏｎ：ＣＳＩ）を報告する方法及び装置に関するものである。本発明によれば、端末は、基地局から前記ＣＳＩの報告と関連した構成情報を受信し、前記構成情報は、前記ＣＳＩの受信のための特定条件と関連したしきい値を含み、前記ＣＳＩは、第１パート及び第２パートで構成できる。端末は、チャネル測定のための第１参照信号を基地局から受信し、前記第１参照信号に基づいてチャネルを測定し、前記測定されたチャネルの前記ＣＳＩを基地局に報告し、前記ＣＳＩは、前記特定条件に基づいて前記第２パートの一部または全部が省略（ｏｍｉｓｓｉｏｎ）される、方法及び装置を提供することができる。【選択図】図１３
2020517158.tif 000002
【特許請求の範囲】
【請求項１】
無線通信システムにおける端末がチャネル状態情報（Ｃｈａｎｎｅｌ  Ｓｔａｔｅ  Ｉｎｆｏｒｍａｔｉｏｎ：ＣＳＩ）を報告する方法において、
基地局から前記ＣＳＩの報告と関連した構成情報を受信するステップであって、
前記構成情報は、前記ＣＳＩの受信のための特定条件と関連したしきい値を含み、
前記ＣＳＩは、第１パート及び第２パートで構成される、ステップと、
チャネル測定のための第１参照信号を受信するステップと、
前記第１参照信号に基づいてチャネルを測定するステップと、
前記測定されたチャネルの前記ＣＳＩを基地局に報告するステップと、を含み、
前記ＣＳＩは、前記特定条件に基づいて前記第２パートの一部または全部が省略（ｏｍｉｓｓｉｏｎ）される、方法。
【請求項２】
前記特定条件は、前記ＣＳＩの符号化率（Ｃｏｄｉｎｇ  ｒａｔｅ）のしきい値である、請求項１に記載の方法。
【請求項３】
前記しきい値が前記ＣＳＩの符号化率より小さな場合、前記第２パートは、一部または全部が省略される、請求項２に記載の方法。
【請求項４】
前記第２パートは、前記しきい値と前記ＣＳＩの符号化率が同一になるまで省略される、請求項３に記載の方法。
【請求項５】
前記第２パートは、複数のサブバンドで構成されており、前記複数のサブバンドの各々の優先順位に基づいて省略される、請求項３に記載の方法。
【請求項６】
前記複数のサブバンドは、優先順位が低い順序に従って省略される、請求項５に記載の方法。
【請求項７】
前記構成情報は、ダウンリンク制御情報（Ｄｏｗｎｌｉｎｋ  Ｃｏｎｔｒｏｌ  Ｉｎｆｏｒｍａｔｉｏｎ：ＤＣＩ）またはＲＲＣシグナリングを通じて転送される、請求項１に記載の方法。
【請求項８】
前記ＤＣＩは、前記第２パートを構成する複数のサブバンドのうち、省略されるサブバンドと関連したパターン情報、省略比率情報、または特定サブバンド情報のうち、少なくとも１つを含む、請求項７に記載の方法。
【請求項９】
前記パターン情報は、省略されるサブバンドのオフセット値及びパターンを示すＣｏｍｐ値を含む、請求項８に記載の方法。
【請求項１０】
前記第１パートは、ランク指示子（Ｒａｎｋ  ｉｎｄｉｃａｔｏｒ：ＲＩ）、チャネル品質指示子（ｃｈａｎｎｅｌ  ｑｕａｌｉｔｙ  ｉｎｄｉｃａｔｏｒ：ＣＱＩ）、及び０でない振幅を有するビームの個数を示す指示子を含み、
前記第２パートは、プリコーディング行列指示子（ｐｒｅｃｏｄｉｎｇ  ｍａｔｒｉｘ  ｉｎｄｉｃａｔｏｒ：ＰＭＩ）を含む、請求項１に記載の方法。
【請求項１１】
無線通信システムにおける基地局が端末からチャネル状態情報（Ｃｈａｎｎｅｌ  Ｓｔａｔｅ  Ｉｎｆｏｒｍａｔｉｏｎ：ＣＳＩ）を受信する方法において、
前記端末に前記ＣＳＩの報告と関連した構成情報を転送するステップであって、
前記構成情報は、前記ＣＳＩの受信のための特定条件と関連したしきい値を含み、
前記ＣＳＩは第１パート及び第２パートで構成される、ステップと、
前記端末にチャネル測定のための第１参照信号を転送するステップと、
前記端末から前記測定されたチャネルの前記ＣＳＩを受信するステップと、を含み、
前記ＣＳＩは、前記特定条件に基づいて前記第２パートの一部または全部が省略（ｏｍｉｓｓｉｏｎ）される、方法。
【請求項１２】
無線通信システムにおけるチャネル状態情報（Ｃｈａｎｎｅｌ  Ｓｔａｔｅ  Ｉｎｆｏｒｍａｔｉｏｎ：ＣＳＩ）を報告する端末において、
無線信号を送受信するためのＲＦ（Ｒａｄｉｏ  Ｆｒｅｑｕｅｎｃｙ）モジュールと、
前記ＲＦモジュールを制御するプロセッサと、を含み、
前記プロセッサは、
基地局から前記ＣＳＩの報告と関連した構成情報を受信し、
前記構成情報は、前記ＣＳＩの受信のための特定条件と関連したしきい値を含み、
前記ＣＳＩは、第１パート及び第２パートで構成され、
チャネル測定のための第１参照信号を受信し、
前記第１参照信号に基づいてチャネルを測定し、
前記測定されたチャネルの前記ＣＳＩを基地局に報告し、
前記ＣＳＩは、前記特定条件に基づいて前記第２パートの一部または全部が省略（ｏｍｉｓｓｉｏｎ）される、端末。
【発明の詳細な説明】
【技術分野】
【０００１】
本発明は無線通信システムに関し、より詳しくは、無線通信システムにおけるチャネル状態情報の送受信方法及びそのための装置に関する。
【背景技術】
【０００２】
移動通信システムは、ユーザの活動性を保証しながら音声サービスを提供するために開発された。しかしながら、移動通信システムは、音声だけでなくデータサービスまで領域を拡張し、現在では、爆発的なトラフィックの増加によってリソースの不足現象が引き起こされ、ユーザがより高速のサービスを要求するので、より発展した移動通信システムが要求されている。
【０００３】
次世代の移動通信システムの要求条件は大きく、爆発的なデータトラフィックの収容、ユーザ当たり転送率の画期的な増加、大幅増加した接続デバイス個数の収容、非常に低いエンドツーエンドの遅延（Ｅｎｄ−ｔｏ−Ｅｎｄ  Ｌａｔｅｎｃｙ）、高エネルギー効率を支援できなければならない。そのために、二重接続性（Ｄｕａｌ  Ｃｏｎｎｅｃｔｉｖｉｔｙ）、大規模複数入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多元接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）など、多様な技術が研究されている。
【発明の概要】
【発明が解決しようとする課題】
【０００４】
本発明は、無線通信システムにおけるＣＳＩ（Ｃｈａｎｎｅｌ  Ｓｔａｔｕｓ  Ｉｎｆｏｒｍａｔｉｏｎ）−ＲＳ（Ｒｅｆｅｒｅｎｃｅ  Ｓｉｇｎａｌ）を送受信するための方法及び装置を提供することをその目的とする。
【０００５】
また、本発明は無線通信システムにおけるコードブックの構成方式によってＣＳＩをフィードバック（ｆｅｅｄｂａｃｋ）する場合に、フィードバックコンテンツを構成する方式を提供することをその目的とする。
【０００６】
また、本発明は基地局によりＣＳＩ報告のための特定条件が設定された場合、これによって端末がＣＳＩを報告するための方法及び装置を提供することをその目的とする。
【０００７】
また、本発明は端末が基地局に報告するためのＣＳＩのサイズが基地局から割り当てられたサイズより大きい場合、ＣＳＩのサイズを調節するための方法及び装置を提供することをその目的とする。
【０００８】
また、本発明は基地局によりＣＳＩ報告のための特定の符号化率（Ｃｏｄｉｎｇ  Ｒａｔｅ）が設定された場合、端末がこれによってＣＳＩを報告するための方法及び装置を提供することをその目的とする。
【０００９】
また、本発明は端末により構成された基地局により設定された特定の符号化率（Ｃｏｄｉｎｇ  Ｒａｔｅ）を満たさない場合、ＣＳＩの全部または一部を省略（Ｏｍｉｓｓｉｏｎ）するための方法及び装置を提供することをその目的とする。
【００１０】
本明細書で達成しようとする技術的課題は、以上で言及した技術的課題に制限されず、言及しない更に他の技術的課題は以下の記載から本発明が属する技術分野で通常の知識を有する者に明確に理解できるはずである。
【課題を解決するための手段】
【００１１】
前述した技術的課題を解決するために、本発明の実施形態に従う無線通信システムにおける端末がチャネル状態情報（Ｃｈａｎｎｅｌ  Ｓｔａｔｅ  Ｉｎｆｏｒｍａｔｉｏｎ：ＣＳＩ）を報告する方法は、基地局から前記ＣＳＩの報告と関連した構成情報を受信するステップであって、前記構成情報は、前記ＣＳＩの受信のための特定条件と関連したしきい値を含み、前記ＣＳＩは第１パート及び第２パートで構成される、ステップと、チャネル測定のための第１参照信号を受信するステップと、前記第１参照信号に基づいてチャネルを測定するステップと、前記測定されたチャネルの前記ＣＳＩを基地局に報告するステップと、を含み、前記ＣＳＩは、前記特定条件に基づいて前記第２パートの一部または全部が省略（ｏｍｉｓｓｉｏｎ）される。
【００１２】
また、本発明で、前記特定条件は、前記ＣＳＩの符号化率（Ｃｏｄｉｎｇ  Ｒａｔｅ）のしきい値である。
【００１３】
また、本発明で、前記しきい値が前記ＣＳＩの符号化率より小さい場合、前記第２パートは、一部または全部が省略される。
【００１４】
また、本発明で、前記第２パートは、前記しきい値と前記ＣＳＩの符号化率が同一になるまで省略される。
【００１５】
また、本発明で、前記第２パートは複数のサブバンドで構成されており、前記複数のサブバンドの各々の優先順位に基づいて省略される。
【００１６】
また、本発明で、前記複数のサブバンドは優先順位の低い順序に従って省略される。
【００１７】
また、本発明で、前記構成情報は、ダウンリンク制御情報（Ｄｏｗｎｌｉｎｋ  Ｃｏｎｔｒｏｌ  Ｉｎｆｏｒｍａｔｉｏｎ：ＤＣＩ）またはＲＲＣシグナリングを通じて転送される。
【００１８】
また、本発明で、前記ＤＣＩは、前記第２パートを構成する複数のサブバンドのうち、省略されるサブバンドと関連したパターン情報、省略比率情報、または特定サブバンド情報のうち、少なくとも１つを含む。
【００１９】
また、本発明で、前記パターン情報は、省略されるサブバンドのオフセット値及びパターンを示すＣｏｍｐ値を含む。
【００２０】
また、本発明で、前記第１パートは、ランク指示子（Ｒａｎｋ  Ｉｎｄｉｃａｔｏｒ：ＲＩ）、チャネル品質指示子（ｃｈａｎｎｅｌ  ｑｕａｌｉｔｙ  ｉｎｄｉｃａｔｏｒ：ＣＱＩ）、及び０でない振幅を有するビームの個数を示す指示子を含み、前記第２パートは、プリコーディング行列指示子（ｐｒｅｃｏｄｉｎｇ  ｍａｔｒｉｘ  ｉｎｄｉｃａｔｏｒ：ＰＭＩ）を含む。
【００２１】
また、本発明は、前記端末に前記ＣＳＩの報告と関連した構成情報を転送するステップであって、前記構成情報は前記ＣＳＩの受信のための特定条件と関連したしきい値を含み、前記ＣＳＩは第１パート及び第２パートで構成される、ステップと、前記端末にチャネル測定のための第１参照信号を転送するステップと、前記端末から前記測定されたチャネルの前記ＣＳＩを受信するステップとを含み、前記ＣＳＩは、前記特定条件に基づいて前記第２パートの一部または全部が省略（ｏｍｉｓｓｉｏｎ）される方法を提供する。
【００２２】
また、本発明は、無線信号を送受信するためのＲＦ（Ｒａｄｉｏ  Ｆｒｅｑｕｅｎｃｙ）モジュールと、前記ＲＦモジュールを制御するプロセッサと、を含み、前記プロセッサは、基地局から前記ＣＳＩの報告と関連した構成情報を受信し、前記構成情報は、前記ＣＳＩの受信のための特定条件と関連したしきい値を含み、前記ＣＳＩは、第１パート及び第２パートで構成され、チャネル測定のための第１参照信号を受信し、前記第１参照信号に基づいてチャネルを測定し、前記測定されたチャネルの前記ＣＳＩを基地局に報告し、前記ＣＳＩは、前記特定条件に基づいて前記第２パートの一部または全部が省略（ｏｍｉｓｓｉｏｎ）される端末を提供する。
【発明の効果】
【００２３】
本発明の一実施形態によれば、ＣＳＩの構成方式によってＣＳＩのペイロードサイズが決定できるので、ＣＳＩのペイロードサイズを最適化することができる。
【００２４】
また、本発明の一実施形態によれば、端末により構成されたＣＳＩの一部または全部を省略することによって、基地局により割り当てられたＣＳＩのためのペイロードのサイズまたは符号化率を満たすことができる。
【００２５】
また、本発明の一実施形態によれば、端末はＣＳＩの省略有無と関連した情報をＣＳＩに含めて基地局に転送することによって、ＣＳＩの省略及び省略された部分を基地局に知らせることができる。
【００２６】
また、本発明の一実施形態によれば、ＣＳＩ省略及び／又は省略されたＣＳＩの部分を基地局に知らせることによって、基地局は省略された部分を考慮して動作を遂行することができる。
【００２７】
本明細書で得られる効果は以上で言及した効果に制限されず、言及しない更に他の効果は以下の記載から本発明が属する技術分野で通常の知識を有する者に明確に理解できるはずである。
【図面の簡単な説明】
【００２８】
本発明に関する理解を助けるために詳細な説明の一部として含まれる添付図面は、本発明に対する実施形態を提供し、詳細な説明と共に本発明の技術的特徴を説明する。
【００２９】
【図１】本明細書で提案する方法が適用できるＮＲの全体的なシステム構造の一例を示した図である。
【図２】本明細書で提案する方法が適用できる無線通信システムにおけるアップリンクフレームとダウンリンクフレームとの間の関係を示す。
【図３】本明細書で提案する方法が適用できる無線通信システムで支援するリソースグリッド（ｒｅｓｏｕｒｃｅ  ｇｒｉｄ）の一例を示す。
【図４】本明細書で提案する方法が適用されることができる無線通信システムにおける自己完備（Ｓｅｌｆ−ｃｏｎｔａｉｎｅｄ）サブフレーム構造を例示する図である。
【図５】本明細書で提案する方法が適用されることができる無線通信システムにおけるトランシーバユニットモデルを例示する。
【図６】本明細書で提案する方法が適用されることができる無線通信システムにおけるＴＸＲＵ及び物理的アンテナの観点でハイブリッドビームフォーミング構造を図式化した図である。
【図７】本明細書で提案する方法が適用されることができるビームスウィーピング（ｂｅａｍ  ｓｗｅｅｐｉｎｇ）動作の一例を示す図である。
【図８】本明細書で提案する方法が適用されることができるアンテナ配列（Ａｎｔｅｎｎａ  ａｒｒａｙ）の一例を示す図である。
【図９】本明細書で提案する方法が適用されることができるＣＳＩ関連手順の一例を示すフローチャートである。
【図１０】ＰＵＳＣＨ基盤のＣＳＩ  ｒｅｐｏｒｔｉｎｇの情報ペイロード（ｐａｙｌｏａｄ）の一例を示す。
【図１１】ｓｈｏｒｔ  ＰＵＣＣＨ基盤のＣＳＩ  ｒｅｐｏｒｔｉｎｇの情報ｐａｙｌｏａｄに対する一例を示す。
【図１２】ｌｏｎｇ  ＰＵＣＣＨ基盤のＣＳＩ  ｒｅｐｏｒｔｉｎｇの情報ｐａｙｌｏａｄに対する一例を示す。
【図１３】本明細書で提案する端末が基地局にＣＳＩを報告するための方法の一例を示すフローチャートである。
【図１４】本明細書で提案する基地局が端末からＣＳＩを受信する方法の一例を示すフローチャートである。
【図１５】本明細書で提案する特定のパターンによってＣＳＩを省略するための方法の一例を示す図である。
【図１６】本明細書で提案する特定比率によってＣＳＩを省略するための方法の一例を示す図である。
【図１７】本明細書で提案する特定比率によってＣＳＩを省略するための方法の一例を示す図である。
【図１８】本明細書で提案する特定比率によってＣＳＩを省略するための方法の一例を示す図である。
【図１９】本明細書で提案する特定比率によってＣＳＩを省略するための方法の一例を示す図である。
【図２０】本明細書で提案する特定比率によってＣＳＩを省略するための方法の一例を示す図である。
【図２１】本明細書で提案する優先順位によってＣＳＩを省略するための方法の一例を示す図である。
【図２２】本明細書で提案する優先順位によってＣＳＩを省略するための方法の一例を示す図である。
【図２３】本明細書で提案する方法が適用できる無線通信装置のブロック構成図を例示する。
【図２４】本発明の一実施形態に従う通信装置のブロック構成図を例示する。
【図２５】本明細書で提案する方法が適用できる無線通信装置のＲＦモジュールの一例を示した図である。
【図２６】本明細書で提案する方法が適用できる無線通信装置のＲＦモジュールの更に他の一例を示した図である。
【発明を実施するための形態】
【００３０】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は本発明がこのような具体的な細部事項無しでも実施できることが分かる。
【００３１】
幾つかの場合、本発明の概念が曖昧になることを避けるために公知の構造及び装置は省略されるか、または各構造及び装置の核心機能を中心としたブロック図形式に図示できる。
【００３２】
本明細書で、基地局は端末と直接的に通信を遂行するネットワークの終端ノード（ｔｅｒｍｉｎａｌ  ｎｏｄｅ）としての意味を有する。本文書で、基地局により遂行されるものとして説明された特定の動作は、場合によっては、基地局の上位ノード（ｕｐｐｅｒ  ｎｏｄｅ）により遂行されることもできる。即ち、基地局を含む多数のネットワークノード（ｎｅｔｗｏｒｋ  ｎｏｄｅｓ）からなるネットワークで、端末との通信のために遂行される多様な動作は基地局または基地局以外の他のネットワークノードにより遂行できることは自明である。‘基地局（ＢＳ：Ｂａｓｅ  Ｓｔａｔｉｏｎ）’は、固定局（ｆｉｘｅｄ  ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）、ｇＮＢ（ｇｅｎｅｒａｌ  ＮＢ）などの用語により置き換えられる。また、‘端末（Ｔｅｒｍｉｎａｌ）’は固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に置き換えられる。
【００３３】
以下、ダウンリンク（ＤＬ：ｄｏｗｎｌｉｎｋ）は基地局から端末への通信を意味し、アップリンク（ＵＬ：ｕｐｌｉｎｋ）は端末から基地局への通信を意味する。ダウンリンクで、送信機は基地局の一部であり、受信機は端末の一部でありうる。アップリンクで、送信機は端末の一部であり、受信機は基地局の一部でありうる。
【００３４】
以下の説明で使われる特定の用語は本発明の理解を助けるために提供されたものであり、このような特定の用語の使用は本発明の技術的思想を逸脱しない範囲で異なる形態に変更できる。
【００３５】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌｍｕｌｔｉｐｌｅａｃｃｅｓｓ）などの多様な無線接続システムに利用できる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現化できる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現化できる。ＯＦＤＭＡは、ＩＥＥＥ  ８０２．１１（ＷｉＦｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などの無線技術で具現化できる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であって、ダウンリンクでＯＦＤＭＡを採用し、アップリンクでＳＣ−ＦＤＭＡを採用する。ＬＴＥ−Ａ（ａｄｖａｎｃｅｄ）は３ＧＰＰ  ＬＴＥの進化である。
【００３６】
本発明の実施形態は無線接続システムであるＩＥＥＥ  ８０２、３ＧＰＰ、及び３ＧＰＰ２のうち、少なくとも１つに開示された標準文書により裏付けられる。即ち、本発明の実施形態のうち、本発明の技術的思想を明確に示すために説明しないステップまたは部分は前記文書により裏付けられる。また、本文書で開示している全ての用語は前記標準文書により説明できる。
【００３７】
説明を明確にするために、３ＧＰＰ  ＬＴＥ／ＬＴＥ、ＮＲ（Ｎｅｗ  ＲＡＴ）を中心として技術するが、本発明の技術的特徴がこれに制限されるものではない。
【００３８】
用語の定義
【００３９】
ｅＬＴＥ  ｅＮＢ：ｅＬＴＥ  ｅＮＢは、ＥＰＣ（Ｅｖｏｌｖｅｄ  Ｐａｃｋｅｔ  Ｃｏｒｅ）及びＮＧＣ（Ｎｅｘｔ  Ｇｅｎｅｒａｔｉｏｎ  Ｃｏｒｅ）に対する接続を支援するｅＮＢの進化（ｅｖｏｌｕｔｉｏｎ）である。
【００４０】
ｇＮＢ：ＮＧＣとの接続だけでなく、ＮＲを支援するノード。
【００４１】
新たなＲＡＮ：ＮＲまたはＥ−ＵＴＲＡを支援するか、またはＮＧＣと相互作用する無線アクセスネットワーク。
【００４２】
ネットワークスライス（ｎｅｔｗｏｒｋ  ｓｌｉｃｅ）：ネットワークスライスは、終端間の範囲と共に特定要求事項を要求する特定市場シナリオに対して最適化されたソリューションを提供するようにｏｐｅｒａｔｏｒにより定義されたネットワーク。
【００４３】
ネットワーク機能（ｎｅｔｗｏｒｋ  ｆｕｎｃｔｉｏｎ）：ネットワーク機能は、よく定義された外部インターフェースとよく定義された機能的動作を有するネットワークインフラ内での論理的ノード。
【００４４】
ＮＧ−Ｃ：新たなＲＡＮとＮＧＣとの間のＮＧ２レファレンスポイント（ｒｅｆｅｒｅｎｃｅ  ｐｏｉｎｔ）に使われる制御プレーンインターフェース。
【００４５】
ＮＧ−Ｕ：新たなＲＡＮとＮＧＣとの間のＮＧ３レファレンスポイント（ｒｅｆｅｒｅｎｃｅ  ｐｏｉｎｔ）に使われるユーザプレーンインターフェース。
【００４６】
非独立型（Ｎｏｎ−ｓｔａｎｄａｌｏｎｅ）ＮＲ：ｇＮＢがＬＴＥ  ｅＮＢをＥＰＣに制御プレーン接続のためのアンカーとして要求するか、またはｅＬＴＥ  ｅＮＢをＮＧＣに制御プレーン接続のためのアンカーとして要求する配置構成。
【００４７】
非独立型Ｅ−ＵＴＲＡ：ｅＬＴＥ  ｅＮＢがＮＧＣに制御プレーン接続のためのアンカーとしてｇＮＢを要求する配置構成。
【００４８】
ユーザプレーンゲートウェイ：ＮＧ−Ｕインターフェースの終端点。
【００４９】
システム一般
【００５０】
図１は、本明細書で提案する方法が適用できるＮＲの全体的なシステム構造の一例を示した図である。
【００５１】
図１を参照すると、ＮＧ−ＲＡＮはＮＧ−ＲＡユーザプレーン（新たなＡＳ  ｓｕｂｌａｙｅｒ／ＰＤＣＰ／ＲＬＣ／ＭＡＣ／ＰＨＹ）及びＵＥ（Ｕｓｅｒ  Ｅｑｕｉｐｍｅｎｔ）に対する制御プレーン（ＲＲＣ）プロトコル終端を提供するｇＮＢで構成される。
【００５２】
前記ｇＮＢは、Ｘｎインターフェースを通じて相互接続される。
【００５３】
また、前記ｇＮＢは、ＮＧインターフェースを通じてＮＧＣに接続される。
【００５４】
より具体的には、前記ｇＮＢはＮ２インターフェースを通じてＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）に、Ｎ３インターフェースを通じてＵＰＦ（Ｕｓｅｒ  Ｐｌａｎｅ  Ｆｕｎｃｔｉｏｎ）に接続される。
【００５５】
ＮＲヌメロロジー（Ｎｕｍｅｒｏｌｏｇｙ）及びフレーム（ｆｒａｍｅ）構造
【００５６】
ＮＲシステムでは、多数のヌメロロジー（ｎｕｍｅｒｏｌｏｇｙ）が支援できる。ここで、ヌメロロジーはサブキャリア間隔（ｓｕｂｃａｒｒｉｅｒ  ｓｐａｃｉｎｇ）とＣＰ（Ｃｙｃｌｉｃ  Ｐｒｅｆｉｘ）オーバーヘッドにより定義できる。この際、多数のサブキャリア間隔は基本サブキャリア間隔を整数Ｎ（または、μ）にスケーリング（ｓｃａｌｉｎｇ）することにより誘導できる。また、非常に高い搬送波周波数で非常に低いサブキャリア間隔を利用しないと仮定されても、用いられるヌメロロジーは周波数帯域と独立して選択できる。
【００５７】
また、ＮＲシステムでは多数のヌメロロジーに従う多様なフレーム構造が支援できる。
【００５８】
以下、ＮＲシステムで考慮できるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）ヌメロロジー及びフレーム構造を説明する。
【００５９】
ＮＲシステムで支援される多数のＯＦＤＭヌメロロジーは、表１のように定義できる。
【００６０】
【表１】
2020517158.tif 000003
【００６１】
ＮＲシステムにおけるフレーム構造（ｆｒａｍｅｓｔｒｕｃｔｕｒｅ）と関連して、時間領域の多様なフィールドのサイズは
2020517158.tif 000004
の時間単位の倍数として表現される。ここで、
2020517158.tif 000005
であり、
2020517158.tif 000006
である。ダウンリンク（downlink）及びアップリンク（uplink）転送は
2020517158.tif 000007
の区間を有する無線フレーム（radio frame）で構成される。ここで、無線フレームは各々
2020517158.tif 000008
の区間を有する１０個のサブフレーム（subframe）で構成される。この場合、アップリンクに対する１セットのフレーム及びダウンリンクに対する１セットのフレームが存在することができる。
【００６２】
図２は、本明細書で提案する方法が適用できる無線通信システムにおけるアップリンクフレームとダウンリンクフレームとの間の関係を示す。
【００６３】
図２に示すように、端末（Ｕｓｅｒ  Ｅｑｕｉｐｍｅｎｔ、ＵＥ）からのアップリンクフレーム番号ｉの転送は、該当端末での該当ダウンリンクフレームの開始より
2020517158.tif 000009
以前に始めなければならない。
【００６４】
ヌメロロジーμに対して、スロット（ｓｌｏｔ）はサブフレーム内で
2020517158.tif 000010
の増加する順に番号が付けられて、無線フレーム内で
2020517158.tif 000011
の増加する順に番号が付けられる。１つのスロットは
2020517158.tif 000012
の連続するＯＦＤＭシンボルで構成され、
2020517158.tif 000013
は用いられるヌメロロジー及びスロット設定（ｓｌｏｔ  ｃｏｎｆｉｇｕｒａｔｉｏｎ）によって決定される。サブフレームでスロット
2020517158.tif 000014
の開始は同一サブフレームでＯＦＤＭシンボル
2020517158.tif 000015
の開始と時間的に整列される。
【００６５】
全ての端末が同時に送信及び受信できるものではなく、これはダウンリンクスロット（ｄｏｗｎｌｉｎｋ  ｓｌｏｔ）またはアップリンクスロット（ｕｐｌｉｎｋ  ｓｌｏｔ）の全てのＯＦＤＭシンボルが利用できないことを意味する。
【００６６】
表２はヌメロロジーμでの一般（ｎｏｒｍａｌ）ＣＰに対するスロット当たりＯＦＤＭシンボルの数を示し、表３はヌメロロジーμでの拡張（ｅｘｔｅｎｄｅｄ）ＣＰに対するスロット当たりＯＦＤＭシンボルの数を示す。
【００６７】
【表２】
2020517158.tif 000016
【００６８】
【表３】
2020517158.tif 000017
【００６９】
ＮＲ物理リソース（NR Physical Resource）
【００７０】
ＮＲシステムにおける物理リソース（ｐｈｙｓｉｃａｌ  ｒｅｓｏｕｒｃｅ）と関連して、アンテナポート（ａｎｔｅｎｎａ  ｐｏｒｔ）、リソースグリッド（ｒｅｓｏｕｒｃｅ  ｇｒｉｄ）、リソース要素（ｒｅｓｏｕｒｃｅ  ｅｌｅｍｅｎｔ）、リソースブロック（ｒｅｓｏｕｒｃｅ  ｂｌｏｃｋ）、キャリアパート（ｃａｒｒｉｅｒ  ｐａｒｔ）などが考慮できる。
【００７１】
以下、ＮＲシステムで考慮できる前記物理リソースに対して具体的に説明する。
【００７２】
まず、アンテナポートと関連して、アンテナポートはアンテナポート上のシンボルが運搬されるチャネルが同一なアンテナポート上の他のシンボルが運搬されるチャネルから推論できるように定義される。１つのアンテナポート上のシンボルが運搬されるチャネルの広範囲特性（ｌａｒｇｅ−ｓｃａｌｅ  ｐｒｏｐｅｒｔｙ）が他のアンテナポート上のシンボルが運搬されるチャネルから類推できる場合、２つのアンテナポートはＱＣ／ＱＣＬ（ｑｕａｓｉｃｏ−ｌｏｃａｔｅｄまたはｑｕａｓｉ  ｃｏ−ｌｏｃａｔｉｏｎ）関係にいるということができる。ここで、前記広範囲特性は遅延拡散（Ｄｅｌａｙ  ｓｐｒｅａｄ）、ドップラー拡散（Ｄｏｐｐｌｅｒ  ｓｐｒｅａｄ）、周波数シフト（Ｆｒｅｑｕｅｎｃｙ  ｓｈｉｆｔ）、平均受信パワー（Ａｖｅｒａｇｅ  ｒｅｃｅｉｖｅｄ  ｐｏｗｅｒ）、受信タイミング（Ｒｅｃｅｉｖｅｄ  Ｔｉｍｉｎｇ）のうち、１つ以上を含む。
【００７３】
図３は、本明細書で提案する方法が適用できる無線通信システムで支援するリソースグリッド（ｒｅｓｏｕｒｃｅ  ｇｒｉｄ）の一例を示す。
【００７４】
図３を参照すると、リソースグリッドが周波数領域上に
2020517158.tif 000018
サブキャリアで構成され、１つのサブフレームが１４・２μＯＦＤＭシンボルで構成されることを例示的に記述するが、これに限定されるものではない。
【００７５】
ＮＲシステムにおいて、転送される信号（ｔｒａｎｓｍｉｔｔｅｄ  ｓｉｇｎａｌ）は
2020517158.tif 000019
サブキャリアで構成される１つまたはその以上のリソースグリッド及び
2020517158.tif 000020
のＯＦＤＭシンボルにより説明される。ここで、
2020517158.tif 000021
である。前記
2020517158.tif 000022
は最大転送帯域幅を示し、これは、ヌメロロジーだけでなく、アップリンクとダウンリンクとの間にも変わることができる。
【００７６】
この場合、図３のように、ヌメロロジーμ及びアンテナポートｐ別に１つのリソースグリッドが設定できる。
【００７７】
ヌメロロジーμ及びアンテナポートｐに対するリソースグリッドの各要素はリソース要素（ｒｅｓｏｕｒｃｅ  ｅｌｅｍｅｎｔ）と称され、インデックス対
2020517158.tif 000023
により固有的に識別される。ここで、
2020517158.tif 000024
は周波数領域上のインデックスであり、
2020517158.tif 000025
はサブフレーム内でシンボルの位置を示す。スロットでリソース要素を示す時には、インデックス対
2020517158.tif 000026
が用いられる。ここで、
2020517158.tif 000027
である。
【００７８】
ヌメロロジーμ及びアンテナポートｐに対するリソース要素
2020517158.tif 000028
は複素値（ｃｏｍｐｌｅｘ  ｖａｌｕｅ）
2020517158.tif 000029
に該当する。混同（ｃｏｎｆｕｓｉｏｎ）する危険がない場合、または特定アンテナポートまたはヌメロロジーが特定されない場合には、インデックスｐ及びμはドロップ（ｄｒｏｐ）されることができ、その結果、複素値は
2020517158.tif 000030
または
2020517158.tif 000031
になることができる。
【００７９】
また、物理リソースブロック（ｐｈｙｓｉｃａｌ  ｒｅｓｏｕｒｃｅ  ｂｌｏｃｋ）は周波数領域上の
2020517158.tif 000032
個連続したサブキャリアとして定義される。周波数領域上で、物理リソースブロックは０から
2020517158.tif 000033
まで番号が付けられる。この際、周波数領域上の物理リソースブロック番号（ｐｈｙｓｉｃａｌ  ｒｅｓｏｕｒｃｅ  ｂｌｏｃｋ  ｎｕｍｂｅｒ）
2020517158.tif 000034
とリソース要素
2020517158.tif 000035
との間の関係は、数式１のように与えられる。
【００８０】
【数１】
2020517158.tif 000036
【００８１】
また、キャリアパート（ｃａｒｒｉｅｒ  ｐａｒｔ）と関連して、端末はリソースグリッドのサブセット（ｓｕｂｓｅｔ）のみを用いて受信または転送するように設定できる。この際、端末が受信または転送するように設定されたリソースブロックの集合（ｓｅｔ）は周波数領域上で０から
2020517158.tif 000037
まで番号が付けられる。
【００８２】
自己完備（Ｓｅｌｆ−ｃｏｎｔａｉｎｅｄ）サブフレーム構造
【００８３】
図４は、本発明が適用されることができる無線通信システムにおける自己完備（Ｓｅｌｆ−ｃｏｎｔａｉｎｅｄ）サブフレーム構造を例示する図である。
【００８４】
ＴＤＤシステムにおいてデータ転送レイテンシ（ｌａｔｅｎｃｙ）を最小化するために、第５世代（５Ｇ：５ｇｅｎｅｒａｔｉｏｎ）  ｎｅｗ  ＲＡＴでは、図４のような自己完備（ｓｅｌｆ−ｃｏｎｔａｉｎｅｄ）サブフレーム構造を考慮している。
【００８５】
図４において斜線領域（シンボルインデックス０）は、ダウンリンク（ＤＬ）制御領域を示し、黒色部分（シンボルインデックス１３）は、アップリンク（ＵＬ）制御領域を示す。陰影表示のない領域は、ＤＬデータ転送のために使用されることもでき、またはＵＬデータ転送のために使用されることもできる。このような構造の特徴は、一個のサブフレーム内でＤＬ転送とＵＬ転送が順次に行われて、サブフレーム内でＤＬデータが転送され、ＵＬ  ＡＣＫ／ＮＡＣＫも受信されることができる。結果的に、データ転送エラー発生時にデータ再転送までかかる時間を減らすようになり、これによって最終データ伝達のｌａｔｅｎｃｙを最小化できる。
【００８６】
このようなｓｅｌｆ−ｃｏｎｔａｉｎｅｄサブフレーム構造において基地局とＵＥが送信モードから受信モードに転換する過程または受信モードから送信モードに転換する過程のための時間ギャップ（ｔｉｍｅ  ｇａｐ）が必要である。このためにｓｅｌｆ−ｃｏｎｔａｉｎｅｄサブフレーム構造においてＤＬからＵＬに転換される時点の一部のＯＦＤＭシンボルがガード区間（ＧＰ：Ｇｕａｒｄ  Ｐｅｒｉｏｄ）として設定されるようになる。
【００８７】
アナログビームフォーミング（Ａｎａｌｏｇ  ｂｅａｍｆｏｒｍｉｎｇ）
【００８８】
ミリメートル波（Ｍｉｌｌｉｍｅｔｅｒ  Ｗａｖｅ、ｍｍＷ）では、波長が短くなって同一面積に多数個のアンテナ要素（ａｎｔｅｎｎａ  ｅｌｅｍｅｎｔ）の設置が可能である。すなわち、３０ＧＨｚ帯域における波長は１ｃｍで、４Ｘ４（４  ｂｙ  ４）ｃｍのパネル（ｐａｎｅｌ）に０．５ラムダ（ｌａｍｂｄａ）（すなわち、波長）間隔で２次元配列形態で全６４（８ｘ８）のａｎｔｅｎｎａ  ｅｌｅｍｅｎｔ設置が可能である。したがって、ｍｍＷでは、多数個のａｎｔｅｎｎａ  ｅｌｅｍｅｎｔを使用してビームフォーミング（ＢＦ：ｂｅａｍｆｏｒｍｉｎｇ）利得を高めて、カバレッジを増加させるか、またはスループット（ｔｈｒｏｕｇｈｐｕｔ）を高めようとする。
【００８９】
この場合に、ａｎｔｅｎｎａ  ｅｌｅｍｅｎｔ別に転送パワー及び位相調節が可能なようにトランシーバユニット（ＴＸＲＵ：Ｔｒａｎｓｃｅｉｖｅｒ  ｕｎｉｔ）を有すると、周波数リソース別に独立したビームフォーミングが可能である。しかしながら、１００個余りのａｎｔｅｎｎａ  ｅｌｅｍｅｎｔ全部にＴＸＲＵを設置するには、価格の側面で実効性が落ちるという問題を有するようになる。したがって、一つのＴＸＲＵに多数個のａｎｔｅｎｎａ  ｅｌｅｍｅｎｔをマッピングし、アナログ位相シフター（ａｎａｌｏｇ  ｐｈａｓｅ  ｓｈｉｆｔｅｒ）でビーム（ｂｅａｍ）の方向を調節する方式が考慮されている。このようなａｎａｌｏｇ  ＢＦ方式は、全帯域において一つのｂｅａｍ方向だけを作ることができるから、周波数選択的ＢＦができないという短所がある。
【００９０】
デジタル（Ｄｉｇｉｔａｌ）ＢＦとａｎａｌｏｇ  ＢＦの中間形態にＱ個のａｎｔｅｎｎａ  ｅｌｅｍｅｎｔより少ない個数であるＢ個のＴＸＲＵを有するハイブリッドビームフォーミング（ｈｙｂｒｉｄ  ＢＦ）を考慮することができる。この場合に、Ｂ個のＴＸＲＵとＱ個のａｎｔｅｎｎａ  ｅｌｅｍｅｎｔの接続方式によって差はあるが、同時に転送できるｂｅａｍの方向は、Ｂ個以下に制限されるようになる。
【００９１】
以下、図を参照して、ＴＸＲＵとａｎｔｅｎｎａ  ｅｌｅｍｅｎｔとの接続方式の代表的な一例を説明する。
【００９２】
図５は、本発明が適用されることができる無線通信システムにおけるトランシーバユニットモデルを例示する。
【００９３】
ＴＸＲＵ仮想化（ｖｉｒｔｕａｌｉｚａｔｉｏｎ）モデルは、ＴＸＲＵの出力信号とａｎｔｅｎｎａ  ｅｌｅｍｅｎｔｓの出力信号の関係を示す。ａｎｔｅｎｎａ  ｅｌｅｍｅｎｔとＴＸＲＵとの相関関係に応じて、図５（ａ）のようにＴＸＲＵ仮想化（ｖｉｒｔｕａｌｉｚａｔｉｏｎ）モデルオプション−１：サブ配列分割モデル（ｓｕｂ−ａｒｒａｙ  ｐａｒｔｉｔｉｏｎ  ｍｏｄｅｌ）と図５（ｂ）のようにＴＸＲＵ仮想化モデルオプション−２：全域接続（ｆｕｌｌ−ｃｏｎｎｅｃｔｉｏｎ）モデルに区分されることができる。
【００９４】
図５（ａ）を参照すると、サブ配列分割モデル（ｓｕｂ−ａｒｒａｙ  ｐａｒｔｉｔｉｏｎ  ｍｏｄｅｌ）の場合、ａｎｔｅｎｎａ  ｅｌｅｍｅｎｔは、複数のアンテナ要素グループに分割され、各ＴＸＲＵは、グループのうち、一つに接続される。この場合に、ａｎｔｅｎｎａ  ｅｌｅｍｅｎｔは、一つのＴＸＲＵのみに接続される。
【００９５】
図５（ｂ）を参照すると、全域接続（ｆｕｌｌ−ｃｏｎｎｅｃｔｉｏｎ）モデルの場合、複数のＴＸＲＵの信号が結合されて、単一のアンテナ要素（またはアンテナ要素の配列）に伝達される。すなわち、ＴＸＲＵがすべてのアンテナｅｌｅｍｅｎｔに接続した方式を示す。この場合に、アンテナｅｌｅｍｅｎｔは、すべてのＴＸＲＵに接続される。
【００９６】
図５においてｑは一つの列（ｃｏｌｕｍｎ）内のＭ個の同じ偏波（ｃｏ−ｐｏｌａｒｉｚｅｄ）を有するアンテナ要素の転送信号ベクトルである。ｗは、広帯域ＴＸＲＵ仮想化重みベクトル（ｗｉｄｅｂａｎｄ  ＴＸＲＵ  ｖｉｒｔｕａｌｉｚａｔｉｏｎ  Ｗｅｉｇｈｔ  ｖｅｃｔｏｒ）であり、Ｗは、アナログ位相シフター（ａｎａｌｏｇ  ｐｈａｓｅ  ｓｈｉｆｔｅｒ）により乗算される位相ベクトルを示す。すなわちＷによりａｎａｌｏｇ  ｂｅａｍｆｏｒｍｉｎｇの方向が決定される。ｘは、Ｍ＿ＴＸＲＵ個のＴＸＲＵの信号ベクトルである。
【００９７】
ここで、アンテナポートとＴＸＲＵとのマッピングは、一対一（１−ｔｏ−１）または一対多（１−ｔｏ−ｍａｎｙ）でありうる。
【００９８】
図５においてＴＸＲＵとアンテナ要素との間のマッピング（ＴＸＲＵ−ｔｏ−ｅｌｅｍｅｎｔ  ｍａｐｐｉｎｇ）は、一つの例示に過ぎず、本発明がこれに限定されるものではなく、ハードウェアの観点でその他に多様な形態で具現化されることができるＴＸＲＵとアンテナ要素との間のマッピングにも、本発明が同様に適用されることができる。
【００９９】
また、Ｎｅｗ  ＲＡＴシステムでは、多数のアンテナが使用される場合、デジタルビームフォーミングとアナログビームフォーミングを結合したハイブリッドビームフォーミング技法が台頭されている。このとき、アナログビームフォーミング（または、ＲＦ（ｒａｄｉｏ  Ｆｒｅｑｕｅｎｃｙ）ビームフォーミング）は、ＲＦ端でプリコーディング（またはコンバイニング）を行う動作を意味する。ハイブリッドビームフォーミングにおいてベースバンド（Ｂａｓｅｂａｎｄ）端とＲＦ端とは、各々プリコーディング（またはコンバイニング）を行い、これによってＲＦチェーン数とＤ（ｄｉｇｉｔａｌ）／Ａ（ａｎａｌｏｇ）（または、Ａ／Ｄ）コンバーター数を減らしながらもデジタルビームフォーミングに近接した性能を出すことができるという長所がある。便宜上、ハイブリッドビームフォーミング構造は、Ｎ個のトランシーバユニット（ＴＸＲＵ）とＭ個の物理的アンテナで表現されることができる。すると、送信端から転送するＬ個のデータレイヤーに対するデジタルビームフォーミングは、Ｎ  ｂｙ  Ｌ行列で表現されることができ、以後変換されたＮ個のデジタル信号は、ＴＸＲＵを経てアナログ信号に変換された後、Ｍ  ｂｙ  Ｎ行列で表現されるアナログビームフォーミングが適用される。
【０１００】
図６は、本発明が適用されることができる無線通信システムにおけるＴＸＲＵ及び物理的アンテナの観点でハイブリッドビームフォーミング構造を図式化した図である。
【０１０１】
図６においてデジタルビームの個数は、Ｌ個であり、アナログビームの個数は、Ｎ個である場合を例示する。
【０１０２】
Ｎｅｗ  ＲＡＴシステムでは、基地局がアナログビームフォーミングをシンボル単位に変更できるように設計して、特定地域に位置した端末により効率的なビームフォーミングを支援する方向が考慮されている。なお、図６において特定のＮ個のＴＸＲＵとＭ個のＲＦアンテナを一つのアンテナパネル（ｐａｎｅｌ）として定義する時、Ｎｅｗ  ＲＡＴシステムでは、互いに独立したハイブリッドビームフォーミングの適用が可能な複数のアンテナパネルを導入する案まで考慮されている。
【０１０３】
チャネル状態情報（ＣＳＩ：Ｃｈａｎｎｅｌ  Ｓｔａｔｅ  Ｉｎｆｏｒｍａｔｉｏｎ）フィードバック
【０１０４】
３ＧＰＰ  ＬＴＥ／ＬＴＥ−Ａシステムでは、ユーザ機器（ＵＥ）がチャネル状態情報（ＣＳＩ）を基地局（ＢＳまたはｅＮＢ）に報告するよう定義された。
【０１０５】
ＣＳＩは、ＵＥとアンテナポートとの間に形成される無線チャネル（あるいはリンクともいう）の品質を表すことができる情報を総称する。例えば、ランク指示子（ＲＩ：Ｒａｎｋ  ｉｎｄｉｃａｔｏｒ）、プリコーディング行列指示子（ＰＭＩ：Ｐｒｅｃｏｄｉｎｇ  ｍａｔｒｉｘ  ｉｎｄｉｃａｔｏｒ）、チャネル品質指示子（ＣＱＩ：Ｃｈａｎｎｅｌ  ｑｕａｌｉｔｙ  ｉｎｄｉｃａｔｏｒ）などがこれに該当する。
【０１０６】
ここで、ＲＩは、チャネルのランク（ｒａｎｋ）情報を表し、これは、ＵＥが同一の時間−周波数リソースを介して受信するストリームの個数を意味する。この値は、チャネルの長い周期（ｌｏｎｇ  ｔｅｒｍ）フェージング（ｆａｄｉｎｇ）により従属して決定されるので、ＰＭＩ、ＣＱＩより一般により長い周期でＵＥからＢＳへフィードバックされる。ＰＭＩは、チャネル空間特性を反映した値であって、信号対干渉雑音比（ＳＩＮＲ：Ｓｉｇｎａｌ−ｔｏ−Ｉｎｔｅｒｆｅｒｅｎｃｅ−ｐｌｕｓ−Ｎｏｉｓｅ  Ｒａｔｉｏ）などのメトリック（ｍｅｔｒｉｃ）を基準にＵＥが好むプリコーディングインデックスを表す。ＣＱＩは、チャネルの強度を表す値であって、一般にＢＳがＰＭＩを利用した時に得ることのできる受信ＳＩＮＲを意味する。
【０１０７】
３ＧＰＰ  ＬＴＥ／ＬＴＥ−Ａシステムにおける基地局は、多数個のＣＳＩプロセス（ｐｒｏｃｅｓｓ）をＵＥに設定し、各プロセスに対するＣＳＩを報告されることができる。ここで、ＣＳＩプロセスは、基地局からの信号品質測定のためのＣＳＩ−ＲＳと干渉測定のためのＣＳＩ干渉測定（ＣＳＩ−ＩＭ：ＣＳＩ−Ｉｎｔｅｒｆｅｒｅｎｃｅ  Ｍｅａｓｕｒｅｍｅｎｔ）リソースから構成される。
【０１０８】
参照信号（ＲＳ：Ｒｅｆｅｒｅｎｃｅ  ｓｉｇｎａｌ）仮想化（ｖｉｒｔｕａｌｉｚａｔｉｏｎ）
【０１０９】
ｍｍＷにおいてａｎａｌｏｇ  ｂｅａｍｆｏｒｍｉｎｇにより一時点に一つのａｎａｌｏｇ  ｂｅａｍ方向だけにＰＤＳＣＨ転送されることができる。この場合、該当方向にある一部の少数のＵＥだけに基地局からデータ転送が可能になる。したがって、必要によってアンテナポート別にａｎａｌｏｇ  ｂｅａｍ方向を異なるように設定することによって、複数のａｎａｌｏｇ  ｂｅａｍ方向にある多数のＵＥに同時にデータ転送が行われることができる。
【０１１０】
図７は、本明細書で提案する方法が適用されることができるビームスウィーピング（ｂｅａｍ  ｓｗｅｅｐｉｎｇ）動作の一例を示す図である。
【０１１１】
図６で説明したように、基地局が複数のアナログビームを使用する場合、端末別に信号受信に有利なアナログビームが異なりうるので、少なくとも同期信号（Ｓｙｎｃｈｒｏｎｉｚａｔｉｏｎ  ｓｉｇｎａｌ）、システム情報（Ｓｙｓｔｅｍ  ｉｎｆｏｒｍａｔｉｏｎ）、及びページング（Ｐａｇｉｎｇ）などに対しては、特定サブフレームにおいて基地局が適用しようとする複数のアナログビームをシンボルによって変えて、すべての端末が受信機会を有することができるようにするビームスウィーピング動作が考慮されている。
【０１１２】
図７は、ダウンリンク転送過程においてで同期信号及びシステム情報に対するビームスウィーピング動作の一例を示す。図７のＮｅｗ  ＲＡＴでシステム情報がブロードキャスティング方式で転送される物理的リソース（または物理チャネル）をｘＰＢＣＨ（ｐｈｙｓｉｃａｌ  ｂｒｏａｄｃａｓｔ  ｃｈａｎｎｅｌ）と呼んだ。
【０１１３】
このとき、一シンボル内で互いに異なるアンテナパネルに属するアナログビームは、同時転送されることができ、アナログビームに応じるチャネルを測定するために、図７に示すように、（特定アンテナパネルに対応する）単一アナログビームが適用されて転送される参照信号であるビーム参照信号（Ｂｅａｍ  Ｒｅｆｅｒｅｎｃｅ  ｓｉｇｎａｌ：ＢＲＳ）を導入する案が論議されている。
【０１１４】
前記ＢＲＳは、複数のアンテナポートに対して定義されることができ、ＢＲＳの各アンテナポートは、単一アナログビームに対応できる。
【０１１５】
このとき、ＢＲＳとは異なり、同期信号またはｘＰＢＣＨは、任意の端末によって転送される信号がよく受信されるように、アナログビームグループ内のすべてのアナログビームが適用されて転送されることができる。
【０１１６】
ＲＲＭ測定
【０１１７】
ＬＴＥシステムでは、電力制御、スケジューリング、セル検索、セル再選択、ハンドオーバ、無線リンクまたは接続モニタリング、接続確立／再確立などを含むＲＲＭ動作を支援する。
【０１１８】
このとき、サービングセルは、端末にＲＲＭ動作を行うための測定値であるＲＲＭ測定（ＲＲＭ  ｍｅａｓｕｒｅｍｅｎｔ）情報を要求できる。
【０１１９】
例えば、端末は、各Ｃｅｌｌに対するセル検索情報、ＲＳＲＰ（ｒｅｆｅｒｅｎｃｅ  ｓｉｇｎａｌ  ｒｅｃｅｉｖｅｄ  ｐｏｗｅｒ）、ＲＳＲＱ（ｒｅｆｅｒｅｎｃｅ  ｓｉｇｎａｌ  ｒｅｃｅｉｖｅｄ  ｑｕａｌｉｔｙ）などの情報を測定して、基地局に報告できる。
【０１２０】
具体的に、ＬＴＥシステムにおいて端末は、サービングセルからＲＲＭ測定のための上位層信号として「ｍｅａｓＣｏｎｆｉｇ」を伝達される。端末は、「ｍｅａｓＣｏｎｆｉｇ」に応じて、ＲＳＲＰまたはＲＳＲＱを測定する。
【０１２１】
ＲＳＲＰ、ＲＳＲＱ及びＲＳＳＩの定義は、以下のとおりである。
【０１２２】
−ＲＳＲＰ：ＲＳＲＰは、考慮された測定周波数帯域幅内でセル固有基準信号を伝達するリソース要素の電力寄与度（［Ｗ］）に対する線形平均として定義されることができる。ＲＳＲＰ決定のために、セル固有レファレンス信号Ｒ０が使用されることができる。端末がＲ１が利用可能であるということを信頼性あるように検出できる場合、Ｒ０に追加してＲ１を使用してＲＳＲＰを決定できる。
【０１２３】
ＲＳＲＰの基準点（ｒｅｆｅｒｅｎｃｅ ｐｏｉｎｔ）は、端末のアンテナコネクターになることができる。
【０１２４】
受信機ダイバーシチ（ｄｉｖｅｒｓｉｔｙ）が端末により使用される場合、報告された値は、任意の個別ダイバーシチブランチの対応するＲＳＲＰより小さくはならない。
【０１２５】
−ＲＳＲＱ：基準信号受信品質（ＲＳＲＱ）は、割合Ｎ×ＲＳＲＰ／（Ｅ−ＵＴＲＡ搬送波ＲＳＳＩ）と定義され、Ｎは、Ｅ−ＵＴＲＡ搬送波ＲＳＳＩ測定帯域幅のＲＢ数である。分子と分母の測定は、同じリソースブロック集合を介して行われなければならない。
【０１２６】
Ｅ−ＵＴＲＡ搬送波受信信号強度インジケータ（ＲＳＳＩ）は、アンテナポート０に対する参照シンボルを含むＯＦＤＭシンボルにおいてのみ測定された全受信電力（［Ｗ］）の線形平均と測定帯域幅でＮ個のリソース隣接チャネルの干渉、熱雑音などを含むすべてのソースからＵＥによりブロックにより受信される。
【０１２７】
上位層シグナリングがＲＳＲＱ測定を行うための特定のサブフレームを表す場合、ＲＳＳＩは、表示されたサブフレーム内のすべてのＯＦＤＭシンボルに対して測定される。
【０１２８】
ＲＳＲＱに対する基準点は、端末のアンテナコネクターにならなければならない。
【０１２９】
受信機ダイバーシチが端末により使用される場合、報告された値は、任意の個別ダイバーシチブランチの対応するＲＳＲＱより小さくてはならない。
【０１３０】
ＲＳＳＩ：ＲＳＳＩは、受信機パルス整形フィルタにより定義された帯域幅内で受信機から発生する熱雑音及び雑音を含んで受信された広帯域電力を意味する。
【０１３１】
ＲＳＳＩの測定のための基準点は、端末のアンテナコネクターにならなければならない。受信機ダイバーシチが端末により使用される場合、報告された値は、任意の個別受信アンテナブランチの対応するＵＴＲＡ搬送波ＲＳＳＩより小さくてはならない。
【０１３２】
このような定義によって、ＬＴＥシステムで動作する端末は、Ｉｎｔｒａ−ｆｒｅｑｕｅｎｃｙ  ｍｅａｓｕｒｅｍｅｎｔである場合、ＳＩＢ３（ｓｙｓｔｅｍ  ｉｎｆｏｒｍａｔｉｏｎ  ｂｌｏｃｋ  ｔｙｐｅ３）から転送されるＡｌｌｏｗｅｄ  ｍｅａｓｕｒｅｍｅｎｔ  ｂａｎｄｗｉｄｔｈ関連ＩＥ（ｉｎｆｏｒｍａｔｉｏｎ  ｅｌｅｍｅｎｔ）を介して、Ｉｎｔｅｒ−ｆｒｅｑｕｅｎｃｙ  ｍｅａｓｕｒｅｍｅｎｔである場合には、ＳＩＢ５から転送されるＡｌｌｏｗｅｄ  ｍｅａｓｕｒｅｍｅｎｔ  ｂａｎｄｗｉｄｔｈを介して６、１５、２５、５０、７５、１００ＲＢ（Ｒｅｓｏｕｒｃｅ  Ｂｌｏｃｋ）のうち、いずれか一つに対応するＢａｎｄｗｉｄｔｈでＲＳＲＰを測定するよう許容されることができる。
【０１３３】
または、上記のようなＩＥがない場合、Ｄｅｆａｕｌｔで全体のＤＬ（ｄｏｗｎｌｉｎｋ）システムの周波数帯域で測定が行われることができる。このとき、端末がＡｌｌｏｗｅｄ  ｍｅａｓｕｒｅｍｅｎｔ  ｂａｎｄｗｉｄｔｈを受信する場合、端末は、該当値をｍａｘｉｍｕｍ  ｍｅａｓｕｒｅｍｅｎｔ  ｂａｎｄｗｉｄｔｈと考え、該当値以内で自由にＲＳＲＰの値を測定できる。
【０１３４】
ただし、Ｓｅｒｖｉｎｇ  ＣｅｌｌがＷＢ−ＲＳＲＱと定義されるＩＥを転送し、Ａｌｌｏｗｅｄ  ｍｅａｓｕｒｅｍｅｎｔ  ｂａｎｄｗｉｄｔｈを５０ＲＢ以上に設定すると、端末は、全体のＡｌｌｏｗｅｄ  ｍｅａｓｕｒｅｍｅｎｔ  ｂａｎｄｗｉｄｔｈに対するＲＳＲＰ値を計算しなければならない。一方、ＲＳＳＩに対しては、ＲＳＳＩ  ｂａｎｄｗｉｄｔｈの定義に従って、端末の受信機が有する周波数帯域で測定が行われることができる。
【０１３５】
図８は、本明細書で提案する方法が適用されることができるアンテナ配列（Ａｎｔｅｎｎａ  ａｒｒａｙ）の一例を示す図である。
【０１３６】
図８において、一般化されたパネルアンテナ配列（ｐａｎｅｌ  ａｎｔｅｎｎａ  ａｒｒａｙ）は、各々水平ドメイン（ｈｏｒｉｚｏｎｔａｌ  ｄｏｍａｉｎ）と垂直ドメイン（ｖｅｒｔｉｃａｌ  ｄｏｍａｉｎ）にＭｇ個、Ｎｇ個のパネルから構成されることができる。
【０１３７】
このとき、一つのパネルは、各々Ｍ個の列とＮ個の行から構成され、図８では、Ｘ−ｐｏｌアンテナが仮定された。したがって、全アンテナエレメントの個数は、２＊Ｍ＊Ｎ＊Ｍｇ＊Ｎｇ個から構成されることができる。
【０１３８】
ＣＳＩ関連手順（Ｃｈａｎｎｅｌ  Ｓｔａｔｅ  Ｉｎｆｏｒｍａｔｉｏｎ  ｒｅｌａｔｅｄ  Ｐｒｏｃｅｄｕｒｅ）
【０１３９】
図９は、本明細書で提案する方法が適用されることができるＣＳＩ関連手順の一例を示すフローチャートである。
【０１４０】
ＮＲ（Ｎｅｗ  Ｒａｄｉｏ）システムにおいて、ＣＳＩ−ＲＳ（Ｃｈａｎｎｅｌ  Ｓｔａｔｅ  Ｉｎｆｏｒｍａｔｉｏｎ−ｒｅｆｅｒｅｎｃｅ  ｓｉｇｎａｌ）は、時間及び／または周波数トラッキング（ｔｉｍｅ／ｆｒｅｑｕｅｎｃｙ  ｔｒａｃｋｉｎｇ）、ＣＳＩ計算（ｃｏｍｐｕｔａｔｉｏｎ）、Ｌ１（ｌａｙｅｒ１）−ＲＳＲＰ（ｒｅｆｅｒｅｎｃｅ  ｓｉｇｎａｌ  ｒｅｃｅｉｖｅｄ  ｐｏｗｅｒ）計算（ｃｏｍｐｕｔａｔｉｏｎ）及び移動性（ｍｏｂｉｌｉｔｙ）のために使用される。
【０１４１】
本明細書で使用される「Ａ及び／またはＢ」は、「ＡまたはＢのうち、少なくとも一つを含む」と同じ意味として解析できる。
【０１４２】
前記ＣＳＩ  ｃｏｍｐｕｔａｔｉｏｎは、ＣＳＩ獲得（ａｃｑｕｉｓｉｔｉｏｎ）と関連され、Ｌ１−ＲＳＲＰｃｏｍｐｕｔａｔｉｏｎは、ビーム管理（ｂｅａｍｍａｎａｇｅｍｅｎｔ、ＢＭ）と関連される。
【０１４３】
ＣＳＩ（Ｃｈａｎｎｅｌ  Ｓｔａｔｅ  Ｉｎｆｏｒｍａｔｉｏｎ）は、端末とアンテナポートとの間に形成される無線チャネル（あるいはリンクともいう）の品質を表すことができる情報を総称する。
【０１４４】
前記のようなＣＳＩ−ＲＳの用途のうち、一つを行うために、端末（例：ｕｓｅｒ  ｅｑｕｉｐｍｅｎｔ、ＵＥ）は、ＣＳＩと関連した設定（ｃｏｎｆｉｇｕｒａｔｉｏｎ）情報をＲＲＣ（ｒａｄｉｏ  ｒｅｓｏｕｒｃｅ  ｃｏｎｔｒｏｌ）ｓｉｇｎａｌｉｎｇを介して基地局（例：ｇｅｎｅｒａｌ  Ｎｏｄｅ  Ｂ、ｇＮＢ）から受信する（Ｓ９０１０）。
【０１４５】
前記ＣＳＩと関連したｃｏｎｆｉｇｕｒａｔｉｏｎ情報はＣＳＩ−ＩＭ（ｉｎｔｅｒｆｅｒｅｎｃｅ  ｍｅａｓｕｒｅｍｅｎｔ）リソース（ｒｅｓｏｕｒｃｅ）関連情報、ＣＳＩ測定設定（ｍｅａｓｕｒｅｍｅｎｔ  ｃｏｎｆｉｇｕｒａｔｉｏｎ）関連情報、ＣＳＩリソース設定（ｒｅｓｏｕｒｃｅ  ｃｏｎｆｉｇｕｒａｔｉｏｎ）関連情報、ＣＳＩ−ＲＳリソース（ｒｅｓｏｕｒｃｅ）関連情報、またはＣＳＩ報告設定（ｒｅｐｏｒｔ  ｃｏｎｆｉｇｕｒａｔｉｏｎ）関連情報のうち、少なくとも１つを含むことができる。
【０１４６】
前記ＣＳＩ−ＩＭリソース関連情報は、ＣＳＩ−ＩＭリソース情報（ｒｅｓｏｕｒｃｅ  ｉｎｆｏｒｍａｔｉｏｎ）、ＣＳＩ−ＩＭリソースセット情報（ｒｅｓｏｕｒｃｅ  ｓｅｔ  ｉｎｆｏｒｍａｔｉｏｎ）などを含むことができる。
【０１４７】
ＣＳＩ−ＩＭ  ｒｅｓｏｕｒｃｅ  ｓｅｔはＣＳＩ−ＩＭ  ｒｅｓｏｕｒｃｅ  ｓｅｔ  ＩＤ（ｉｄｅｎｔｉｆｉｅｒ）により識別され、１つのｒｅｓｏｕｒｃｅ  ｓｅｔは少なくとも１つのＣＳＩ−ＩＭ  ｒｅｓｏｕｒｃｅを含む。
【０１４８】
各々のＣＳＩ−ＩＭ  ｒｅｓｏｕｒｃｅは、ＣＳＩ−ＩＭ  ｒｅｓｏｕｒｃｅ  ＩＤにより識別される。
【０１４９】
前記ＣＳＩ  ｒｅｓｏｕｒｃｅ  ｃｏｎｆｉｇｕｒａｔｉｏｎ関連情報は、ＮＺＰ（ｎｏｎ  ｚｅｒｏ  ｐｏｗｅｒ）ＣＳＩ−ＲＳ  ｒｅｓｏｕｒｃｅ  ｓｅｔ、ＣＳＩ−ＩＭ  ｒｅｓｏｕｒｃｅ  ｓｅｔ、またはＣＳＩ−ＳＳＢ  ｒｅｓｏｕｒｃｅ  ｓｅｔのうち、少なくとも１つを含むグループを定義する。
【０１５０】
即ち、前記ＣＳＩ  ｒｅｓｏｕｒｃｅ  ｃｏｎｆｉｇｕｒａｔｉｏｎ関連情報はＣＳＩ−ＲＳ  ｒｅｓｏｕｒｃｅ  ｓｅｔ  ｌｉｓｔを含み、前記ＣＳＩ−ＲＳ  ｒｅｓｏｕｒｃｅ  ｓｅｔ  ｌｉｓｔはＮＺＰＣＳＩ−ＲＳ  ｒｅｓｏｕｒｃｅ  ｓｅｔ  ｌｉｓｔ、ＣＳＩ−ＩＭ  ｒｅｓｏｕｒｃｅ  ｓｅｔ  ｌｉｓｔ、またはＣＳＩ−ＳＳＢ  ｒｅｓｏｕｒｃｅ  ｓｅｔ  ｌｉｓｔのうち、少なくとも１つを含むことができる。
【０１５１】
前記ＣＳＩ  ｒｅｓｏｕｒｃｅ  ｃｏｎｆｉｇｕｒａｔｉｏｎ関連情報はＣＳＩ−Ｒｅｓｏｕｒｃｅ  Ｃｏｎｆｉｇ  ＩＥで表現できる。
【０１５２】
ＣＳＩ−ＲＳ  ｒｅｓｏｕｒｃｅ  ｓｅｔはＣＳＩ−ＲＳ  ｒｅｓｏｕｒｃｅ  ｓｅｔ  ＩＤにより識別され、１つのｒｅｓｏｕｒｃｅ  ｓｅｔは少なくとも１つのＣＳＩ−ＲＳ  ｒｅｓｏｕｒｃｅを含む。
【０１５３】
各々のＣＳＩ−ＲＳ  ｒｅｓｏｕｒｃｅは、ＣＳＩ−ＲＳ  ｒｅｓｏｕｒｃｅ  ＩＤにより識別される。
【０１５４】
表１のように、ＮＺＰ  ＣＳＩ−ＲＳ  ｒｅｓｏｕｒｃｅ  ｓｅｔ別にＣＳＩ−ＲＳの用途を示すｐａｒａｍｅｔｅｒ（例：ＢＭ関連‘ｒｅｐｅｔｉｔｉｏｎ’  ｐａｒａｍｅｔｅｒ、ｔｒａｃｋｉｎｇ関連‘ｔｒｓ−Ｉｎｆｏ’  ｐａｒａｍｅｔｅｒ）が設定できる。
【０１５５】
表４は、  ＮＺＰ  ＣＳＩ−ＲＳ  ｒｅｓｏｕｒｃｅ  ｓｅｔ  ＩＥの一例を示す。
【０１５６】
【表４】
2020517158.tif 000038
【０１５７】
表４で、ｒｅｐｅｔｉｔｉｏｎ  ｐａｒａｍｅｔｅｒは同一のｂｅａｍの反復転送有無を示すｐａｒａｍｅｔｅｒであって、ＮＺＰ  ＣＳＩ−ＲＳ  ｒｅｓｏｕｒｃｅ  ｓｅｔ別にｒｅｐｅｔｉｔｉｏｎが‘ＯＮ’または‘ＯＦＦ’なのかを指示する。
【０１５８】
本明細書で使われる転送ビーム（Ｔｘ  ｂｅａｍ）は、ｓｐａｔｉａｌ  ｄｏｍａｉｎ  ｔｒａｎｓｍｉｓｓｉｏｎ  ｆｉｌｔｅｒと、受信ビーム（Ｒｘ  ｂｅａｍ）はｓｐａｔｉａｌ  ｄｏｍａｉｎ  ｒｅｃｅｐｔｉｏｎ  ｆｉｌｔｅｒと同一の意味として解釈できる。
【０１５９】
例えば、表４のｒｅｐｅｔｉｔｉｏｎ  ｐａｒａｍｅｔｅｒが‘ＯＦＦ’に設定された場合、端末はｒｅｓｏｕｒｃｅ  ｓｅｔ内のＮＺＰ  ＣＳＩ−ＲＳ  ｒｅｓｏｕｒｃｅが全てのシンボルで同一のＤＬ  ｓｐａｔｉａｌ  ｄｏｍａｉｎ  ｔｒａｎｓｍｉｓｓｉｏｎ  ｆｉｌｔｅｒと同一のＮｒｏｆｐｏｒｔｓに転送されると仮定しない。
【０１６０】
そして、ｈｉｇｈｅｒ  ｌａｙｅｒ  ｐａｒａｍｅｔｅｒに該当するｒｅｐｅｔｉｔｉｏｎ  ｐａｒａｍｅｔｅｒはＬ１  ｐａｒａｍｅｔｅｒの‘ＣＳＩ−ＲＳ−Ｒｅｓｏｕｒｃｅ  Ｒｅｐ’に対応する。
【０１６１】
前記ＣＳＩ報告設定（ｒｅｐｏｒｔ  ｃｏｎｆｉｇｕｒａｔｉｏｎ）関連情報は時間領域行動（ｔｉｍｅ  ｄｏｍａｉｎ  ｂｅｈａｖｉｏｒ）を示す報告設定タイプ（ｒｅｐｏｒｔＣｏｎｆｉｇＴｙｐｅ）ｐａｒａｍｅｔｅｒ及び報告するためのＣＳＩ関連ｑｕａｎｔｉｔｙを示す報告量（ｒｅｐｏｒｔ  Ｑｕａｎｔｉｔｙ）ｐａｒａｍｅｔｅｒを含む。
【０１６２】
前記時間領域行動（ｔｉｍｅ  ｄｏｍａｉｎ  ｂｅｈａｖｉｏｒ）はｐｅｒｉｏｄｉｃ、ａｐｅｒｉｏｄｉｃ、またはｓｅｍｉ−ｐｅｒｓｉｓｔｅｎｔでありうる。
【０１６３】
そして、前記ＣＳＩ  ｒｅｐｏｒｔ  ｃｏｎｆｉｇｕｒａｔｉｏｎ関連情報はＣＳＩ−ＲｅｐｏｒｔＣｏｎｆｉｇ  ＩＥで表現されることができ、以下の表５はＣＳＩ−ＲｅｐｏｒｔＣｏｎｆｉｇ  ＩＥの一例を示す。
【０１６４】
【表５】
2020517158.tif 000039
【０１６５】
そして、前記端末は前記ＣＳＩと関連したｃｏｎｆｉｇｕｒａｔｉｏｎ情報に基づいてＣＳＩを測定（ｍｅａｓｕｒｅｍｅｎｔ）する（Ｓ９０２０）。
【０１６６】
前記ＣＳＩ測定は、（１）端末のＣＳＩ−ＲＳ受信過程（Ｓ９０２２）と、（２）受信されたＣＳＩ−ＲＳによりＣＳＩを計算（ｃｏｍｐｕｔａｔｉｏｎ）する過程（Ｓ９０２４）を含むことができる。
【０１６７】
前記ＣＳＩ−ＲＳに対するシーケンス（ｓｅｑｕｅｎｃｅ）は以下の数式２により生成され、ｐｓｅｕｄｏ−ｒａｎｄｏｍ  ｓｅｑｕｅｎｃｅ  Ｃ（ｉ）の初期値（ｉｎｉｔｉａｌｉｚａｔｉｏｎ  ｖａｌｕｅ）は数式３により定義される。
【０１６８】
【数２】
2020517158.tif 000040
【０１６９】
【数３】
2020517158.tif 000041
【０１７０】
数式２及び３で、
2020517158.tif 000042
はｒａｄｉｏ  ｆｒａｍｅ内スロット番号（ｓｌｏｔ  ｎｕｍｂｅｒ）を示し、ｐｓｅｕｄｏ−ｒａｎｄｏｍ  ｓｅｑｕｅｎｃｅ  ｇｅｎｅｒａｔｏｒは
2020517158.tif 000043
である各ＯＦＤＭシンボルの開始でＣｉｎｔに初期化される。
【０１７１】
そして、ｌはスロット内ＯＦＤＭ  ｓｙｍｂｏｌ  ｎｕｍｂｅｒであり、
2020517158.tif 000044
はｈｉｇｈｅｒ−ｌａｙｅｒ  ｐａｒａｍｅｔｅｒ  ｓｃｒａｍｂｌｉｎｇＩＤと同一である。
【０１７２】
そして、前記ＣＳＩ−ＲＳはｈｉｇｈｅｒ  ｌａｙｅｒ  ｐａｒａｍｅｔｅｒ  ＣＳＩ−ＲＳ−ＲｅｓｏｕｒｃｅＭａｐｐｉｎｇにより時間（ｔｉｍｅ）及び周波数（ｆｒｅｑｕｅｎｃｙ）領域でＣＳＩ−ＲＳ  ｒｅｓｏｕｒｃｅのＲＥ（ｒｅｓｏｕｒｃｅ  ｅｌｅｍｅｎｔ）マッピングが設定される。
【０１７３】
表６は、ＣＳＩ−ＲＳ−ＲｅｓｏｕｒｃｅＭａｐｐｉｎｇ  ＩＥの一例を示す。
【０１７４】
【表６】
2020517158.tif 000045
【０１７５】
表６で、密度（ｄｅｎｓｉｔｙ、Ｄ）はＲＥ／ｐｏｒｔ／ＰＲＢ（ｐｈｙｓｉｃａｌ  ｒｅｓｏｕｒｃｅ  ｂｌｏｃｋ）で測定されるＣＳＩ−ＲＳ  ｒｅｓｏｕｒｃｅのｄｅｎｓｉｔｙを示し、ｎｒｏｆＰｏｒｔｓはアンテナポートの個数を示す。
【０１７６】
そして、前記端末は前記測定されたＣＳＩを基地局に報告（ｒｅｐｏｒｔ）する（Ｓ９０３０）。
【０１７７】
ここで、表６のＣＳＩ−ＲｅｐｏｒｔＣｏｎｆｉｇのｑｕａｎｔｉｔｙが‘ｎｏｎｅ（または、Ｎｏ  ｒｅｐｏｒｔ）’に設定された場合、前記端末は前記ｒｅｐｏｒｔを省略することができる。
【０１７８】
但し、前記ｑｕａｎｔｉｔｙが‘ｎｏｎｅ（または、Ｎｏ  ｒｅｐｏｒｔ）’に設定された場合にも前記端末は基地局にｒｅｐｏｒｔすることもできる。
【０１７９】
前記ｑｕａｎｔｉｔｙが‘ｎｏｎｅ’に設定された場合は、ａｐｅｒｉｏｄｉｃ  ＴＲＳをｔｒｉｇｇｅｒする場合、またはｒｅｐｅｔｉｔｉｏｎが設定された場合である。
【０１８０】
ここで、ｒｅｐｅｔｉｔｉｏｎが‘ＯＮ’に設定された場合のみに前記端末のｒｅｐｏｒｔを省略するように定義することもできる。
【０１８１】
整理すると、ｒｅｐｅｔｉｔｉｏｎが‘ＯＮ’及び‘ＯＦＦ’に設定される場合、ＣＳＩ  ｒｅｐｏｒｔは‘Ｎｏ  ｒｅｐｏｒｔ’、‘ＳＳＢＲＩ（ＳＳＢ  Ｒｅｓｏｕｒｃｅ  Ｉｎｄｉｃａｔｏｒ）及びＬ１−ＲＳＲＰ’、‘ＣＲＩ（ＣＳＩ−ＲＳ  Ｒｅｓｏｕｒｃｅ  Ｉｎｄｉｃａｔｏｒ）及びＬ１−ＲＳＲＰ’の全てが可能でありうる。
【０１８２】
または、ｒｅｐｅｔｉｔｉｏｎが‘ＯＦＦ’の場合には‘ＳＳＢＲＩ及びＬ１−ＲＳＲＰ’または‘ＣＲＩ及びＬ１−ＲＳＲＰ’のＣＳＩ  ｒｅｐｏｒｔが転送されるように定義され、ｒｅｐｅｔｉｔｉｏｎ‘ＯＮ’の場合には‘Ｎｏ  ｒｅｐｏｒｔ’、‘ＳＳＢＲＩ及びＬ１−ＲＳＲＰ’、または‘ＣＲＩ及びＬ１−ＲＳＲＰ’が転送されるように定義できる。
【０１８３】
以下、ＣＳＩ  Ｒｅｐｏｒｔｉｎｇのためのフィードバックコンテンツ（ｆｅｅｄｂａｃｋ  ｃｏｎｔｅｎｔ）について述べる。
【０１８４】
ダウンリンクコードブックの構成方式は、ダウンリンクＣＳＩフィードバックタイプ１を構成する単一パネル及びマルチパネルに対応するコードブック構成方式と、タイプ２に対する線形組合せ（ｌｉｎｅａｒ  ｃｏｍｂｉｎａｔｉｏｎ）基盤のコードブック構成方式が存在できる。
【０１８５】
このようなコードブックを使用してＣＳＩなどを報告する場合、ＣＳＩは、下記のように構成されることができる。
【０１８６】
ＣＳＩを構成する要素は、ＣＲＩ（ＣＳＩ−ＲＳ  ｒｅｓｏｕｒｃｅ  ｉｎｄｉｃａｔｏｒ）、ＲＩ（ｒａｎｋ  ｉｎｄｉｃａｔｏｒ）、ＣＱＩ（ｃｈａｎｎｅｌ  ｑｕａｌｉｔｙ  ｉｎｄｉｃａｔｏｒ）及びＰＭＩ（ｐｒｅｃｏｄｉｎｇ  ｍａｔｒｉｘ  ｉｎｄｉｃａｔｏｒ）があることができる。
【０１８７】
ＣＲＩの場合、各リソースは、特定のアナログ及び／またはデジタルビームフォーミングが設定／適用されることができる。ＲＩは、端末が基地局にｃａｐａｂｉｌｉｔｙによって報告した端末の受信アンテナポート（Ｎ＿Ｒｘまたはアンテナ要素、以下、ポートと呼ぶ）によって報告できる最大ランクの数が決定されることができる。すなわち、ＲＩがＮ＿ＲＸと同じであるか、または小さい場合、これによってＲＩのビットフィールドが決定されることができる。
【０１８８】
例えば、Ｎ＿Ｒｘが「２」である場合、ＲＩのビットは１ｂｉｔ、Ｎ＿Ｒｘが「４」である場合、ＲＩのビットは２ｂｉｔ、Ｎ＿Ｒｘが「８」である場合、ＲＩのビットは、３ｂｉｔに設定されて報告できる。
【０１８９】
また、ＴＲＰあるいはｐａｎｅｌ間ＮＣ−ＪＴ等の目的で、ＴＲＰ／ｐａｎｅｌ  ｓｅｌｅｃｔｉｏｎの目的として使用しないＴＲＰ／Ｐａｎｅｌの目的でＲＩは「０」の値が報告されることができる。
【０１９０】
ＰＭＩは、Ｔｙｐｅ  ＩとＴｙｐｅ  ＩＩで代表されるコードブックを利用して計算されるＰＭＩであって、最もｐｒｅｆｅｒｒｅｄ／あるいはｂｅｓｔ  ｃｏｍｐａｎｉｏｎ（ｏｒ  ｗｏｒｓｔ）なＰＭＩをコードブック上において端末が計算して基地局に報告でき、ＰＭＩは、報告されるｆｒｅｑｕｅｎｃｙ  ｇｒａｎｕｌａｒｉｔｙに応じて、ｗｉｄｅｂａｎｄ、ｓｕｂ−ｂａｎｄまたはＰａｒｔｉａｌ  ｂａｎｄ（ＰＢ）  ＰＭＩになるか、または報告された周期に応じて、ｌｏｎｇ−ｔｅｒｍ／ｓｈｏｒｔ−ｔｅｒｍ  ＰＭＩで表現されることができる。
【０１９１】
ＣＱＩは、ＣＳＩ−ＲＳのＲＳ及びコードブックを利用して計算されたＳＩＮＲのｍｅｔｒｉｃに基づいて端末により計算されて、ＣＱＩ  ｔａｂｌｅを利用して基地局に報告される。
【０１９２】
ＣＲＩ
【０１９３】
ＣＲＩの場合、ビーム管理の単独用途としてＴｘ  Ｂｅａｍ  ｉｎｄｅｘを代表する値で使用されることができる。この場合、全体のＴｘビームの個数「Ｍ」は、基地局のＴＸＲＵ仮想化（ｖｉｒｔｕａｌｉｚａｔｉｏｎ）に参加するアンテナ要素の数「Ｎａ」及びアナログビームのオーバーサンプリング値「Ｏａ」等で決定（例えば、Ｍ＝ＮａＯａ）されることができる。
【０１９４】
各パラメータは、上位層シグナリングを介して端末に知らせるか、予め設定されることができる。
【０１９５】
または、アナログＴｘビームの数を基地局が端末に構成（ｃｏｎｆｉｇｕｒｅ）してくれるか、または基地局と端末との間で事前に約束されることができ、この場合、ｍａｘ  ＣＩＲの大きさは
2020517158.tif 000046
で、端末に設定／適用されることができる。
【０１９６】
このとき、ビーム管理用ＣＲＩは、単独で基地局に報告されることができる。
【０１９７】
Ａ．ＣＲＩ＋ＢＧＩ
【０１９８】
ＣＲＩ及びＢＧＩ（ｂｅａｍ  ｇｒｏｕｐ  ｉｎｄｅｘ）：ＢＧＩの場合、ＲＸアナログビームグループに対する指示子で、Ｔｘビームに対応する（または、ｓｐａｔｉａｌ  ＱＣＬｅｄされた）Ｔｘビームグループを任意のメトリック（ｍｅｔｒｉｃ、例えば、ＲＸＲＰ、ＲＳＲＱ、ＳＩＮＲ）によってグループ化されて設定されるか、または端末に備えられているパネル別に設定されることができる。
【０１９９】
または、ＣＲＩとＢＧＩは、各々別にエンコードされて基地局に報告されるか、またはペイロードの大きさのオーバーヘッドを減らすために共にエンコードされて基地局に報告されることができる。
【０２００】
ｉ．ＣＲＩ＋ＢＧＩ＋ＲＳＲＰＩ（ｏｒ  ＣＱＩ）
【０２０１】
ＣＩＲとＢＧＩを共に基地局に報告する場合、ＣＩＲ及びＢＧＩに追加で、ＴｘビームまたはＴｘ−Ｒｘビーム対に対応するＲＳＲＰに対する情報を指示するために、ＲＳＲＰＩ（ＲＳＲＰ  ｉｎｄｉｃａｔｏｒ）が報告されることができる。
【０２０２】
このとき、各指示子は各々別にエンコードされるか、ペイロードの大きさのオーバーヘッドを減少させるために共にエンコードされて基地局に報告されることができる。
【０２０３】
ＲＳＲＰＩをＣＩＲ及びＢＧＩと共に報告するためには、ＲＳＲＰのためのテーブルが別に定義されるか、またはＣＱＩテーブルが利用されることができる。
【０２０４】
この場合、端末は、干渉を無視しｗｉｄｅｂａｎｄ  ＣＱＩを計算するか、または干渉のｏｎｅ−ｓｈｏｔ  ｍｅａｓｕｒｅｍｅｎｔを利用してｗｉｄｅｂａｎｄ  ＣＱＩを計算でき、ビーム管理用として設定されたポートの数が１より大きな場合にも、Ｒａｎｋ  １  ｒｅｓｔｒｉｃｔｉｏｎを想定できる。
【０２０５】
これは、ｆａｓｔ  ＣＱＩ  ａｃｑｕｉｓｉｔｉｏｎをすることができるという長所がある。
【０２０６】
基地局は、ＲＳＲＰＩまたはＣＱＩを使用するかどうかを上位層シグナリングを介して端末に知らせることができる。
【０２０７】
Ｂ．ＣＲＩ＋ＲＳＲＰＩ（ｏｒ  ＣＱＩ）
【０２０８】
前で説明したＡ−ｉの方式と似ているように、端末は、ＢＧＩを報告せずに、ＣＲＩとＲＳＲＰＩ（またはＣＱＩ）を共に基地局に報告できる。
【０２０９】
Ｃ．ＣＲＩ＋ＰＭＩ
【０２１０】
ＣＲＩ内にｍｕｌｔｉｐｌｅ  ｐｏｒｔが設定されており、各ｐｏｒｔ別にａｎａｌｏｇｂｅａｍが各々設定されている場合、端末は、ｐｒｅｆｅｒｒｅｄなＴｘビームを基地局に報告するために、各ＣＲＩ内のｐｏｒｔに対する情報も別に報告しなければならない。
【０２１１】
この場合、ｐｏｒｔ  ｉｎｄｉｃａｔｉｏｎのためにｐｏｒｔ  ｓｅｌｅｃｔｉｏｎコードブックと同じＰＭＩが適用され、ｗｉｄｅｂａｎｄの性格を有する。
【０２１２】
また、ＣＲＩとＰＭＩの場合、各々別にエンコードされるか、１２−ｐｏｒｔ、２４−ｐｏｒｔの場合のように、２の冪数でないｐｏｒｔ設定の場合、共にエンコードされて、ペイロードの大きさを減少させることができる。
【０２１３】
また、前記方式でも、ＡとＢと拡張結合したｒｅｐｏｒｔｉｎｇ  ｔｙｐｅ（例えば、ＣＲＩ、ＰＭＩ、及びＲＳＲＰＩ（ｏｒ  ＣＱＩ）各々別にエンコードされるか、または共にエンコードされるタイプ）が存在できる。または、ビーム管理に使用されるｐｏｒｔ数をＸ−ｐｏｒｔ以下（例えば、Ｘ＝８、ｃｏｎｆｉｇｕｒａｂｌｅ）に設定する場合、追加のＣＲＩ及びＰＭＩがエンコードされるｔｙｐｅを考慮せずに、ＲＩを各ｐｏｒｔの指示子として拡張適用して、ＣＲＩ及びＲＩ報告に使用することもできる。
【０２１４】
このようなＣＲＩの場合、主にビーム管理用として使用されることができ、ｂｅｓｔ  ｐｒｅｆｅｒｒｅｄ  ａｎａｌｏｇ  ｂｅａｍ（ｓｅｔ）に相当するただ一つのビーム管理ＣＳＩ  ｓｅｔである｛ＣＲＩ、ＢＧＩ、ＲＳＲＰＩ（ｏｒ  ＣＱＩ）、ＰＭＩ｝が端末によって基地局に報告されることができる。
【０２１５】
ＣｏＭＰ動作、干渉制御の目的（ｂｅｓｔ  ａｎｄ  ｗｏｒｓｔ）またはビーム発見（ｂｅａｍ  ｒｅｃｏｖｅｒｙ）などの目的で多数個のアナログビームが報告されうるように設定／適用されることができる。
【０２１６】
これは、ＣＳＩリソース設定で報告されるべきＢＭ  ＣＳＩ  ｓｅｔ（またはＢＭ  ＣＳＩ  ｓｕｂｓｅｔ）の個数及びＢＭ  ＣＳＩ  ｒｅｐｏｒｔｉｎｇ  ｔｙｐｅ（例えば、ＢＭ  ＣＳＩ  ｓｕｂ  ｓｅｔから構成されるＣＳＩであり、前で説明したＡ、Ｂ、Ｃが該当）、ＢＭ  ＣＳＩ  ｒｅｐｏｒｔｉｎｇ  ｍｏｄｅをＣＳＩの手順に従って各々または統合的に適用されるように設定／適用されることができる。
【０２１７】
ＰＵＣＣＨ基盤のｒｅｐｏｒｔｉｎｇの場合、ＰＵＣＣＨ  ｃｏｎｔａｉｎｅｒの大きさに合せて、リソース設定で同一インスタンス（ｉｎｓｔａｎｃｅ）に報告されるＢＭ  ＣＳＩ設定の個数が設定されることができ、設定された多数のＢＭ  ＣＳＩ  ｓｅｔが一度に報告されるか（以下、ｍｏｄｅ  １）、設定された多数のＢＭ  ＣＳＩ  ｓｅｔは、同一周期／互いに異なるｏｆｆｓｅｔを有して報告されることができる（ｍｏｄｅ  ２）。
【０２１８】
この場合、ｂｅｓｔ  ＢＭ  ＣＳＩ  ｓｅｔが他のＢＭ  ＣＳＩ  ｓｅｔに比べて高い優先順位を有する。以下は、多数のＢＭ  ＣＳＩ  ｓｅｔ  ｏｒ  ＢＭ  ＣＳＩ  ｓｕｂｓｅｔの周期的送信モードの例であり、表記の便宜上、以下は、ＢＭ  ＣＳＩ  ｓｅｔのみで表記し、ＢＭ  ＣＳＩ  ｓｕｂｓｅｔと呼ばれることもできる。
【０２１９】
Ｍｏｄｅ  １）
【０２２０】
1st instance: BM CSI set_1 + BM CSI set_2 + …. BM CSI set_1_K (K is configurable)
【０２２１】
Mode 2) 
1st instance (w/ offset 0): BM CSI set_1 
1st instance (w/ offset 1): BM CSI set_2 
…
1st instance (w/ offset K−1): BM CSI set_1_K (K is configurable)
【０２２２】
前で説明したＣＲＩ  ｂａｓｅｄ  ＣＳＩ  ｒｅｐｏｒｔｉｎｇは、ＢＭだけでなくＬＴＥ  Ｃｌａｓｓ  ＢのようにＣＳＩ  ａｃｑｕｉｓｉｔｉｏｎでも使用されることができる。これは、ＣＳＩ  ｒｅｓｏｕｒｃｅ  ｓｅｔｔｉｎｇの際、ＣＳＩ  ｐｒｏｃｅｓｓ別にｃｏｎｆｉｇｕｒｅされるか、または別のＲＲＣ  ｓｉｇｎａｌｉｎｇを介して端末に知らせることができる。
【０２２３】
Ｔｙｐｅ  Ｉ  ＰＭＩ
【０２２４】
ＮＲダウンリンクコードブックでタイプＩの場合、コードブックペイロードは表７と共に表すことができる。
【０２２５】
【表７】
2020517158.tif 000047
【０２２６】
表７中、Ｗ１は、ｗｉｄｅｂａｎｄ（及び／またはｌｏｎｇｔｅｒｍ）、Ｗ２は、ｓｕｂ−ｂａｎｄ（及び／またはｓｈｏｒｔｔｅｒｍ）ＰＭＩを表し、ｘ−ｐｏｒｔの中で（１Ｄ）は、基地局のポートレイアウトが１Ｄ（例えば、Ｎ２＝１、Ｎ１とＮ２は、それぞれ１ｓｔ及び２ｎｄドメインのポート数）を表す。
【０２２７】
Ｃｏｎｆｉｇ  １は、ＬＴＥ  Ｃｌａｓｓ ＡコードブックＣｏｎｆｉｇ  １と同じく、Ｃｏｎｆｉｇ  ２は、２Ｄである場合、ＬＴＥ  Ｃｌａｓｓ  ＡコードブックＣｏｎｆｉｇ  ２と同じく、１Ｄである場合、ＬＴＥ  Ｃｌａｓｓ  ＡコードブックＣｏｎｆｉｇ  ４と同じである。
【０２２８】
Ｒａｎｋ３以上では、Ｃｏｎｆｉｇ  １だけ存在できる。
【０２２９】
以下の表８は、マルチパネルの状況でコードブックペイロードの構成の一例を示す。
【０２３０】
【表８】
2020517158.tif 000048
【０２３１】
表２では、Ｘ−ｐｏｌアンテナが仮定された。
【０２３２】
表２中、Ｎｇはパネルの数を表し、Ｎ１及びＮ２は、マルチパネルを構成する単一のパネル内で１ｓｔドメインと２ｎｄドメインのアンテナポートの数を表す。
【０２３３】
したがって、最終ポートの数は、２＊Ｎｇ＊Ｎ１＊Ｎ２になることができ、マルチパネルの場合、ランク４まで定義されることができる。
【０２３４】
タイプ１のＣＳＩの場合、ＰＭＩのペイロードの大きさがタイプ２のＣＳＩに比べて小さいために、ＰＵＳＣＨはもちろん、ＰＵＣＣＨに基づいた報告にも設定／適用されることができる。
【０２３５】
ＣＳＩ測定及び報告（ＣＳＩ  ｍｅａｓｕｒｅｍｅｎｔ  ａｎｄ  ｒｅｐｏｒｔｉｎｇ）手続き
【０２３６】
ＮＲシステムはより柔軟で動的なＣＳＩ  ｍｅａｓｕｒｅｍｅｎｔ及びｒｅｐｏｒｔｉｎｇを支援する。
【０２３７】
前記ＣＳＩ  ｍｅａｓｕｒｅｍｅｎｔはＣＳＩ−ＲＳを受信し、受信されたＣＳＩ−ＲＳをｃｏｍｐｕｔａｔｉｏｎしてＣＳＩをａｃｑｕｉｓｉｔｉｏｎする手続きを含むことができる。
【０２３８】
ＣＳＩ  ｍｅａｓｕｒｅｍｅｎｔ及びｒｅｐｏｒｔｉｎｇのｔｉｍｅ  ｄｏｍａｉｎ  ｂｅｈａｖｉｏｒとして、ａｐｅｒｉｏｄｉｃ／ｓｅｍｉ−ｐｅｒｓｉｓｔｅｎｔ／ｐｅｒｉｏｄｉｃ  ＣＭ（ｃｈａｎｎｅｌ  ｍｅａｓｕｒｅｍｅｎｔ）及びＩＭ（ｉｎｔｅｒｆｅｒｅｎｃｅ  ｍｅａｓｕｒｅｍｅｎｔ）が支援される。
【０２３９】
ＣＳＩ−ＩＭの設定のために４ｐｏｒｔ  ＮＺＰ  ＣＳＩ−ＲＳ  ＲＥ  ｐａｔｔｅｒｎを用いる。
【０２４０】
ＮＲのＣＳＩ−ＩＭ基盤のＩＭＲはＬＴＥのＣＳＩ−ＩＭと類似のデザインを有し、ＰＤＳＣＨ  ｒａｔｅ  ｍａｔｃｈｉｎｇのためのＺＰ  ＣＳＩ−ＲＳ  ｒｅｓｏｕｒｃｅとは独立して設定される。
【０２４１】
そして、ＮＺＰ  ＣＳＩ−ＲＳ基盤のＩＭＲで各々のｐｏｒｔは（好ましいｃｈａｎｎｅｌ及び）ｐｒｅｃｏｄｅｄ  ＮＺＰ  ＣＳＩ−ＲＳを有するｉｎｔｅｒｆｅｒｅｎｃｅ  ｌａｙｅｒをｅｍｕｌａｔｅする。
【０２４２】
これは、ｍｕｌｔｉ−ｕｓｅｒ  ｃａｓｅに対してｉｎｔｒａ−ｃｅｌｌ  ｉｎｔｅｒｆｅｒｅｎｃｅ  ｍｅａｓｕｒｅｍｅｎｔに対するものであって、ＭＵ  ｉｎｔｅｒｆｅｒｅｎｃｅを主にｔａｒｇｅｔする。
【０２４３】
基地局は、設定されたＮＺＰ  ＣＳＩ−ＲＳ基盤のＩＭＲの各ｐｏｒｔ上でｐｒｅｃｏｄｅｄ  ＮＺＰ  ＣＳＩ−ＲＳを端末に転送する。
【０２４４】
端末は、ｒｅｓｏｕｒｃｅ  ｓｅｔで各々のｐｏｒｔに対してｃｈａｎｎｅｌ／ｉｎｔｅｒｆｅｒｅｎｃｅ  ｌａｙｅｒを仮定し、ｉｎｔｅｒｆｅｒｅｎｃｅを測定する。
【０２４５】
チャネルに対し、どんなＰＭＩ及びＲＩ  ｆｅｅｄｂａｃｋもない場合、多数のｒｅｓｏｕｒｃｅはｓｅｔで設定され、基地局またはネットワークはｃｈａｎｎｅｌ／ｉｎｔｅｒｆｅｒｅｎｃｅ  ｍｅａｓｕｒｅｍｅｎｔに対してＮＺＰ  ＣＳＩ−ＲＳ  ｒｅｓｏｕｒｃｅのｓｕｂｓｅｔをＤＣＩを通じて指示する。
【０２４６】
ｒｅｓｏｕｒｃｅ  ｓｅｔｔｉｎｇ及びｒｅｓｏｕｒｃｅ  ｓｅｔｔｉｎｇ  ｃｏｎｆｉｇｕｒａｔｉｏｎに対してより具体的に説明する。
【０２４７】
リソースセッティング（ｒｅｓｏｕｒｃｅ  ｓｅｔｔｉｎｇ）
【０２４８】
各々のＣＳＩ  ｒｅｓｏｕｒｃｅ  ｓｅｔｔｉｎｇ‘ＣＳＩ−ＲｅｓｏｕｒｃｅＣｏｎｆｉｇ’は（ｈｉｇｈｅｒ  ｌａｙｅｒ  ｐａｒａｍｅｔｅｒ  ｃｓｉ−ＲＳ−ＲｅｓｏｕｒｃｅＳｅｔＬｉｓｔにより与えられた）Ｓ≧１  ＣＳＩ  ｒｅｓｏｕｒｃｅ  ｓｅｔに対するｃｏｎｆｉｇｕｒａｔｉｏｎを含む。
【０２４９】
ここで、ＣＳＩ  ｒｅｓｏｕｒｃｅ  ｓｅｔｔｉｎｇはＣＳＩ−ＲＳ−ｒｅｓｏｕｒｃｅｓｅｔｌｉｓｔに対応する。
【０２５０】
ここで、Ｓは設定されたＣＳＩ−ＲＳ  ｒｅｓｏｕｒｃｅ  ｓｅｔの数を示す。
【０２５１】
ここで、Ｓ≧１  ＣＳＩ  ｒｅｓｏｕｒｃｅ  ｓｅｔに対するｃｏｎｆｉｇｕｒａｔｉｏｎは（ＮＺＰ  ＣＳＩ−ＲＳまたはＣＳＩ−ＩＭで構成された）ＣＳＩ−ＲＳ  ｒｅｓｏｕｒｃｅを含む各々のＣＳＩ  ｒｅｓｏｕｒｃｅ  ｓｅｔとＬ１−ＲＳＲＰ  ｃｏｍｐｕｔａｔｉｏｎに使われるＳＳ／ＰＢＣＨ  ｂｌｏｃｋ（ＳＳＢ）  ｒｅｓｏｕｒｃｅを含む。
【０２５２】
各ＣＳＩ  ｒｅｓｏｕｒｃｅ  ｓｅｔｔｉｎｇは、ｈｉｇｈｅｒ  ｌａｙｅｒ  ｐａｒａｍｅｔｅｒ  ｂｗｐ−ｉｄで識別されるＤＬ  ＢＷＰ（ｂａｎｄｗｉｄｔｈパート）に位置する。
【０２５３】
そして、ＣＳＩ  ｒｅｐｏｒｔｉｎｇ  ｓｅｔｔｉｎｇにリンクされた全てのＣＳＩ  ｒｅｓｏｕｒｃｅ  ｓｅｔｔｉｎｇは、同一のＤＬ  ＢＷＰを有する。
【０２５４】
ＣＳＩ−ＲｅｓｏｕｒｃｅＣｏｎｆｉｇ  ＩＥに含まれるＣＳＩ  ｒｅｓｏｕｒｃｅ  ｓｅｔｔｉｎｇ内でＣＳＩ−ＲＳ  ｒｅｓｏｕｒｃｅのｔｉｍｅ  ｄｏｍａｉｎ  ｂｅｈａｖｉｏｒは、ｈｉｇｈｅｒ  ｌａｙｅｒ  ｐａｒａｍｅｔｅｒ  ｒｅｓｏｕｒｃｅ  Ｔｙｐeにより指示され、ａｐｅｒｉｏｄｉｃ、ｐｅｒｉｏｄｉｃ、またはｓｅｍｉ−ｐｅｒｓｉｓｔｅｎｔに設定できる。
【０２５５】
Ｐｅｒｉｏｄｉｃ及びｓｅｍｉ−ｐｅｒｓｉｓｔｅｎｔ  ＣＳＩ  ｒｅｓｏｕｒｃｅ  ｓｅｔｔｉｎｇに対し、設定されたＣＳＩ−ＲＳ  ｒｅｓｏｕｒｃｅ  ｓｅｔの数（Ｓ）は‘１’に制限される。
【０２５６】
Ｐｅｒｉｏｄｉｃ及びｓｅｍｉ−ｐｅｒｓｉｓｔｅｎｔ  ＣＳＩ  ｒｅｓｏｕｒｃｅ  ｓｅｔｔｉｎｇに対し、設定された周期（ｐｅｒｉｏｄｉｃｉｔｙ）及びスロットオフセット（ｓｌｏｔ  ｏｆｆｓｅｔ）はｂｗｐ−ｉｄにより与えられるように、関連したＤＬ  ＢＷＰのｎｕｍｅｒｏｌｏｇｙで与えられる。
【０２５７】
ＵＥが同一のＮＺＰ  ＣＳＩ−ＲＳ  ｒｅｓｏｕｒｃｅ  ＩＤを含む多数のＣＳＩ−Ｒｅｓｏｕｒｃｅ  Ｃｏｎｆｉｇに設定される時、同一のｔｉｍｅ  ｄｏｍａｉｎ  ｂｅｈａｖｉｏｒはＣＳＩ−ＲｅｓｏｕｒｃｅＣｏｎｆｉｇに対して設定される。
【０２５８】
ＵＥが同一のＣＳＩ−ＩＭ  ｒｅｓｏｕｒｃｅ  ＩＤを含む多数のＣＳＩ−ＲｅｓｏｕｒｃｅＣｏｎｆｉｇに設定される時、同一のｔｉｍｅ  ｄｏｍａｉｎ  ｂｅｈａｖｉｏｒはＣＳＩ−ＲｅｓｏｕｒｃｅＣｏｎｆｉｇに対して設定される。
【０２５９】
次に、ｃｈａｎｎｅｌ  ｍｅａｓｕｒｅｍｅｎｔ（ＣＭ）及びｉｎｔｅｒｆｅｒｅｎｃｅ  ｍｅａｓｕｒｅｍｅｎｔ（ＩＭ）のための１つまたはそれ以上のＣＳＩ  ｒｅｓｏｕｒｃｅ  ｓｅｔｔｉｎｇは、ｈｉｇｈｅｒ  ｌａｙｅｒ  ｓｉｇｎａｌｉｎｇを通じて設定される。
【０２６０】
−ｉｎｔｅｒｆｅｒｅｎｃｅ  ｍｅａｓｕｒｅｍｅｎｔに対するＣＳＩ−ＩＭ  ｒｅｓｏｕｒｃｅ。
【０２６１】
−ｉｎｔｅｒｆｅｒｅｎｃｅ  ｍｅａｓｕｒｅｍｅｎｔに対するＮＺＰ  ＣＳＩ−ＲＳリソース。
【０２６２】
−ｃｈａｎｎｅｌ  ｍｅａｓｕｒｅｍｅｎｔに対するＮＺＰ  ＣＳＩ−ＲＳリソース。
【０２６３】
即ち、ＣＭＲ（ｃｈａｎｎｅｌ  ｍｅａｓｕｒｅｍｅｎｔ  ｒｅｓｏｕｒｃｅ）はＣＳＩ  ａｃｑｕｉｓｉｔｉｏｎのためのＮＺＰ  ＣＳＩ−ＲＳでありえて、ＩＭＲ（Ｉｎｔｅｒｆｅｒｅｎｃｅ  ｍｅａｓｕｒｅｍｅｎｔ  ｒｅｓｏｕｒｃｅ）はＣＳＩ−ＩＭとＩＭのためのＮＺＰ  ＣＳＩ−ＲＳでありうる。
【０２６４】
ここで、ＣＳＩ−ＩＭ（または、ＩＭのためのＺＰ  ＣＳＩ−ＲＳ）は主にｉｎｔｅｒ−ｃｅｌｌ  ｉｎｔｅｒｆｅｒｅｎｃｅ  ｍｅａｓｕｒｅｍｅｎｔに対して使われる。
【０２６５】
そして、ＩＭのためのＮＺＰ  ＣＳＩ−ＲＳは主にｍｕｌｔｉ−ｕｓｅｒからｉｎｔｒａ−ｃｅｌｌ  ｉｎｔｅｒｆｅｒｅｎｃｅ  ｍｅａｓｕｒｅｍｅｎｔのために使われる。
【０２６６】
ＵＥは、チャネル測定のためのＣＳＩ−ＲＳ  ｒｅｓｏｕｒｃｅ及び１つのＣＳＩ  ｒｅｐｏｒｔｉｎｇのために設定されたｉｎｔｅｒｆｅｒｅｎｃｅ  ｍｅａｓｕｒｅｍｅｎｔのためのＣＳＩ−ＩＭ／ＮＺＰ  ＣＳＩ−ＲＳ  ｒｅｓｏｕｒｃｅがリソース別に‘ＱＣＬ−ＴｙｐｅＤ’と仮定することができる。
【０２６７】
リソースセッティング設定（ｒｅｓｏｕｒｃｅ  ｓｅｔｔｉｎｇ  ｃｏｎｆｉｇｕｒａｔｉｏｎ）
【０２６８】
説明したように、ｒｅｓｏｕｒｃｅ  ｓｅｔｔｉｎｇはｒｅｓｏｕｒｃｅ  ｓｅｔ  ｌｉｓｔを意味することができる。
【０２６９】
ａｐｅｒｉｏｄｉｃ  ＣＳＩに対し、ｈｉｇｈｅｒ  ｌａｙｅｒ  ｐａｒａｍｅｔｅｒ  ＣＳＩ−ＡｐｅｒｉｏｄｉｃＴｒｉｇｇｅｒＳｔａｔｅを使用して設定される各トリガー状態（ｔｒｉｇｇｅｒ  ｓｔaｔｅ）は各々のＣＳＩ−ＲｅｐｏｒｔＣｏｎｆｉｇがｐｅｒｉｏｄｉｃ、ｓｅｍｉ−ｐｅｒｓｉｓｔｅｎｔ、またはａｐｅｒｉｏｄｉｃ  ｒｅｓｏｕｒｃｅ  ｓｅｔｔｉｎｇにリンクされる１つまたは多数のＣＳＩ−ＲｅｐｏｒｔＣｏｎｆｉｇと関連する。
【０２７０】
１つのｒｅｐｏｒｔｉｎｇ  ｓｅｔｔｉｎｇは最大３個までのｒｅｓｏｕｒｃｅ  ｓｅｔｔｉｎｇと接続できる。
【０２７１】
−１つのｒｅｓｏｕｒｃｅ  ｓｅｔｔｉｎｇが設定されれば、（ｈｉｇｈｅｒ  ｌａｙｅｒ  ｐａｒａｍｅｔｅｒ  ｒｅｓｏｕｒｃｅｓＦｏｒｃｈａｎｎｅｌＭｅａｓｕｒｅｍｅｎｔにより与えられる）ｒｅｓｏｕｒｃｅ  ｓｅｔｔｉｎｇはＬ１−ＲＳＲＰ  ｃｏｍｐｕｔａｔｉｏｎのためのｃｈａｎｎｅｌ  ｍｅａｓｕｒｅｍｅｎｔに対するものである。
【０２７２】
−２つのｒｅｓｏｕｒｃｅ  ｓｅｔｔｉｎｇが設定されれば（ｈｉｇｈｅｒ  ｌａｙｅｒ  ｐａｒａｍｅｔｅｒ  ｒｅｓｏｕｒｃｅｓＦｏｒＣｈａｎｎｅｌＭｅａｓｕｒｅｍｅｎｔにより与えられる）、最初のｒｅｓｏｕｒｃｅ  ｓｅｔｔｉｎｇはｃｈａｎｎｅｌ  ｍｅａｓｕｒｅｍｅｎｔのためのものであり、（ｃｓｉ−ＩＭ−ＲｅｓｏｕｒｃｅｓＦｏｒＩｎｔｅｒｆｅｒｅｎｃｅまたはｎｚｐ−ＣＳＩ−ＲＳ−ＲｅｓｏｕｒｃｅｓＦｏｒＩｎｔｅｒｆｅｒｅｎｃｅにより与えられる）２番目のｒｅｓｏｕｒｃｅ  ｓｅｔｔｉｎｇはＣＳＩ−ＩＭまたはＮＺＰ  ＣＳＩ−ＲＳ上で遂行されるｉｎｔｅｒｆｅｒｅｎｃｅ  ｍｅａｓｕｒｅｍｅｎｔのためのものである。
【０２７３】
−３個のｒｅｓｏｕｒｃｅ  ｓｅｔｔｉｎｇが設定されれば、（ｒｅｓｏｕｒｃｅｓＦｏｒＣｈａｎｎｅｌＭｅａｓｕｒｅｍｅｎｔにより与えられる）最初のｒｅｓｏｕｒｃｅ  ｓｅｔｔｉｎｇはｃｈａｎｎｅｌ  ｍｅａｓｕｒｅｍｅｎｔのためのものであり、（ｃｓｉ−ＩＭ−ＲｅｓｏｕｒｃｅｓＦｏｒＩｎｔｅｒｆｅｒｅｎｃｅにより与えられる）２番目のｒｅｓｏｕｒｃｅ  ｓｅｔｔｉｎｇはＣＳＩ−ＩＭ基盤のｉｎｔｅｒｆｅｒｅｎｃｅ  ｍｅａｓｕｒｅｍｅｎｔのためのものであり、（ｎｚｐ−ＣＳＩ−ＲＳ−ＲｅｓｏｕｒｃｅｓＦｏｒＩｎｔｅｒｆｅｒｅｎｃｅにより与えられる）３番目のｒｅｓｏｕｒｃｅ  ｓｅｔｔｉｎｇはＮＺＰ  ＣＳＩ−ＲＳ基盤のｉｎｔｅｒｆｅｒｅｎｃｅ  ｍｅａｓｕｒｅｍｅｎｔのためのものである。
【０２７４】
Ｓｅｍｉ−ｐｅｒｓｉｓｔｅｎｔまたはｐｅｒｉｏｄｉｃ  ＣＳＩに対し、各ＣＳＩ−ＲｅｐｏｒｔＣｏｎｆｉｇはｐｅｒｉｏｄｉｃまたはｓｅｍｉ−ｐｅｒｓｉｓｔｅｎｔ  ｒｅｓｏｕｒｃｅ  ｓｅｔｔｉｎｇにリンクされる。
【０２７５】
−（ｒｅｓｏｕｒｃｅｓＦｏｒＣｈａｎｎｅｌＭｅａｓｕｒｅｍｅｎｔにより与えられる）１つのｒｅｓｏｕｒｃｅ  ｓｅｔｔｉｎｇが設定されれば、前記ｒｅｓｏｕｒｃｅ  ｓｅｔｔｉｎｇはＬ１−ＲＳＲＰ  ｃｏｍｐｕｔａｔｉｏｎのためのｃｈａｎｎｅｌ  ｍｅａｓｕｒｅｍｅｎｔに対するものである。
【０２７６】
−２つのｒｅｓｏｕｒｃｅ  ｓｅｔｔｉｎｇが設定されれば、（ｒｅｓｏｕｒｃｅｓＦｏｒＣｈａｎｎｅｌＭｅａｓｕｒｅｍｅｎｔにより与えられる）最初のｒｅｓｏｕｒｃｅ  ｓｅｔｔｉｎｇはｃｈａｎｎｅｌ  ｍｅａｓｕｒｅｍｅｎｔのためのものであり、（ｈｉｇｈｅｒ  ｌａｙｅｒ  ｐａｒａｍｅｔｅｒ  ｃｓｉ−ＩＭ−ＲｅｓｏｕｒｃｅｓＦｏｒＩｎｔｅｒｆｅｒｅｎｃｅにより与えられる）２番目のｒｅｓｏｕｒｃｅ  ｓｅｔｔｉｎｇはＣＳＩ−ＩＭ上で遂行されるｉｎｔｅｒｆｅｒｅｎｃｅ  ｍｅａｓｕｒｅｍｅｎｔのために使われる。
【０２７７】
ＣＳＩ  ｍｅａｓｕｒｅｍｅｎｔ関連ＣＳＩ  ｃｏｍｐｕｔａｔｉｏｎに対して説明する。
【０２７８】
干渉測定がＣＳＩ−ＩＭ上で遂行されれば、チャネル測定のための各々のＣＳＩ−ＲＳ  ｒｅｓｏｕｒｃｅは対応するｒｅｓｏｕｒｃｅ  ｓｅｔ内でＣＳＩ−ＲＳ  ｒｅｓｏｕｒｃｅ及びＣＳＩ−ＩＭ  ｒｅｓｏｕｒｃｅの順序によりＣＳＩ−ＩＭ  ｒｅｓｏｕｒｃｅとリソース別に関連する。
【０２７９】
チャネル測定のためのＣＳＩ−ＲＳ  ｒｅｓｏｕｒｃｅの数はＣＳＩ−ＩＭ  ｒｅｓｏｕｒｃｅの数と同一である。
【０２８０】
そして、ｉｎｔｅｒｆｅｒｅｎｃｅ  ｍｅａｓｕｒｅｍｅｎｔがＮＺＰ  ＣＳＩ−ＲＳで遂行される場合、ＵＥはチャネル測定のためのｒｅｓｏｕｒｃｅ  ｓｅｔｔｉｎｇ内で関連したｒｅｓｏｕｒｃｅ  ｓｅｔで１つ以上のＮＺＰ  ＣＳＩ−ＲＳ  ｒｅｓｏｕｒｃｅに設定されることと期待しない。
【０２８１】
Ｈｉｇｈｅｒ  ｌａｙｅｒ  ｐａｒａｍｅｔｅｒ  ｎｚｐ−ＣＳＩ−ＲＳ−ＲｅｓｏｕｒｃｅｓＦｏｒＩｎｔｅｒｆｅｒｅｎｃｅが設定された端末はＮＺＰ  ＣＳＩ−ＲＳ  ｒｅｓｏｕｒｃｅ  ｓｅｔ内に１８個以上のＮＺＰ  ＣＳＩ−ＲＳ  ｐｏｒｔが設定されることを期待しない。
【０２８２】
ＣＳＩの測定のために、端末は以下の事項を仮定する。
【０２８３】
−干渉測定のために設定された各々のＮＺＰ  ＣＳＩ−ＲＳ  ｐｏｒｔは干渉転送層に該当する。
【０２８４】
−干渉測定のためのＮＺＰ  ＣＳＩ−ＲＳ  ｐｏｒｔの全ての干渉転送レイヤはＥＰＲＥ（ｅｎｅｒｇｙ  ｐｅｒ  ｒｅｓｏｕｒｃｅ  ｅｌｅｍｅｎｔ）比率を考慮する。
【０２８５】
−チャネル測定のためのＮＺＰ  ＣＳＩ−ＲＳ  ｒｅｓｏｕｒｃｅのＲＥ（ｓ）上で他の干渉信号、干渉測定のためのＮＺＰ  ＣＳＩ−ＲＳ  ｒｅｓｏｕｒｃｅまたは干渉測定のためのＣＳＩ−ＩＭ  ｒｅｓｏｕｒｃｅ。
【０２８６】
ＣＳＩ報告（Ｒｅｐｏｒｔｉｎｇ）手続きに対し、より具体的に説明する。
【０２８７】
ＣＳＩ報告のために、ＵＥが使用することができるｔｉｍｅ及びｆｒｅｑｕｅｎｃｙリソースは基地局により制御される。
【０２８８】
ＣＳＩ（ｃｈａｎｎｅｌ  ｓｔａｔｅ  ｉｎｆｏｒｍａｔｉｏｎ）は、チャネル品質指示子（ｃｈａｎｎｅｌ  ｑｕａｌｉｔｙ  ｉｎｄｉｃａｔｏｒ、ＣＱＩ）、プリコーディング行列指示子（ｐｒｅｃｏｄｉｎｇ  ｍａｔｒｉｘ  ｉｎｄｉｃａｔｏｒ、ＰＭＩ）、ＣＳＩ−ＲＳ  ｒｅｓｏｕｒｃｅ  ｉｎｄｉｃａｔｏｒ（ＣＲＩ）、ＳＳ／ＰＢＣＨ  ｂｌｏｃｋ  ｒｅｓｏｕｒｃｅ  ｉｎｄｉｃａｔｏｒ（ＳＳＢＲＩ）、ｌａｙｅｒ  ｉｎｄｉｃａｔｏｒ（ＬＩ）、ｒａｎｋ  ｉｎｄｉｃａｔｏｒ（ＲＩ）、またはＬ１−ＲＳＲＰのうち、少なくとも１つを含むことができる。
【０２８９】
ＣＱＩ、ＰＭＩ、ＣＲＩ、ＳＳＢＲＩ、ＬＩ、ＲＩ、Ｌ１−ＲＳＲＰに対し、端末はＮ≧１  ＣＳＩ−ＲｅｐｏｒｔＣｏｎｆｉｇｒｅｐｏｒｔｉｎｇ  ｓｅｔｔｉｎｇ、Ｍ≧１  ＣＳＩ−ＲｅｓｏｕｒｃｅＣｏｎｆｉｇ  ｒｅｓｏｕｒｃｅ  ｓｅｔｔｉｎｇ、及び１つまたは２つのｔｒｉｇｇｅｒ  ｓｔａｔｅのリスト（ａｐｅｒｉｏｄｉｃＴｒｉｇｇｅｒＳｔａｔｅＬｉｓｔ及びｓｅｍｉＰｅｒｓｉｓｔｅｎｔＯｎＰＵＳＣＨ−ＴｒｉｇｇｅｒＳｔａｔｅＬｉｓｔにより提供される）でｈｉｇｈｅｒ  ｌａｙｅｒにより設定される。
【０２９０】
前記ａｐｅｒｉｏｄｉｃＴｒｉｇｇｅｒＳｔａｔｅＬｉｓｔで、各ｔｒｉｇｇｅｒ  ｓｔａｔｅはｃｈａｎｎｅｌ及び選択的にｉｎｔｅｒｆｅｒｅｎｃｅ対するｒｅｓｏｕｒｃｅ  ｓｅｔ  ＩＤを指示する関連したＣＳＩ−ＲｅｐｏｒｔＣｏｎｆｉｇｓリストを含む。
【０２９１】
前記ｓｅｍｉＰｅｒｓｉｓｔｅｎｔＯｎＰＵＳＣＨ−ＴｒｉｇｇｅｒＳｔａｔｅＬｉｓｔで、各ｔｒｉｇｇｅｒ  ｓｔａｔｅは１つの関連したＣＳＩ−ＲｅｐｏｒｔＣｏｎｆｉｇが含まれる。
【０２９２】
そして、ＣＳＩ  ｒｅｐｏｒｔｉｎｇのｔｉｍｅ  ｄｏｍａｉｎ  ｂｅｈａｖｉｏｒはｐｅｒｉｏｄｉｃ、ｓｅｍｉ−ｐｅｒｓｉｓｔｅｎｔ、ａｐｅｒｉｏｄｉｃを支援する。
【０２９３】
以下、ｐｅｒｉｏｄｉｃ、ｓｅｍｉ−ｐｅｒｓｉｓｔｅｎｔ（ＳＰ）、ａｐｅｒｉｏｄｉｃ  ＣＳＩ  ｒｅｐｏｒｔｉｎｇに対し、各々説明する。
【０２９４】
ｐｅｒｉｏｄｉｃ  ＣＳＩ  ｒｅｐｏｒｔｉｎｇは、ｓｈｏｒｔ  ＰＵＣＣＨ、ｌｏｎｇ  ＰＵＣＣＨ上で遂行される。
【０２９５】
Ｐｅｒｉｏｄｉｃ  ＣＳＩ  ｒｅｐｏｒｔｉｎｇの周期（ｐｅｒｉｏｄｉｃｉｔｙ）及びスロットオフセット（ｓｌｏｔ  ｏｆｆｓｅｔ）はＲＲＣに設定されることができ、ＣＳＩ−ＲｅｐｏｒｔＣｏｎｆｉｇ  ＩＥを参照する。
【０２９６】
次に、ＳＰ  ＣＳＩ  ｒｅｐｏｒｔｉｎｇはｓｈｏｒｔ  ＰＵＣＣＨ、ｌｏｎｇ  ＰＵＣＣＨ、またはＰＵＳＣＨ上で遂行される。
【０２９７】
Ｓｈｏｒｔ／ｌｏｎｇ  ＰＵＣＣＨ上でＳＰ  ＣＳＩの場合、周期（ｐｅｒｉｏｄｉｃｉｔｙ）及びスロットオフセット（ｓｌｏｔ  ｏｆｆｓｅｔ）はＲＲＣに設定され、別途のＭＡＣ  ＣＥにＣＳＩ報告がａｃｔｉｖａｔｉｏｎ／ｄｅａｃｔｉｖａｔｉｏｎされる。
【０２９８】
ＰＵＳＣＨ上でＳＰ  ＣＳＩの場合、ＳＰ  ＣＳＩ  ｒｅｐｏｒｔｉｎｇのｐｅｒｉｏｄｉｃｉｔｙはＲＲＣに設定されるが、ｓｌｏｔ  ｏｆｆｓｅｔはＲＲＣに設定されず、ＤＣＩ（ｆｏｒｍａｔ  ０＿１）によりＳＰ  ＣＳＩ  ｒｅｐｏｒｔｉｎｇは活性化／不活性化（ａｃｔｉｖａｔｉｏｎ／ｄｅａｃｔｉｖａｔｉｏｎ）される。
【０２９９】
最初のＣＳＩ報告タイミングはＤＣＩで指示されるＰＵＳＣＨ  ｔｉｍｅ  ｄｏｍａｉｎ  ａｌｌｏｃａｔｉｏｎ値に従い、後続するＣＳＩ報告タイミングはＲＲＣに設定された周期に従う。
【０３００】
ＰＵＳＣＨ上でＳＰ  ＣＳＩ  ｒｅｐｏｒｔｉｎｇに対し、分離されたＲＮＴＩ（ＳＰ−ＣＳＩ  Ｃ−ＲＮＴＩ）が使われる。
【０３０１】
ＤＣＩ  ｆｏｒｍａｔ  ０＿１はＣＳＩ  ｒｅｑｕｅｓｔ  ｆｉｅｌｄを含み、特定ｃｏｎｆｉｇｕｒｅｄ  ＳＰ−ＣＳＩ  ｔｒｉｇｇｅｒ  ｓｔａｔｅをａｃｔｉｖａｔｉｏｎ／ｄｅａｃｔｉｖａｔｉｏｎすることができる。
【０３０２】
そして、ＳＰ  ＣＳＩ  ｒｅｐｏｒｔｉｎｇは、ＳＰＳ  ＰＵＳＣＨ上でｄａｔａ転送を有するｍｅｃｈａｎｉｓｍと同一または類似の活性化／不活性化を有する。
【０３０３】
次に、ａｐｅｒｉｏｄｉｃ  ＣＳＩ  ｒｅｐｏｒｔｉｎｇはＰＵＳＣＨ上で遂行され、ＤＣＩによりｔｒｉｇｇｅｒされる。
【０３０４】
ＡＰ  ＣＳＩ−ＲＳを有するＡＰ  ＣＳＩの場合、ＡＰ  ＣＳＩ−ＲＳ  ｔｉｍｉｎｇはＲＲＣにより設定される。
【０３０５】
ここで、ＡＰ  ＣＳＩ  ｒｅｐｏｒｔｉｎｇに対するｔｉｍｉｎｇはＤＣＩにより動的に制御される。
【０３０６】
ＮＲはＬＴＥでＰＵＣＣＨ基盤のＣＳＩ報告に適用されていた多数のｒｅｐｏｒｔｉｎｇ  ｉｎｓｔａｎｃｅでＣＳＩを分けて報告する方式（例えば、ＲＩ、ＷＢＰＭＩ／ＣＱＩ、ＳＢ  ＰＭＩ／ＣＱＩの順に転送）が適用されない。
【０３０７】
代わりに、ＮＲはｓｈｏｒｔ／ｌｏｎｇ  ＰＵＣＣＨで特定ＣＳＩ報告が設定できないように制限し、ＣＳＩ  ｏｍｉｓｓｉｏｎ  ｒｕｌｅが定義される。
【０３０８】
そして、ＡＰ  ＣＳＩ  ｒｅｐｏｒｔｉｎｇ  ｔｉｍｉｎｇと関連して、ＰＵＳＣＨ  ｓｙｍｂｏｌ／ｓｌｏｔ  ｌｏｃａｔｉｏｎはＤＣＩにより動的に指示される。そして、ｃａｎｄｉｄａｔｅ  ｓｌｏｔ  ｏｆｆｓｅｔはＲＲＣにより設定される。
【０３０９】
ＣＳＩ  ｒｅｐｏｒｔｉｎｇに対し、ｓｌｏｔ  ｏｆｆｓｅｔ（Ｙ）はｒｅｐｏｒｔｉｎｇ  ｓｅｔｔｉｎｇ別に設定される。
【０３１０】
ＵＬ−ＳＣＨに対し、ｓｌｏｔ  ｏｆｆｓｅｔ  Ｋ２は別個に設定される。
【０３１１】
２つのＣＳＩ  ｌａｔｅｎｃｙ  ｃｌａｓｓ（ｌｏｗ  ｌａｔｅｎｃｙ  ｃｌａｓｓ、ｈｉｇｈ  ｌａｔｅｎｃｙ  ｃｌａｓｓ）はＣＳＩ  ｃｏｍｐｕｔａｔｉｏｎ  ｃｏｍｐｌｅｘｉｔｙの観点から定義される。
【０３１２】
Ｌｏｗ  ｌａｔｅｎｃｙ  ＣＳＩの場合、最大４ｐｏｒｔｓ  Ｔｙｐｅ−Ｉ  ｃｏｄｅｂｏｏｋまたは最大４−ｐｏｒｔｓ  ｎｏｎ−ＰＭＩ  ｆｅｅｄｂａｃｋ  ＣＳＩを含むＷＢ  ＣＳＩである。
【０３１３】
Ｈｉｇｈ  ｌａｔｅｎｃｙ  ＣＳＩはｌｏｗ  ｌａｔｅｎｃｙ  ＣＳＩを除外した他のＣＳＩをいう。
【０３１４】
Ｎｏｒｍａｌ端末に対し、（Ｚ、Ｚ’）はＯＦＤＭ  ｓｙｍｂｏｌのｕｎｉｔで定義される。
【０３１５】
Ｚは、Ａｐｅｒｉｏｄｉｃ  ＣＳＩ  ｔｒｉｇｇｅｒｉｎｇ  ＤＣＩを受信した後、ＣＳＩ報告を遂行するまでの最小ＣＳＩ  ｐｒｏｃｅｓｓｉｎｇ  ｔｉｍｅを示す。
【０３１６】
Ｚ’は、ｃｈａｎｎｅｌ／ｉｎｔｅｒｆｅｒｅｎｃｅに対するＣＳＩ−ＲＳを受信した後、ＣＳＩ報告を遂行するまでの最小ＣＳＩ  ｐｒｏｃｅｓｓｉｎｇ  ｔｉｍｅを示す。
【０３１７】
追加で、端末は同時にｃａｌｃｕｌａｔｉｏｎできるＣＳＩの個数をｒｅｐｏｒｔする。
【０３１８】
ＰＵＳＣＨを用いたＣＳＩ報告（ＣＳＩ  ｒｅｐｏｒｔｉｎｇ  ｕｓｉｎｇ  ＰＵＳＣＨ）
【０３１９】
図１０は、ＰＵＳＣＨ基盤のＣＳＩ  ｒｅｐｏｒｔｉｎｇの情報ペイロード（ｐａｙｌｏａｄ）の一例を示す。
【０３２０】
ＮＺＢＩは、Ｔｙｐｅ  ＩＩ  ＰＭＩコードブックに対してｌａｙｅｒ別ｎｏｎ−ｚｅｒｏ  ｗｉｄｅｂａｎｄ  ａｍｐｌｉｔｕｄｅ  ｃｏｅｆｆｉｃｉｅｎｔｓの個数に対するｉｎｄｉｃａｔｉｏｎを示すｐａｒａｍｅｔｅｒである。
【０３２１】
即ち、ＮＺＢＩはＴｙｐｅ  ＩＩ  ＰＭＩコードブックに対してｌａｙｅｒ別ｎｏｎ−ｚｅｒｏ  ｗｉｄｅｂａｎｄ  ａｍｐｌｉｔｕｄｅ  ｃｏｅｆｆｉｃｉｅｎｔｓの個数に対するｉｎｄｉｃａｔｉｏｎを示すｐａｒａｍｅｔｅｒである。
【０３２２】
即ち、ＮＺＢＩは０または０でない相対的振幅係数を示す指示子である。
【０３２３】
または、ＮＺＢＩはｚｅｒｏ  ａｍｐｌｉｔｕｄｅビームまたはｎｏｎ−ｚｅｒｏ  ａｍｐｌｉｔｕｄｅビームの数を示すことができ、Ｎ＿ＲＰＩ０と称されることができる。
【０３２４】
ＤＣＩに対するデコーディングが成功する場合、端末はサービングセル（ｃ）のＰＵＳＣＨを使用してａｐｅｒｉｏｄｉｃ  ＣＳＩ報告を遂行する。
【０３２５】
ＰＵＳＣＨで遂行されるａｐｅｒｉｏｄｉｃ  ＣＳＩ  ｒｅｐｏｒｔｉｎｇはｗｉｄｅｂａｎｄ及びｓｕｂ−ｂａｎｄ周波数細分性（ｆｒｅｑｕｅｎｃｙ  ｇｒａｎｕｌａｒｉｔｙ）を支援する。
【０３２６】
ＰＵＳＣＨで遂行されるａｐｅｒｉｏｄｉｃ  ＣＳＩ  ｒｅｐｏｒｔｉｎｇは、Ｔｙｐｅ  Ｉ及びＴｙｐｅ  ＩＩ  ＣＳＩを支援する。
【０３２７】
ＳＰ（ｓｅｍｉ−ｐｅｒｓｉｓｔｅｎｔ）ＣＳＩ  ｔｒｉｇｇｅｒ  ｓｔａｔｅを活性化するＤＣＩフォーマット０＿１に対するデコーディングが成功する場合、端末はＰＵＳＣＨに対するＳＰ  ＣＳＩ報告を遂行する。
【０３２８】
ＤＣＩ  ｆｏｒｍａｔ  ０＿１は活性化または不活性化するＳＰ  ＣＳＩ  ｔｒｉｇｇｅｒ  ｓｔａｔｅを示すＣＳＩ要求フィールド（ｒｅｑｕｅｓｔ  ｆｉｅｌｄ）を含む。
【０３２９】
ＰＵＳＣＨに対するＳＰ  ＣＳＩ  ｒｅｐｏｒｔはｗｉｄｅｂａｎｄ及びｓｕｂ−ｂａｎｄ周波数細分性を有するＴｙｐｅ  Ｉ及びＴｙｐｅ  ＩＩ  ＣＳＩを支援する。
【０３３０】
ＳＰ  ＣＳＩ報告に対するＰＵＳＣＨ  ｒｅｓｏｕｒｃｅ及びＭＣＳ（Ｍｏｄｕｌａｔｉｏｎ  ａｎｄ  Ｃｏｄｉｎｇ  Ｓｃｈｅｍｅ）はＵＬ  ＤＣＩにより半永久的に割り当てられる。
【０３３１】
ＰＵＳＣＨに対するＣＳＩ  ｒｅｐｏｒｔは、ＰＵＳＣＨ上のＵＬ  ｄａｔａとｍｕｌｔｉｐｌｅｘｉｎｇできる。
【０３３２】
また、ＰＵＳＣＨに対するＣＳＩ  ｒｅｐｏｒｔｉｎｇはＵＬ  ｄａｔａとマルチプレキシング無しで遂行できる。
【０３３３】
ＰＵＳＣＨ上でＴｙｐｅ  Ｉ及びＴｙｐｅ  ＩＩ  ＣＳＩに対し、ＣＳＩ  ｒｅｐｏｒｔｉｎｇは図１１に図示したように、２つのパート（パート１及びパート２）を含む。
【０３３４】
パート１（１０１０）はパート２（１０２０）の情報ビット数を識別することに使われる。パート１はパート２の以前に全体が転送される。
【０３３５】
−Ｔｙｐｅ  Ｉ  ＣＳＩ  ｆｅｅｄｂａｃｋに対し、パート１は（報告された場合）ＲＩ、（報告された場合）ＣＲＩ、最初のコードワード（ｃｏｄｅｗｏｒｄ）のＣＱＩを含む。
【０３３６】
パート２はＰＭＩを含み、ＲＩ＞４の時、２番目のｃｏｄｅｗｏｒｄに対するＣＱＩを含む。
【０３３７】
−Ｔｙｐｅ  ＩＩ  ＣＳＩ  ｆｅｅｄｂａｃｋに対し、パート１は固定されたペイロードサイズを有し、ＲＩ、ＣＱＩ、及びＴｙｐｅ  ＩＩ  ＣＳＩに対するｌａｙｅｒ当たりｎｏｎ−ｚｅｒｏ  ｗｉｄｅｂａｎｄ  ａｍｐｌｉｔｕｄｅ  ｃｏｅｆｆｉｃｉｅｎｔの個数に対するｉｎｄｉｃａｔｉｏｎ（ＮＺＢＩ）を含む。
【０３３８】
パート１で、ＲＩ、ＣＱＩ、及びＮＺＢＩは別途にエンコーディングされる。
【０３３９】
パート２はＴｙｐｅ  ＩＩ  ＣＳＩのＰＭＩを含む。
【０３４０】
パート１とパート２は別途にエンコーディングされる。
【０３４１】
ＰＵＳＣＨ上で運搬されるＴｙｐｅ  ＩＩ  ＣＳＩ  ｒｅｐｏｒｔはＰＵＣＣＨ  ｆｏｒｍａｔ  １、３、または４で運搬される全てのＴｙｐｅ  ＩＩ  ＣＳＩ  ｒｅｐｏｒｔｉｎｇと独立して計算される。
【０３４２】
上位層媒介変数ｒｅｐｏｒｔＱｕａｎｔｉｔｙが‘ｃｒｉ−ＲＳＲＰ’または‘ｓｓｂ−Ｉｎｄｅｘ−ＲＳＲＰ’値のうちの１つに設定されれば、ＣＳＩフィードバックは１つの（ｓｉｎｇｌｅ）パートで構成される。
【０３４３】
ＰＵＣＣＨに対して設定されたが、ＰＵＳＣＨから転送されるＴｙｐｅ  Ｉ及びＴｙｐｅ  ＩＩ  ＣＳＩ  ｒｅｐｏｒｔｉｎｇに対し、ｅｎｃｏｄｉｎｇ  ｓｃｈｅｍｅはＰＵＣＣＨのエンコーディング方式に従う。
【０３４４】
ＰＵＳＣＨで、ＣＳＩ  ｒｅｐｏｒｔｉｎｇが２つのパートを含み、報告するＣＳＩ  ｐａｙｌｏａｄがＣＳＩ報告のために割り当てられたＰＵＳＣＨリソースで提供するｐａｙｌｏａｄサイズより不足した場合、端末はパート２  ＣＳＩの一部を省略することができる。
【０３４５】
パート２  ＣＳＩの省略（ｏｍｉｓｓｉｏｎ）は優先順位によって決定され、Ｐｒｉｏｒｉｔｙ  ０が最も高い優先順位であり、優先順位は最も低い優先順位を有する。
【０３４６】
ＰＵＣＣＨを用いたＣＳＩ報告（ＣＳＩ  ｒｅｐｏｒｔｉｎｇ  ｕｓｉｎｇ  ＰＵＣＣＨ）
【０３４７】
端末はＰＵＣＣＨ上で周期的なＣＳＩ  ｒｅｐｏｒｔを遂行するためにｈｉｇｈｅｒ  ｌａｙｅｒにより半静的に（ｓｅｍｉ−ｓｔａｔｉｃａｌｌｙ）構成される。
【０３４８】
端末は、関連したＣＳＩ  ｍｅａｓｕｒｅｍｅｎｔ  ｌｉｎｋ及びＣＳＩ  ｒｅｓｏｕｒｃｅ  ｓｅｔｔｉｎｇがｈｉｇｈｅｒ  ｌａｙｅｒに設定された１つ以上の上位層に設定されたＣＳＩ  ｒｅｐｏｒｔ  ｓｅｔｔｉｎｇ  ｉｎｄｉｃａｔｉｏｎに該当する多数の周期的ＣＳＩ  ｒｅｐｏｒｔに対して上位層に設定できる。
【０３４９】
ＰＵＣＣＨ  ｆｏｒｍａｔ  ２、３、または４で、ｐｅｒｉｏｄｉｃ  ＣＳＩ報告は広帯域単位でＴｙｐｅ  Ｉ  ＣＳＩを支援する。
【０３５０】
ＰＵＳＣＨ上でＳＰ  ＣＳＩに対し、端末はｓｅｌｅｃｔｉｏｎ  ｃｏｍｍａｎｄを運搬するＰＤＳＣＨに対応するＨＡＲＱ−ＡＣＫがｓｌｏｔ  ｎで転送された後、
2020517158.tif 000049
から始めて適用されたＰＵＣＣＨでＳＰ  ＣＳＩ  ｒｅｐｏｒｔを遂行する。
【０３５１】
前記ｓｅｌｅｃｔｉｏｎ  ｃｏｍｍａｎｄは関連したＣＳＩ  ｒｅｓｏｕｒｃｅ  ｓｅｔｔｉｎｇが設定される１つ以上のｒｅｐｏｒｔ  ｓｅｔｔｉｎｇ  ｉｎｄｉｃａｔｉｏｎを含む。
【０３５２】
ＰＵＣＣＨでＳＰ  ＣＳＩ  ｒｅｐｏｒｔはＴｙｐｅ  Ｉ  ＣＳＩを支援する。
【０３５３】
ＰＵＣＣＨ  ｆｏｒｍａｔ  ２に対するＳＰ  ＣＳＩ  ｒｅｐｏｒｔは広帯域周波数細分性を有するＴｙｐｅ  Ｉ  ＣＳＩを支援する。ＰＵＣＣＨ  ｆｏｒｍａｔ  ３または４で、ＳＰ  ＣＳＩ  ｒｅｐｏｒｔは広帯域周波数細分性を有するＴｙｐｅ  Ｉ  ｓｕｂ−ｂａｎｄ  ＣＳＩ及びＴｙｐｅ  ＩＩ  ＣＳＩを支援する。
【０３５４】
ＰＵＣＣＨが広帯域周波数細分性を有するＴｙｐｅ  Ｉ  ＣＳＩを運搬する時、ＰＵＣＣＨ  ｆｏｒｍａｔ  ２及びＰＵＣＣＨ  ｆｏｒｍａｔ  ３または４により運搬されるＣＳＩ  ｐａｙｌｏａｄは（報告された場合）ＲＩ、（報告された場合）ＣＲＩに関わらず同一である。
【０３５５】
ＰＵＣＣＨ  ｆｏｒｍａｔ  ３または４で、Ｔｙｐｅ  Ｉ  ＣＳＩ  ｓｕｂ−ｂａｎｄ  ｒｅｐｏｒｔの場合、ｐａｙｌｏａｄは２つのパートに分離される。
【０３５６】
最初のパート（パート１）は（報告された場合）ＲＩ、（報告された場合）ＣＲＩ、最初のコードワードのＣＱＩを含む。
【０３５７】
２番目のパート（パート２）はＰＭＩを含み、ＲＩ＞４の時、２番目のコードワードに対するＣＱＩを含む。
【０３５８】
ＰＵＣＣＨ  ｆｏｒｍａｔ  ３または４で運搬されるＳＰ  ＣＳＩ  ｒｅｐｏｒｔｉｎｇはＴｙｐｅ  ＩＩ  ＣＳＩ  ｆｅｅｄｂａｃｋを支援するが、Ｔｙｐｅ  ＩＩ  ＣＳＩ  ｆｅｅｄｂａｃｋのパート１のみ支援する。
【０３５９】
Ｔｙｐｅ  ＩＩを支援するＰＵＣＣＨフォーマット３または４で、ＣＳＩ  ｒｅｐｏｒｔはＵＥ  ｃａｐａｂｉｌｉｔｙに依存することができる。
【０３６０】
ＰＵＣＣＨ  ｆｏｒｍａｔ  ３または４で運搬されるＴｙｐｅ  ＩＩ  ＣＳＩ  ｒｅｐｏｒｔ（パート１のみ該当）はＰＵＳＣＨで運搬されるＴｙｐｅ  ＩＩ  ＣＳＩ  ｒｅｐｏｒｔと独立して計算される。
【０３６１】
端末がＰＵＣＣＨ  ｆｏｒｍａｔ  ２、３、または４でＣＳＩ  ｒｅｐｏｒｔｉｎｇに設定される時、各々のＰＵＣＣＨリソースは各々の候補（ｃａｎｄｉｄａｔｅ）ＵＬ  ＢＷＰに対して設定される。
【０３６２】
端末がＰＵＣＣＨでａｃｔｉｖｅ  ＳＰ  ＣＳＩ  ｒｅｐｏｒｔ  ｃｏｎｆｉｇｕｒａｔｉｏｎの設定を受けて、ｄｅａｃｔｉｖａｔｉｏｎ  ｃｏｍｍａｎｄを受信しない場合、ＣＳＩ報告がなされるＢＷＰがａｃｔｉｖｅ  ＢＷＰの時、ＣＳＩ報告が遂行され、そうでなければＣＳＩ報告は一時中止される。前記動作はＰＣＳＩ  ｏｎ  ＰＵＣＣＨの場合も同様に適用される。ＰＵＳＣＨ基盤のＳＰ  ＣＳＩ報告に対してＢＷＰ  ｓｗｉｔｃｈｉｎｇが発生すれば、該当ＣＳＩ報告は自動的にｄｅａｃｔｉｖａｔｉｏｎされたことと理解する。
【０３６３】
表９は、ＰＵＣＣＨ  ｆｏｒｍａｔの一例を示す。
【０３６４】
【表９】
2020517158.tif 000050
【０３６５】
表９で、
2020517158.tif 000051
はＯＦＤＭシンボルでＰＵＣＣＨ転送の長さを示す。
【０３６６】
そして、ＰＵＣＣＨ転送の長さによってＰＵＣＣＨ  ｆｏｒｍａｔはｓｈｏｒｔ  ＰＵＣＣＨまたはｌｏｎｇ  ＰＵＣＣＨに区分される。
【０３６７】
表９で、ＰＵＣＣＨ  ｆｏｒｍａｔ  ０及び２はｓｈｏｒｔ  ＰＵＣＣＨと、ＰＵＣＣＨ  ｆｏｒｍａｔ  １、３、及び４はｌｏｎｇ  ＰＵＣＣＨと称されることができる。
【０３６８】
以下、ＰＵＣＣＨ基盤のＣＳＩ  ｒｅｐｏｒｔｉｎｇに対してｓｈｏｒｔ  ＰＵＣＣＨ基盤のＣＳＩ  ｒｅｐｏｒｔｉｎｇ及びｌｏｎｇ  ＰＵＣＣＨ基盤のＣＳＩ  ｒｅｐｏｒｔｉｎｇに区分して、より具体的に説明する。
【０３６９】
図１１は、ｓｈｏｒｔ  ＰＵＣＣＨ基盤のＣＳＩ  ｒｅｐｏｒｔｉｎｇの情報ｐａｙｌｏａｄに対する一例を示す。
【０３７０】
ｓｈｏｒｔ  ＰＵＣＣＨ基盤のＣＳＩ  ｒｅｐｏｒｔｉｎｇは、ｗｉｄｅｂａｎｄ  ＣＳＩ  ｒｅｐｏｒｔｉｎｇに対してのみ使われる。
【０３７１】
Ｓｈｏｒｔ  ＰＵＣＣＨ基盤のＣＳＩ  ｒｅｐｏｒｔｉｎｇは（ｂｌｉｎｄ  ｄｅｃｏｄｉｎｇを避けるために）与えられたスロットでＲＩ／ＣＲＩに関わらず同一な情報ｐａｙｌｏａｄを有する。
【０３７２】
前記情報ｐａｙｌｏａｄのサイズはＣＳＩ−ＲＳ  ｒｅｓｏｕｒｃｅ  ｓｅｔ内で設定されたＣＳＩ−ＲＳの最も多いＣＳＩ−ＲＳ  ｐｏｒｔによって互いに異なることができる。
【０３７３】
ＰＭＩとＣＱＩを含むｐａｙｌｏａｄがＲＩ／ＣＱＩに多様化される時、ｐａｄｄｉｎｇ  ｂｉｔは互いに異なるＲＩ／ＣＲＩ  ｖａｌｕｅと関連したｐａｙｌｏａｄをｅｑｕａｌｉｚｅするためのｅｎｃｏｄｉｎｇに先にＲＩ／ＣＲＩ／ＰＭＩ／ＣＱＩに追加される。
【０３７４】
そして、ＲＩ／ＣＲＩ／ＰＭＩ／ＣＱＩは、必要な場合、ｐａｄｄｉｎｇ  ｂｉｔと共にエンコーディングできる。
【０３７５】
次に、ｌｏｎｇ  ＰＵＣＣＨ基盤のＣＳＩ  ｒｅｐｏｒｔｉｎｇに対して説明する。
【０３７６】
図１２は、ｌｏｎｇ  ＰＵＣＣＨ基盤のＣＳＩ  ｒｅｐｏｒｔｉｎｇの情報ｐａｙｌｏａｄに対する一例を示す。
【０３７７】
前記ｌｏｎｇ  ＰＵＣＣＨ基盤のＣＳＩ  ｒｅｐｏｒｔｉｎｇは、ｗｉｄｅｂａｎｄ  ｒｅｐｏｒｔｉｎｇに対してｓｈｏｒｔ  ＰＵＣＣＨと同一のｓｏｌｕｔｉｏｎを使用することができる。
【０３７８】
そして、ｌｏｎｇ  ＰＵＣＣＨ基盤のＣＳＩ  ｒｅｐｏｒｔｉｎｇはＲＩ／ＣＲＩに関わらず同一のｐａｙｌｏａｄを有する。
【０３７９】
そして、ｓｕｂｂａｎｄ  ｒｅｐｏｒｔｉｎｇに対し、Ｔｗｏ−パートｅｎｃｏｄｉｎｇ（Ｆｏｒ  Ｔｙｐｅ  Ｉ）が適用される。
【０３８０】
パート１（１２１０）はｐｏｒｔの個数、ＣＳＩ  ｔｙｐｅ、ＲＩ  ｒｅｓｔｒｉｃｔｉｏｎなどによって固定されたｐａｙｌｏａｄを有し、パート２（１２２０）はパート１によって多様なｐａｙｌｏａｄ  ｓｉｚｅを有することができる。
【０３８１】
ＣＲＩ／ＲＩは、ＰＭＩ／ＣＱＩのｐａｙｌｏａｄを決定するために最初にデコーディングできる。
【０３８２】
そして、ＣＱＩｉ（ｉ＝１、２）はｉ番目（ｉ−ｔｈ）コードワード（ｃｏｄｅｗｏｒｄ、ＣＷ）に対するＣＱＩに対応する。
【０３８３】
Ｌｏｎｇ  ＰＵＣＣＨに対してＴｙｐｅ  ＩＩ  ＣＳＩ  ｒｅｐｏｒｔｉｎｇはパート１のみ運搬できる。
【０３８４】
この際、ＮＲのようなシステムで使われるＴｙｐｅ  ＩのＣＳＩ、Ｔｙｐｅ  ＩＩのＣＳＩを考慮する場合、例えば、ｃａｒｒｉｅｒ  ａｇｇｒｅｇａｔｉｏｎ、またはＴｙｐｅ  ＩＩのＣＳＩの場合、ｒａｎｋの増加に従うＰＭＩサイズがほとんど線形的に増加する。
【０３８５】
この場合、ＵＣＩ（Ｕｐｌｉｎｋ  ｃｏｎｔｒｏｌ  ｉｎｆｏｒｍａｔｉｏｎ）のために基地局により割り当てられたリソース（または、符号化率（Ｃｏｄｉｎｇ  Ｒａｔｅ））のサイズより端末により報告されるＣＳＩのサイズ（または、符号化率）がより大きいことがあるという問題点が存在する。
【０３８６】
したがって、本発明はこのような問題を解決するために基地局により割り当てられたリソースによって端末により報告されるＣＳＩのサイズを調節するための方法を提案する。
【０３８７】
図１３は、本明細書で提案する端末が基地局にＣＳＩを報告するための方法の一例を示すフローチャートである。
【０３８８】
図１３を参照すると、端末は基地局から転送されたＣＳＩ−ＲＳに基づいてチャネルを測定し、測定されたＣＳＩを基地局に転送する時、測定されたＣＳＩが基地局から設定された特定条件を満たさない場合、ＣＳＩの一部または全部の報告を省略することができる。
【０３８９】
具体的に、端末は基地局からＣＳＩと関連した構成情報を受信する（Ｓ１３０１０）。端末は、構成情報を通じて報告方法、報告するパラメータなどを認識することができる。
【０３９０】
構成情報は、ＲＲＣまたはＤＣＩ（Ｄｏｗｎｌｉｎｋ  Ｃｏｎｔｒｏｌ  Ｉｎｆｏｒｍａｔｉｏｎ）を通じて転送されることができ、前記構成情報は前記ＣＳＩの受信のための特定条件と関連したしきい値を含むことができる。
【０３９１】
例えば、基地局により割り当てられたＣＳＩのためのリソースより端末によるＣＳＩのサイズが大きい場合、ＣＳＩの一部または全部の省略のための特定条件（例えば、符号化率など）と関連したしきい値を含むことができる。
【０３９２】
この際、特定条件は基地局のＤＣＩなどを通じてダイナミックに設定できる。
【０３９３】
以後、端末は基地局からチャネル測定のための第１参照信号（例えば、ＣＳＩ−ＲＳ）を受信し、受信された第１参照信号に基づいてチャネルを測定することができる（Ｓ１３０２０、Ｓ１３０３０）。
【０３９４】
即ち、端末は受信された第１参照信号を平均化（ａｖｅｒａｇｉｎｇ）し、報告するためのＣＳＩ値をコンピューティング（ｃｏｍｐｕｔｉｎｇ）することができる。
【０３９５】
ＣＳＩは、図１０から図１２で説明したように、２つのパートに分けられる。
【０３９６】
即ち、ＣＳＩが第１パート及び第２パートで構成される場合、各パートは前述したように構成できる。
【０３９７】
例えば、第１パートはランク指示子（Ｒａｎｋ  Ｉｎｄｉｃａｔｏｒ：ＲＩ）、チャネル品質指示子（ｃｈａｎｎｅｌ  ｑｕａｌｉｔｙ  ｉｎｄｉｃａｔｏｒ：ＣＱＩ）、及び０でない振幅を有するビームの個数を示す指示子であるＮＺＢＩを含むことができ、第２パートはプリコーディング行列指示子（ｐｒｅｃｏｄｉｎｇ  ｍａｔｒｉｘ  ｉｎｄｉｃａｔｏｒ：ＰＭＩ）を含むことができる。
【０３９８】
この際、端末はコンピューティングされたＣＳＩ値が基地局から転送された特定条件を満たさない場合、コンピューティングされたＣＳＩ値が特定条件を満たすことができるように特定の動作を遂行することができる。
【０３９９】
例えば、特定条件がＣＳＩ報告のために基地局により割り当てられたリソースのサイズ（または、符号化率）であり、計算されたＣＳＩのサイズが割り当てられたリソースより大きい場合、端末は計算されたＣＳＩのサイズを割り当てられたリソースに合うように調節することができる。
【０４００】
端末がＣＳＩのサイズを調節する方法の一例に、特定条件が基地局により設定された符号化率のしきい値であり、計算されたＣＳＩの符号化率が基地局により設定されたしきい値より大きい場合、端末は符号化率をしきい値と同一にするためにＣＳＩの一部または全部を省略することができる。
【０４０１】
この際、ＣＳＩはパート２の一部または全部が省略されることができ、サブバンドのインデックスによってサブバンドが省略できる。
【０４０２】
即ち、符号化率のしきい値と端末により報告されるＣＳＩの符号化率の値が同一になるまでサブバンドのインデックスが高い順序または低い順序に従ってサブバンドが省略できる。
【０４０３】
以下、端末がＣＳＩのサイズを調節する方法の具体的な方法は、以下で具体的に説明することにする。
【０４０４】
以後、端末は測定されたチャネルのＣＳＩを基地局に報告することができる（Ｓ１３０４０）。
【０４０５】
このような方法により端末は測定されたチャネルのＣＳＩ値が基地局により割り当てられたリソースのサイズより大きい場合、これを調節して基地局に報告することができる。
【０４０６】
端末は以下の図２３から図２６に図示したように、プロセッサ、ＲＦユニット、及びメモリで構成されることができ、プロセッサはＲＦユニットが基地局からＣＳＩと関連した構成情報を受信するように制御することができる。
【０４０７】
端末のプロセッサは構成情報を通じて報告方法、報告するパラメータなどを認識することができる。
【０４０８】
この際、構成情報はＲＲＣまたはＤＣＩ（Ｄｏｗｎｌｉｎｋ  Ｃｏｎｔｒｏｌ  Ｉｎｆｏｒｍａｔｉｏｎ）を通じて転送されることができ、前記構成情報は前記ＣＳＩの受信のための特定条件と関連したしきい値を含むことができる。
【０４０９】
例えば、基地局により割り当てられたＣＳＩのためのリソースより端末によるＣＳＩのサイズが大きい場合、ＣＳＩの一部または全部の省略のための特定条件（例えば、符号化率など）と関連したしきい値を含むことができる。
【０４１０】
この際、特定条件は基地局のＤＣＩなどを通じてダイナミックに設定できる。
【０４１１】
また、プロセッサはＲＦユニットが基地局からチャネル測定のための第１参照信号（例えば、ＣＳＩ−ＲＳ）を受信することができるように制御することができ、受信された第１参照信号に基づいてチャネルを測定することができる。
【０４１２】
即ち、プロセッサは受信された第１参照信号を平均化（ａｖｅｒａｇｉｎｇ）し、報告するためのＣＳＩ値をコンピューティング（ｃｏｍｐｕｔｉｎｇ）することができる。
【０４１３】
ＣＳＩは、図１０から図１２で説明したように、２つのパートに分けられる。
【０４１４】
即ち、ＣＳＩが第１パート及び第２パートで構成される場合、各パートは前述したように構成できる。
【０４１５】
例えば、第１パートはランク指示子（Ｒａｎｋ  Ｉｎｄｉｃａｔｏｒ：ＲＩ）、チャネル品質指示子（ｃｈａｎｎｅｌ  ｑｕａｌｉｔｙ  ｉｎｄｉｃａｔｏｒ：ＣＱＩ）及び０でない振幅を有するビームの個数を示す指示子であるＮＺＢＩを含むことができ、第２パートはプリコーディング行列指示子（ｐｒｅｃｏｄｉｎｇ  ｍａｔｒｉｘ  ｉｎｄｉｃａｔｏｒ：ＰＭＩ）を含むことができる。
【０４１６】
この際、端末のプロセッサはコンピューティングされたＣＳＩ値が基地局から転送された特定条件を満たさない場合、コンピューティングされたＣＳＩ値が特定条件を満たすことができるように特定の動作を遂行することができる。
【０４１７】
例えば、特定条件がＣＳＩ報告のために基地局により割り当てられたリソースのサイズ（または、符号化率）であり、計算されたＣＳＩのサイズが割り当てられたリソースより大きい場合、端末は計算されたＣＳＩのサイズを割り当てられたリソースに合うように調節することができる。
【０４１８】
ＣＳＩのサイズを調節する方法の一例に、特定条件が基地局により設定された符号化率のしきい値であり、計算されたＣＳＩの符号化率が基地局により設定されたしきい値より大きい場合、端末は符号化率をしきい値と同一にするためにＣＳＩの一部または全部を省略することができる。
【０４１９】
この際、ＣＳＩはパート２の一部または全部が省略されることができ、サブバンドのインデックスによってサブバンドが省略できる。
【０４２０】
即ち、符号化率のしきい値と端末により報告されるＣＳＩの符号化率の値が同一になるまでサブバンドのインデックスが高い順序または低い順序に従ってサブバンドが省略できる。
【０４２１】
また、プロセッサはＲＦユニットが測定されたチャネルのＣＳＩを基地局に報告することができるように制御することができる。
【０４２２】
図１４は、本明細書で提案する基地局が端末からＣＳＩを受信する方法の一例を示すフローチャートである。
【０４２３】
図１４を参照すると、基地局は端末により計算されたＣＳＩの値が設定されたリソースのサイズより大きい場合、ＣＳＩの一部のみ転送されるか、または全部を転送されない可能性もある。
【０４２４】
具体的に、基地局は端末にＣＳＩと関連した構成情報を転送する（Ｓ１４０１０）。端末は、基地局から転送された構成情報を通じて報告方法、報告するパラメータなどを認識することができる。
【０４２５】
構成情報は、ＲＲＣまたはＤＣＩ（Ｄｏｗｎｌｉｎｋ  Ｃｏｎｔｒｏｌ  Ｉｎｆｏｒｍａｔｉｏｎ）を通じて転送されることができ、前記構成情報は前記ＣＳＩの受信のための特定条件と関連したしきい値を含むことができる。
【０４２６】
例えば、基地局により割り当てられたＣＳＩのためのリソースより端末によるＣＳＩのサイズが大きい場合、ＣＳＩの一部または全部の省略のための特定条件（例えば、符号化率など）と関連したしきい値を含むことができる。
【０４２７】
この際、特定条件は基地局のＤＣＩを通じてダイナミックに設定できる。
【０４２８】
以後、基地局は端末にチャネル測定のための第１参照信号（例えば、ＣＳＩ−ＲＳ）を転送することができる（Ｓ１４０２０）。
【０４２９】
基地局は、端末から第１参照信号に基づいて測定されたチャネルのＣＳＩを端末から報告を受けることができる（Ｓ１４０３０）。
【０４３０】
この際、ＣＳＩの報告は図１０から図１２で説明したように、２つのパートに分けられて遂行できる。
【０４３１】
即ち、ＣＳＩが第１パート及び第２パートで構成される場合、各パートは前述したように構成できる。
【０４３２】
例えば、第１パートはランク指示子（Ｒａｎｋ  Ｉｎｄｉｃａｔｏｒ：ＲＩ）、チャネル品質指示子（ｃｈａｎｎｅｌ  ｑｕａｌｉｔｙ  ｉｎｄｉｃａｔｏｒ：ＣＱＩ）及び０でない振幅を有するビームの個数を示す指示子であるＮＺＢＩを含むことができ、第２パートはプリコーディング行列指示子（ｐｒｅｃｏｄｉｎｇ  ｍａｔｒｉｘ  ｉｎｄｉｃａｔｏｒ：ＰＭＩ）を含むことができる。
【０４３３】
この際、端末により計算されたＣＳＩ値が基地局から転送された特定条件を満たさない場合、ＣＳＩ値が特定条件を満たすことができるように端末により特定の動作を遂行することができる。
【０４３４】
例えば、特定条件がＣＳＩ報告のために基地局により割り当てられたリソースのサイズ（または、符号化率）であり、計算されたＣＳＩのサイズが割り当てられたリソースより大きい場合、端末は計算されたＣＳＩのサイズを割り当てられたリソースに合うように調節することができる。
【０４３５】
端末がＣＳＩのサイズを調節する方法の一例に、特定条件が基地局により設定された符号化率のしきい値であり、計算されたＣＳＩの符号化率が基地局により設定されたしきい値より大きい場合、端末は符号化率をしきい値と同一にするためにＣＳＩの一部または全部を省略することができる。
【０４３６】
この際、ＣＳＩはパート２の一部または全部が省略されることができ、サブバンドのインデックスによってサブバンドが省略できる。
【０４３７】
即ち、符号化率のしきい値と端末により報告されるＣＳＩの符号化率の値が同一になるまでサブバンドのインデックスが高い順序または低い順序に従ってサブバンドが省略できる。
【０４３８】
以下、端末がＣＳＩのサイズを調節する方法の具体的な方法は、以下で具体的に説明することにする。
【０４３９】
したがって、基地局は端末により計算されたＣＳＩ値が基地局から転送された特定条件を満たさない場合、ＣＳＩの一部のみを転送されるか、または全部を転送されないことがある。
【０４４０】
基地局は、以下の図２３から図２６に図示したように、プロセッサ、ＲＦユニット、及びメモリで構成されることができ、プロセッサはＲＦユニットが端末にＣＳＩと関連した構成情報を転送するように制御することができる。
【０４４１】
この際、構成情報はＲＲＣまたはＤＣＩ（Ｄｏｗｎｌｉｎｋ  Ｃｏｎｔｒｏｌ  Ｉｎｆｏｒｍａｔｉｏｎ）を通じて転送されることができ、前記構成情報は前記ＣＳＩの受信のための特定条件と関連したしきい値を含むことができる。
【０４４２】
例えば、基地局により割り当てられたＣＳＩのためのリソースより端末によるＣＳＩのサイズが大きい場合、ＣＳＩの一部または全部の省略のための特定条件（例えば、符号化率など）と関連したしきい値を含むことができる。
【０４４３】
この際、特定条件は基地局のＤＣＩを通じてダイナミックに設定できる。
【０４４４】
また、プロセッサはＲＦユニットが端末にチャネル測定のための第１参照信号（例えば、ＣＳＩ−ＲＳ）を転送し、端末から第１参照信号に基づいて測定されたチャネルのＣＳＩを端末から報告されることができるように制御することができる。
【０４４５】
この際、ＣＳＩの報告は図１０から図１２で説明したように、２つのパートに分けられて遂行できる。
【０４４６】
即ち、ＣＳＩが第１パート及び第２パートで構成される場合、各パートは前述したように構成できる。
【０４４７】
例えば、第１パートはランク指示子（Ｒａｎｋ  Ｉｎｄｉｃａｔｏｒ：ＲＩ）、チャネル品質指示子（ｃｈａｎｎｅｌ  ｑｕａｌｉｔｙ  ｉｎｄｉｃａｔｏｒ：ＣＱＩ）及び０でない振幅を有するビームの個数を示す指示子であるＮＺＢＩを含むことができ、第２パートはプリコーディング行列指示子（ｐｒｅｃｏｄｉｎｇ  ｍａｔｒｉｘ  ｉｎｄｉｃａｔｏｒ：ＰＭＩ）を含むことができる。
【０４４８】
この際、端末により計算されたＣＳＩ値が基地局から転送された特定条件を満たさない場合、ＣＳＩ値が特定条件を満たすことができるように端末により特定の動作を遂行することができる。
【０４４９】
例えば、特定条件がＣＳＩ報告のために基地局により割り当てられたリソースのサイズ（または、符号化率）であり、計算されたＣＳＩのサイズが割り当てられたリソースより大きい場合、端末は計算されたＣＳＩのサイズを割り当てられたリソースに合うように調節することができる。
【０４５０】
端末がＣＳＩのサイズを調節する方法の一例に、特定条件が基地局により設定された符号化率のしきい値であり、計算されたＣＳＩの符号化率が基地局により設定されたしきい値より大きい場合、端末は符号化率をしきい値と同一にするためにＣＳＩの一部または全部を省略することができる。
【０４５１】
この際、ＣＳＩはパート２の一部または全部が省略することができ、サブバンドのインデックスによってサブバンドが省略できる。
【０４５２】
即ち、符号化率のしきい値と端末により報告されるＣＳＩの符号化率の値が同一になるまでサブバンドのインデックスが高い順序または低い順序に従ってサブバンドが省略できる。
【０４５３】
したがって、基地局は端末により計算されたＣＳＩ値が基地局から転送された特定条件を満たさない場合、ＣＳＩの一部のみを転送されるか、または全部を転送されることができないことがある。
【０４５４】
以下、基地局によりＣＳＩ報告のために割り当てられたリソースより端末により測定されたチャネルのＣＳＩ値がより大きい場合、ＣＳＩ値を調節するための方法に対して具体的に説明することにする。
【０４５５】
Ｔｙｐｅ  ＩＩのＣＳＩの場合、複数の２Ｄ−ＤＦＴのｌｉｎｅａｒ  ｃｏｍｂｉｎａｔｉｏｎ（ｐｈａｓｅ  ａｎｄ  ａｍｐｌｉｔｕｄｅ）でＰＭＩを生成することができ、この場合、層（ｌａｙｅｒ）別に独立してＰＭＩを決定することができる。即ち、層が増えるほどＰＭＩがほとんど線形的に増加することになり、これはサブバンド報告の場合、ｒａｎｋによってより大きいペイロードサイズの差が発生することがある。
【０４５６】
この場合、基地局は常にｒａｎｋ２を考慮してＣＳＩ報告のためのリソースを端末に割り当てることができる。
【０４５７】
しかしながら、常にｒａｎｋ２を考慮してリソースが割り当てられれば、ｒａｎｋ１に従うＣＳＩ報告の場合、リソースの浪費が大きくなるという問題点が存在する。したがって、基地局は端末の全体のＣＳＩフィードバックペイロードに影響を与えることができる情報（例えば、ランク情報、ペイロードサイズ情報）を上位層（例えば、ＲＲＣ、ＭＡＣＣＥ、ＤＣＩ）にｓｉｇｎａｌｉｎｇすることができる。
【０４５８】
端末は、基地局によりｓｉｇｎａｌｉｎｇされた情報によってＣＳＩを計算し、計算されたＣＳＩを基地局に報告することができる。この際、端末が転送するＣＳＩの全体のペイロードを変更したい場合、例えば、転送ｒａｎｋの変更などの理由によって端末は別途のｆｅｅｄｂａｃｋ（ｏｒ  ｓｉｇｎａｌｉｎｇ）を通じて、ｒａｎｋあるいはペイロードサイズの変更を基地局に要求することができる。
【０４５９】
または、基地局は端末に全体のＣＳＩフィードバックペイロードに影響を与えることができる情報を上位層ｓｉｇｎａｌｉｎｇを通じて転送してくれる時、以下で説明するＣＳＩ  Ｄｒｏｐｐｉｎｇ（ｏｒ  ｏｍｉｓｓｉｏｎ）と関連した情報を追加で端末に知らせることができる。
【０４６０】
ＣＳＩフィードバックペイロードに対する設定は、ＰＵＣＣＨとＰＵＳＣＨが同時にｔｒｉｇｇｅｒｉｎｇされる場合、転送されるＴｙｐｅ  ＩＩのＣＳＩを構成するパート１（例えば、ＲＩ、ＣＱＩ、＃  ｏｆ  ｎｏｎ−ｚｅｒｏ  ａｍｐｌｉｔｕｄｅ  ｉｎｆｏｒｍａｔｉｏｎ（ＮＺＢＩ））に該当する情報を用いて、ＰＵＳＣＨにｐｉｇｇｙ  ｂａｃｋされるＵＣＩが転送されるｒｅｓｏｕｒｃｅ、即ち、ｒｅｐｏｒｔｉｎｇされるＣＳＩのｐａｙｌｏａｄ）が割り当てできる。
【０４６１】
この際、ＰＵＣＣＨとＰＵＳＣＨの報告に対する衝突が発生すれば、ＰＵＣＣＨのＣＳＩはドロップされ、ＰＵＳＣＨのＣＳＩのみ転送できる。
【０４６２】
このような方法とＰＵＳＣＨ−ｂａｓｅｄ  ｒｅｐｏｒｔｉｎｇに割り当てられたペイロードが充分な場合に、端末はＣＳＩをそのままエンコーディングして基地局に転送することができ、ペイロードのサイズが割り当てられたリソースのサイズを超過する場合、以下で説明する方法によりＣＳＩの一部または全部が省略できる。
【０４６３】
または、基地局により設定されるか、または予め約束された特定比率（Ｘ＝（Ｃｕｒｒｅｎｔ  Ｐａｙｌｏａｄ）／（Ａｌｌｏｃａｔｅｄ  ｐａｙｌｏａｄ））Ｘ％（例えば、Ｘ＝１１０％）を超過しない場合に限り、端末は計算されたＣＳＩを省略せず、高いコーディング割合でＣＳＩをｅｎｃｏｄｉｎｇして基地局にＣＳＩを転送することができる。
【０４６４】
ここで、ａｌｌｏｃａｔｅｄ  ｐａｙｌｏａｄ（例えば、ＤＣＩで与えられたａｌｌｏｃａｔｅｄ  ＲＢとａｓｓｉｇｎｅｄ  ＭＣＳにより計算される）は、基地局が端末のＰＵＳＣＨ−ｂａｓｅｄ  ｒｅｐｏｒｔｉｎｇのために割り当てた情報及び／又はｃｏｄｅｄ  ｂｉｔｓのサイズを意味することができる。
【０４６５】
ｃｕｒｒｅｎｔ  ｐａｙｌｏａｄは、報告時点に計算されたＣＳＩの情報及び／又はｃｏｄｅｄ  ｂｉｔｓのサイズを意味することができる。ここで、ＣＳＩは全体（パート１及びパート２のＣＳＩ）でありうる。
【０４６６】
または、特定パートのＣＳＩ（ｅ．ｇ．，パート２  ＣＳＩ）であるか、またはＰＵＳＣＨ−ｂａｓｅｄ  ｒｅｐｏｒｔｉｎｇのために割り当てられたＲＥのサイズ（例えば、パート２のＣＳＩ）に適用される符号化率が特定の値（ｅ．ｇ．，４／５）以上の場合、以下で説明するＣＳＩを省略するための方法が適用できる。
【０４６７】
または、ＵＣＩがＰＵＳＣＨにｐｉｇｇｙ  ｂａｃｋされる時、データの転送にスケジューリングされたＭＣＳのｓｐｅｃｔｒａｌ  ｅｆｆｉｃｉｅｎｃｙ（ＳＥ）より（（Ｃｕｒｒｅｎｔ  Ｐａｙｌｏａｄ）／（Ａｌｌｏｃａｔｅｄ  ＃  ｏｆ  ＲＥ））がＸ倍（ｅ．ｇ．，Ｘ＝１．１）大きい場合、以下で説明したＣＳＩの省略方法が適用されることと設定できる。ここで、Ｘ値は予め定義されるか、または上位層シグナリングを通じて構成できる。
【０４６８】
例えば、基地局により設定されたＣＳＩ報告のための特定条件が符号化率のしきい値であり、計算されたＣＳＩの符号化率が基地局により設定されたしきい値より大きい場合、端末は符号化率をしきい値と同一にするためにＣＳＩの一部または全部を省略することができる。
【０４６９】
即ち、符号化率がしきい値と同一になるまでパート２の一部または全部が省略できる。
【０４７０】
具体的に、端末は計算されたＣＳＩの符号化率が基地局により設定されたしきい値より大きい場合、符号化率がしきい値と同一になるまでＣＳＩのパート２の一部分または全部をサブバンドの優先順位またはレベルによって省略することができる。
【０４７１】
基地局は端末に最大にフィードバックできる情報のサイズ（例えば、パート２  ＣＳＩ）を予め約束するか、または上位層（ＭＡＣ  ＣＥ  ｏｒ  ＤＣＩ）を通じて端末に知らせることができる。
【０４７２】
この際、最大にフィードバックできるサイズの情報はｆｅｅｄｂａｃｋされる情報と関連した全体のビットのサイズ（例えば、パート２  ＣＳＩ  ｓｉｚｅ）あるいはｒａｎｋ情報でありうる。
【０４７３】
端末は計算されたＣＳＩが最大にフィードバックできるサイズを超過する場合、以下で説明するＣＳＩの省略方法によりＣＳＩの一部または全部を省略することができる。
【０４７４】
ＤＣＩを用いてｆｅｅｄｂａｃｋされるＣＳＩのｂｉｔを指示する場合、ＣＳＩのｂｉｔを指示するｂｉｔはＣＳＩ  ｒｅｑｕｅｓｔ  ｆｉｅｌｄ内に指示される他の情報とｊｏｉｎｔ  ｅｎｃｏｄｉｎｇされて指示できる。
【０４７５】
この場合は、ＵＣＩがデータと共に転送される場合に一層有用でありうる。Ｔｙｐｅ  ＩＩのＣＳＩの場合、特定パート１が周期的転送により転送できる。これは、基地局がＰＵＳＣＨ−ｂａｓｅｄ  ｒｅｐｏｒｔｉｎｇ時、端末のｒａｎｋを直近に受信した周期的報告により受信したパート１の情報などで（Ｔｙｐｅ  Ｉの場合もＨｙｂｒｉｄ  ｒｅｐｏｒｔｉｎｇを用いることができる）予め推定して、ＰＵＳＣＨ転送のためのｒｅｓｏｕｒｃｅを割り当てることができる。
【０４７６】
このような方法は前述した最大符号化率（または、しきい値）を設定してＣＳＩの一部または全部を省略する方法と結合して使用できる。
【０４７７】
例えば、パート２のＣＳＩが省略される符号化率のしきい値が０．７５の場合、ｃｏｄｅ  ｒａｔｅ基盤のＣＳＩ省略は端末に指示されるＭＣＳが関係したｃｏｄｅ  ｒａｔｅが前記値（０．７５）近辺である時、ＣＳＩの省略が正しく遂行できる。
【０４７８】
仮に、指示されるＭＣＳと連係したｃｏｄｅ  ｒａｔｅが０．３位の場合、データにｐｉｇｇｙｂａｃｋされるＵＣＩ（ＵＣＩ  ｏｎ  ＰＵＳＣＨ  ｗｉｔｈ  ｄａｔａの場合）は０．３近辺の値を有するようになるので、ＣＳＩの省略が正しく遂行できないことがある。
【０４７９】
したがって、この場合は前記提案する最大符号化率に基づいたＣＳＩ省略方法によりＣＳＩ省略が効果的によく動作することができる。
【０４８０】
または、符号化率基盤のＣＳＩ  ｏｍｉｓｓｉｏｎが動作するＭＣＳ  ｒａｎｇｅを予め約束するか、または上位層シグナリング（例えば、ＲＲＣ、ＭＡＣ  ＣＥ、またはＤＣＩ）に端末に指示することができる。更に他の方式に、端末は３種類のＣＳＩの省略方法のうち、いかなる方式を使用するかを端末は上位層シグナリングを通じて基地局に知らせることができる。
【０４８１】
以下、ＣＳＩを省略するための方法に対して具体的に説明する。
【０４８２】
＜Ｐｒｏｐｏｓａｌ  １＞
【０４８３】
ＣＳＩ報告のために基地局により割り当てられたリソースのサイズが端末により報告されるＣＳＩのペイロードのサイズより小さい場合、端末はＣＳＩのパート２の一部または全部を省略し報告することができる。
【０４８４】
具体的に、端末がサブバンド報告とＰＵＳＣＨ−ｂａｓｅｄ  ｒｅｐｏｒｔｉｎｇに設定を受けて、ＵＣＩのために割り当てられたリソースのサイズに対応するペイロードのサイズより端末により報告されるＣＳＩのペイロードサイズがより大きい場合、全てのサブバンド（ｓｕｂ−ｂａｎｄ：ＳＢ）と関連したパート２のＣＳＩ（例えば、ＰＭＩ）の報告は省略されることができ、ワイドバンド（ｗｉｄｅ−ｂａｎｄ：ＷＢ）ＰＭＩが計算されて報告できる。
【０４８５】
この場合、基地局は転送されるＰＭＩ（例えば、パート２）のサイズを通じて報告されるＰＭＩがＷＢかＳＢかを２回のｂｌｉｎｄ  ｄｅｃｏｄｉｎｇを用いて認識することができる。
【０４８６】
例えば、ＷＢ  ＰＭＩのｐａｙｌｏａｄが２０と仮定し、設定を受けたＳＢの個数が１０であれば、ＳＢ  ＰＭＩは２００となるので、２０ｂｉｔと２００ｂｉｔに合せて各々ｂｌｉｎｄ  ｄｅｃｏｄｉｎｇを遂行することができる。
【０４８７】
または、端末はＳＢのＰＭＩを省略する場合、基地局に報告されるＣＳＩがＷＢ  ＰＭＩか、またはＳＢ  ＰＭＩか否かを示す１ｂｉｔの指示子（例えば、ｒｅｐｏｒｔｉｎｇ  ｍｏｄｅ  ｉｎｄｉｃａｔｏｒ）を追加でフィードバックすることができる。
【０４８８】
この際、指示子はパート１のＣＳＩに含まれるか、または別途のパートにフィードバックできる。
【０４８９】
例えば、ｒｅｐｏｒｔｉｎｇ  ｍｏｄｅ  ｉｎｄｉｃａｔｏｒが“０”であれば、ＷＢ  ＰＭＩ、“１”であれば、ＳＢ  ＰＭＩを示すことができる。
【０４９０】
また、ＣＳＩのパート１にＳＢに該当するＣＱＩ（ｓ）がそのまま報告される場合、基地局は報告されるＷＢ  ＣＱＩ、ＳＢ  ＣＱＩ、及びＷＢ  ＰＭＩを用いて、ＳＢ  ＰＭＩをｉｎｔｅｒｐｏｌａｔｉｏｎ及び／又はＰＭＩ補償などの過程を通じて予測することができ、これを用いて周波数選択的プリコーディング（ｆｒｅｑｕｅｎｃｙ  ｓｅｌｅｃｔｉｖｅ  ｐｒｅｃｏｄｉｎｇ）を遂行することができる。
【０４９１】
または、パート１のＣＳＩのペイロードサイズを減少させるために、ｒｅｐｏｒｔｉｎｇ  ｍｏｄｅ  ｉｎｄｉｃａｔｏｒと共に、ＷＢ  ＣＱＩのみパート１に含めてフィードバックすることもできる。
【０４９２】
この場合、パート１に対するデコーディングは２回のブラインドデコーディングが遂行できる。即ち、ＷＢ  ＣＱＩのみある場合を仮定したペイロードを用いたｂｌｉｎｄ  ｄｅｃｏｄｉｎｇ過程と、ＳＢ  ＣＱＩを含んだペイロードを仮定したｂｌｉｎｄ  ｄｅｃｏｄｉｎｇが遂行できる。
【０４９３】
したがって、ＳＢ  ｒｅｐｏｒｔｉｎｇ  ｍｏｄｅに設定された端末の場合（即ち、ｒｅｐｏｒｔｉｎｇ  ｍｏｄｅ  ｉｎｄｉｃａｔｏｒが“１”に設定された場合）、ＷＢ  ＣＱＩとＳＢ  ＣＱＩを全てパート１に含むが、ＳＢ  ＣＱＩは特定ｓｔａｔｅ（例えば、“ｏｕｔ  ｏｆ  ｒａｎｇｅ”ｏｒ“ＰＭＩ  ｄｒｏｐｐｉｎｇ”などの名称で）を示して全てのＳＢ  ＰＭＩがｄｒｏｐされたことを基地局に知らせることができる。
【０４９４】
＜Ｐｒｏｐｏｓａｌ  １−１＞
【０４９５】
端末がＳＢ  ｒｅｐｏｒｔｉｎｇとＰＵＳＣＨ−ｂａｓｅｄ  ｒｅｐｏｒｔｉｎｇに設定され、ＵＣＩのために割り当てられたリソースに対するペイロードサイズより報告すべきＣＳＩのペイロードサイズがより大きい場合、全てのＳＢと関連したパート２のＣＳＩ（例えば、ＰＭＩ）報告が省略（または、ドロップ）できる。
【０４９６】
この場合、端末はパート２のＣＳＩが報告されないということを基地局に知らせるためにパート１のＣＳＩにパート２のＣＳＩ報告の有無と関連した１ｂｉｔの指示子を含めて報告することができる。
【０４９７】
例えば、指示子の値が“０”であれば、パート２のＣＳＩが省略されたことを示し、“１”であれば、パート２のＣＳＩが省略されていないことを示すことができる。
【０４９８】
この際、パート２のＣＳＩが省略される場合、パート１のＣＳＩに含まれた＃  ｏｆ  ｎｏｎ−ｚｅｒｏ  Ｗｉｄｅｂａｎｄ  ａｍｐｌｉｔｕｄｅ  ｃｏｅｆｆｉｃｉｅｎｔｓ  ｐｅｒ  ｌａｙｅｒが常に“０”の値を有するように端末はパート１のＣＳＩを構成することができる。
【０４９９】
即ち、Ｔｙｐｅ  ＩＩのＣＳＩを構成する時のｃａｎｄｉｄａｔｅ（２Ｌ−１）＊２つのａｍｐｌｉｔｕｄｅ  ｃｏｅｆｆｉｃｉｅｎｔの値は全て０となって、ｃｏｍｂｉｎｉｎｇに該当するＳＢ  ｐｈａｓｅ及び／又はＷＢ  ａｍｐｌｉｔｕｄｅ情報を報告する必要がないということを基地局が認知することができる。
【０５００】
＃  ｏｆ  ｎｏｎ−ｚｅｒｏ  Ｗｉｄｅｂａｎｄ  ａｍｐｌｉｔｕｄｅ  ｃｏｅｆｆｉｃｉｅｎｔｓ  ｐｅｒ  ｌａｙｅｒは、ジョイントエンコーディングされる場合、１つの値を有することができ、層別に独立してエンコーディングされる場合、層によって各々の値を有することができる。
【０５０１】
ＵＣＩがＰＵＳＣＨにｐｉｇｇｙ  ｂａｃｋ（即ち、ＵＣＩとＰＵＳＣＨが同時に転送される場合）される場合、パート２に割り当てられたペイロードに対応するリソースをＰＵＳＣＨ転送に用いてＰＵＳＣＨの転送性能（例えば、ｓｐｅｃｔｒａｌ  ｅｆｆｉｃｉｅｎｃｙ）を向上させることができる。
【０５０２】
ＵＣＩのみ単独で報告される場合、ｐｒｏｐｏｓａｌ  １−１でパート２のＣＳＩは省略され、パート１のＣＳＩのみ転送されることによって、アップリンク干渉を減少させることができる。
【０５０３】
また、パート１のＣＳＩのみ報告される場合、基地局はパート１に含まれたＲＩの情報に従うペイロードの設定をよく活用するためにパート１のＣＳＩを受信した時点から特定時間（Ｔ、ＲＩなどの情報が変更されない時間に設定できる）内にＰＵＳＣＨ−ｂａｓｅｄ  ｒｅｐｏｒｔｉｎｇをまたトリガーすることができる。
【０５０４】
または、ＰＵＳＣＨ−ｂａｓｅｄ  ｒｅｐｏｒｔｉｎｇでパート１のＣＳＩのみ受信する場合、基地局は最も大きいペイロードサイズ（例えば、タイプＩＩの場合、ｒａｎｋ２  ＳＢ  ｒｅｐｏｒｔｉｎｇ）を仮定してリソース割り当てを遂行及び／又はＵＣＩ  ｏｎｌｙ  ｆｅｅｄｂａｃｋを設定して直ぐ後のａｐｅｒｉｏｄｉｃ  ｒｅｐｏｒｔｉｎｇ（ＰＵＳＣＨ−ｂａｓｅｄ  ｒｅｐｏｒｔｉｎｇ）をトリガーすることができる。
【０５０５】
＜Ｐｒｏｐｏｓａｌ  ２＞
【０５０６】
ＣＳＩ報告のために基地局により割り当てられたリソースのサイズが端末により報告されるＣＳＩのペイロードのサイズより小さい場合、端末はＣＳＩのタイプを変更して報告することができる。
【０５０７】
具体的に、端末がタイプ  ＩＩ  ＣＳＩ、ＳＢ  ｒｅｐｏｒｔｉｎｇ及びＰＵＳＣＨ−ｂａｓｅｄ  ｒｅｐｏｒｔｉｎｇに設定され、ＵＣＩのために割り当てられたリソースに対するペイロードサイズより報告すべきＣＳＩのペイロードサイズがより大きい場合、端末はタイプＩＩのパート２のＣＳＩを全部または一部を省略（または、ドロップ）する代わりにタイプＩのＣＳＩにフォールバックしてタイプＩのＣＳＩに従うＣＲＩ／ＲＩ、ＣＱＩ、及びＰＭＩを報告することができる。
【０５０８】
基地局によりタイプＩＩのＣＳＩに設定された端末がＵＣＩのために割り当てられたリソースのサイズまたは転送可能な容量（以下、ｒｅｐｏｒｔｉｎｇ  ｃｏｎｔａｉｎｅｒと称する）が端末が報告すべきＣＳＩのペイロードサイズより小さい場合、端末は前述したパート１のＣＳＩ内のｎｏｎ−ｚｅｒｏ  ｗｉｄｅｂａｎｄ  ａｍｐｌｉｔｕｄｅ  ｃｏｅｆｆｉｃｉｅｎｔｓ  ｐｅｒ  ｌａｙｅｒが“０”の値を有するように報告することができる。
【０５０９】
即ち、端末はパート２のＣＳＩが省略されないと基地局に報告することができる。
【０５１０】
また、報告されるＣＳＩのＣＲＩ／ＲＩ、ＣＱＩ、及びＰＭＩは、タイプＩのＣＳＩで定義されるコードブックで計算し、計算されたＣＳＩを報告することができる。
【０５１１】
この場合、ＣＳＩのｒａｎｋは特定ｒｅｐｏｒｔｅｄ  ｍａx  ｒａｎｋ（例えば、ｒａｎｋ＝２）に固定できる。これは、タイプＩＩのＣＳＩがＭＵ−ＭＩＭＯをｔａｒｇｅｔしているためであり、またパート１のＣＳＩのペイロードサイズを変更させないためである。
【０５１２】
＜Ｐｒｏｐｏｓａｌ  ３＞
【０５１３】
ＣＳＩ報告のために基地局により割り当てられたリソースのサイズが端末により報告されるＣＳＩのペイロードのサイズより小さい場合、端末はＣＳＩのｒａｎｋを特定ランクに固定して報告することができる。
【０５１４】
具体的に、端末がタイプ  ＩＩ  ＣＳＩ、ＳＢ  ｒｅｐｏｒｔｉｎｇ、及びＰＵＳＣＨ−ｂａｓｅｄ  ｒｅｐｏｒｔｉｎｇに設定され、ＵＣＩのために割り当てられたリソースに対するペイロードサイズより報告すべきＣＳＩのペイロードサイズがより大きい場合、端末はタイプＩＩのＣＳＩを常にｒａｎｋ１に転送することができる。
【０５１５】
基地局は端末がタイプＩＩのＣＳＩのＳＢ  ｒｅｐｏｒｔｉｎｇをトリガーする時、最小ｒａｎｋ１を報告するために十分なリソースを端末に割り当てることができる。
【０５１６】
したがって、端末のＣＳＩ報告に適切なｒａｎｋが２としても、ｒｅｐｏｒｔｉｎｇ  ｃｏｎｔａｉｎｅｒのサイズが十分でない場合、端末は層をドロップし、常にｒａｎｋ１にＣＳＩを報告することができる。
【０５１７】
このような方法を基地局が特定信号を通じて端末に指示する場合、コードブックのサブセットを制限するｃｏｄｅｂｏｏｋ  ｓｕｂｓｅｔ  ｒｅｓｔｒｉｃｔｉｏｎのｒａｎｋ  ｒｅｓｔｒｉｃｔｉｏｎが適用できる。
【０５１８】
Ｒａｎｋの制限がｎｏｎ−ｚｅｒｏ  ａｍｐｌｉｔｕｄｅに暗示的な方法により端末に指示される場合、ｌａｙｅｒ２に該当するｎｏｎ−ｚｅｒｏ  ａｍｐｌｉｔｕｄｅの値は常に“０”の値を示すように設定できる。
【０５１９】
＜Ｐｒｏｐｏｓａｌ  ４＞
【０５２０】
ＣＳＩ報告のために基地局により割り当てられたリソースのサイズが端末により報告されるＣＳＩのペイロードのサイズより小さい場合、端末は割り当てられたリソースのサイズによって特定パラメータを計算することができる。
【０５２１】
具体的に、端末がタイプ  ＩＩ  ＣＳＩ、ＳＢ  ｒｅｐｏｒｔｉｎｇ、及びＰＵＳＣＨ−ｂａｓｅｄ  ｒｅｐｏｒｔｉｎｇに設定され、ＵＣＩのために割り当てられたリソースに対するペイロードサイズより報告すべきＣＳＩのペイロードサイズがより大きい場合、端末はタイプＩＩのＣＳＩを計算する時、割り当てられたリソースに対するペイロードのサイズによって＃  ｏｆ  ｎｏｎ−ｚｅｒｏ  ａｍｐｌｉｔｕｄｅ  ｃｏｅｆｆｉｃｉｅｎｔを制限して計算することができる。
【０５２２】
タイプＩＩのＣＳＩのペイロードはｃｏｍｂｉｎｉｎｇ  ｂｅａｍ（Ｌ）の係数によっても大きく変更できる。パート１のＣＳＩを通じて＃  ｏｆ  ｎｏｎ−ｚｅｒｏ  ａｍｐｌｉｔｕｄｅ  ｃｏｅｆｆｉｃｉｅｎｔの指示子が共に報告されるので、端末はＣＳＩを計算する場合、設定されたｃｏｎｔａｉｎｅｒのサイズによって指示子を通じて指示される値を設定することができる。
【０５２３】
即ち、総ｌａｙｅｒ当たり（２Ｌ−１）個のＷＢ  ａｍｐｌｉｔｕｄｅの個数のうち、ＰＭＩは２Ｌ−１個が使われることが好ましくても、ｃｏｎｔａｉｎｅｒのサイズが許容するＰＭＩのサイズが２Ｌ−３のＷＢ  ａｍｐｌｉｔｕｄｅで構成されるＰＭＩである場合、端末は２Ｌ−３の値によってＰＭＩを計算することができる。
【０５２４】
この場合、端末はＷＢ  ａｍｐｌｉｔｕｄｅの値が小さい順に省略することができ、同一の値を有する多数のｃｏｍｂｉｎｉｎｇ  ｃｏｅｆｆｉｃｉｅｎｔがある場合、最も低いインデックス（または、最も高いインデックス）の順序に従って省略してＰＭＩを計算することができる。
【０５２５】
以下、ＳＢ  ｒｅｐｏｒｔｉｎｇに設定された端末が特定のＳＢに対応するパート２のＣＳＩを省略する場合に対して説明することにする。ここで、ＳＢは端末に割り当てられた全ＲＢの個数を
2020517158.tif 000052
とする時、複数個のＲＢで構成されることができ、全ＳＢの個数Ｙは以下の数式４の通りである。
【０５２６】
【数４】
2020517158.tif 000053
【０５２７】
この際、最後のＲＢのインデックスはＮより小さいＲＢで構成できる。説明の便宜のために、端末はＹ＝１０個のＳＢの設定を受けたと仮定し、全体のＹ個のうち、Ｗ個のＳＢを報告する場合を考慮して説明することにする。
【０５２８】
＜Ｐｒｏｐｏｓａｌ  ５＞
【０５２９】
図１５は、本明細書で提案する特定のパターンによってＣＳＩを省略するための方法の一例を示す図である。
【０５３０】
図１５を参照すると、端末はＣＳＩを報告する場合、設定された特定のパターンによって一定の個数のＳＢのみを基地局に報告することができる。
【０５３１】
具体的に、図１５は特定Ｃｏｍｂに基づいたＳＢの報告パターンの一例を示す。端末は基地局により特定のパターンの設定を受けることができ、設定されたパターンによってパート２のＣＳＩのうちの一部のＳＢのみを報告することができる。
【０５３２】
即ち、基地局によりＣｏｍｂ、及びｏｆｆｓｅｔ値が設定されれば、端末は設定されたＣｏｍｂ及びｏｆｆｓｅｔ値によって特定のＳＢをパート２のＣＳＩに報告することができる。
【０５３３】
例えば、図１５に図示したように、Ｃｏｍｂ３、ｏｆｆｓｅｔ値が０に設定されれば、ＳＢ０、ＳＢ３、ＳＢ６、及びＳＢ９に該当するパート２のＣＳＩが報告できる。
【０５３４】
Ｃｏｍｂ３の場合、ｏｆｆｓｅｔ値に従って報告されるＳＢの数が変更できるので、ｏｆｆｓｅｔに従って報告されるＳＢの数の最大値Ｗ（図１５では、Ｗ＝４）が常に報告されることと設定できる。
【０５３５】
Ｗより小さい数のＳＢが報告できるｏｆｆｓｅｔ値が使われる場合、特定のＳＢ（例えば、最も大きいインデックスを有するＳＢから“Ｚ”個、または最も低いインデックスを有するＳＢから“Ｚ”）から一定の個数のＳＢが常に報告されるように設定することによって、ｏｆｆｓｅｔ値に関わらず、一定の個数のＳＢが報告されるように設定できる。
【０５３６】
例えば、図１５のＣｏｍｂ３のパターンの場合、常にＳＢ９またはＳＢ０を含むように特定のパターンが設定できる。
【０５３７】
特定のパターンを用いて報告されるＳＢまたは省略されるＳＢを決定するための特定の値及びｏｆｆｓｅｔ値は、上位層（例えば、ＲＲＣ、ＭＡＣ  ＣＥ、またはＤＣＩ）を通じて設定できる。
【０５３８】
または、端末が使用する特定のパターンをフィードバックすることができ、これに対する特定の値及び／又はｏｆｆｓｅｔ値に対する情報はパート２  ＣＳＩの全体のペイロードサイズが決定できるので、パート１  ＣＳＩに追加で含まれることができる。
【０５３９】
または、追加のＣＳＩ  ｒｅｐｏｒｔｉｎｇ  ｃｏｎｔｅｎｔｓを生成しないために、パート１のＣＳＩに含まれるＳＢ  ＣＱＩのうち、パート２の報告されるＳＢに対応するＣＱＩは絶対的または異なるインデックスを有することができ、ドロップされるＳＢに対応するＣＱＩはｄｒｏｐされたという事実を知らせるための特定の状態（ｅ．ｇ．，“ｏｕｔ  ｏｆ  ｒａｎｇｅ”ｏｒ“ＰＭＩ  ｄｒｏｐｐｉｎｇ”を意味）で指示できる。
【０５４０】
このような方法の組合せでＣｏｍｂ  ｌｅｎｇｔｈに対する情報は基地局によりｓｉｇｎａｌｉｎｇされることができ、ｏｆｆｓｅｔに対する情報はパート１またはパート２に含まれて端末により報告できる。
【０５４１】
または、前述したように、ｏｆｆｓｅｔに対する情報もパート１のＳＢ  ＣＱＩを用いて暗示的に知らせることができる。
【０５４２】
暗示的にパターン値（例えば、ｃｏｍｂ  ｌｅｎｇｔｈ、ｏｆｆｓｅｔ値及び／又は特定のパターン）を知らせる方法により該当ｃｏｍｂパターンの特定のＳＢのＣＱＩ値（例えば、最も低いインデックスなど）のＣＱＩ値を比較して最も大きいＣＱＩ値を有するｏｆｆｓｅｔ値を選択することに設定できる。
【０５４３】
または、各パターンの報告されたＣＱＩの値を代表する値（例えば、平均）などが最も大きいパターンのｏｆｆｓｅｔ値を選択することに設定できる。
【０５４４】
＜Ｐｒｏｐｏｓａｌ  ６＞
【０５４５】
図１６から図２０は、本明細書で提案する特定比率によってＣＳＩを省略するための方法の一例を示す図である。
【０５４６】
図１６から図２０を参照すると、端末はＣＳＩを報告する場合、設定された特定の比率によって一定の個数のＳＢのみを基地局に報告することができる。
【０５４７】
具体的に、端末は基地局からパート２  ＣＳＩのＳＢのうち、省略するＳＢと関連した比率と関連した情報の設定を受けることができる。この際、省略するＳＢと関連した比率は端末に既に設定できる。
【０５４８】
端末は、設定された比率によってパート２  ＣＳＩのＳＢのうちの一部を省略し、基地局にＣＳＩを報告することができる。
【０５４９】
例えば、図１６及び図１７に図示したように省略される比率（以下、ｏｍｉｓｓｉｏｎ  ｒａｔｉｏと称する）ＯＲは、以下の数式５の通りである。
【０５５０】
【数５】
2020517158.tif 000054
【０５５１】
図１６に図示されたＳＢの報告パターンは分散された（ｄｉｓｔｒｉｂｕｔｅｄ）パターンの一例を示し、図１７に図示されたＳＢの報告パターンは地域的な（ｌｏｃａｌｉｚｅｄ）パターンの一例を示す。
【０５５２】
分散されたパターンの場合、基地局が今後にドロップされたＳＢに対応するＰＭＩを復元する場合、復元のためのｉｎｔｅｒｐｏｌａｔｉｏｎなどの動作を容易に遂行することができる。
【０５５３】
地域的なパターンの場合、端末及び基地局の具現化の容易性（ドロップされたＳＢに対応するＰＭＩを復元して使用する場合、誤ったマッチングによる性能の低下を避けるための目的）及びスケジューリングされるＳＢがｒｅｓｅｒｖｅされる場合に使われる目的で特定のＳＢ報告のみを要求する場合に使われることができる。
【０５５４】
特に、地域的なＳＢパターンの場合、基地局が地域的なパターンを構成するための基準になる特定のＳＢを追加で端末に知らせることができる。
【０５５５】
図１７の場合、ＳＢ０を基準に地域的なパターンを構成する一例であり、図１８及び図１９はＳＢ２を基準に地域的なパターンを構成する一例である。
【０５５６】
図１８は、特定のＳＢ（ＳＢ２）を基準にＷ個のＳＢをインデックスが増加する順に決定するパターンの一例である。即ち、図１８はＳＢ２を基準にインデックスが増加することによってＯＲの値を徐々に減少して報告されるＳＢの個数を減少させるパターンを示す。
【０５５７】
図１９は、特定のＳＢ（ＳＢ２）を基準に略（Ｗ／２−１）個ずつ報告されるＳＢの個数を設定するパターンの一例を示す。
【０５５８】
ＳＢが省略される比率（または、報告されるＳＢの比率）を示すＯＲ値及び／又はパターンの形態（ｌｏｃａｌｉｚｅｄタイプまたはｄｉｓｔｒｉｂｕｔｅｄタイプ）を示すパターンタイプに対する情報は全体のペイロードに影響を及ぼす。
【０５５９】
したがって、このようなＯＲ値及びパターンタイプ情報はパート１  ＣＳＩに含まれて報告されるか、またはパート１  ＣＳＩに含まれたＳＢ  ＣＱＩのうち、報告されるＳＢに対応するＣＱＩに対して絶対的または差分（ｄｉｆｆｅｒｅｎｔｉａｌ）インデックスを有し、ドロップされるＳＢに対応するＣＱＩはドロップされたことを示すための特定の状態（例えば、“ｏｕｔ  ｏｆ  ｒａｎｇｅ”ｏｒ“ＰＭＩ  ｄｒｏｐｐｉｎｇ”を意味）で指示できる。
【０５６０】
本発明に対する更に他の実施形態に、既に設定されたパターンを使用する場合より柔軟なパターンを設定するためにＹ−ｂｉｔ  ｍａｐを用いて明示的に報告されるＳＢを基地局が端末に上位層ｓｉｇｎｌａｉｎｇを通じて知らせることができる。
【０５６１】
即ち、Ｙ個のＳＢのうち、Ｗ個の報告されるＳＢを示すための更に他の方法によりジョイントエンコーディングして、以下の数式６のようなｂｉｔで端末に報告されるＳＢが指示できる。
【０５６２】
【数６】
2020517158.tif 000055
【０５６３】
または、このようなＹ−ｂｉｔ  ｍａｐに対する情報は端末がパート１  ＣＳＩに含んで報告しようとするＳＢを基地局に転送するか、または前述した方法のようにパート１  ＣＳＩに含まれたＳＢ  ＣＱＩのうち、報告されるＳＢに対応するＣＱＩに対して絶対的または差分（ｄｉｆｆｅｒｅｎｔｉａｌ）インデックスを有し、ドロップされるＳＢに対応するＣＱＩはドロップされたことを示すための特定の状態（例えば、“ｏｕｔ  ｏｆ  ｒａｎｇｅ”ｏｒ“ＰＭＩ  ｄｒｏｐｐｉｎｇ”を意味）で指示できる。
【０５６４】
本発明の更に他の実施形態に、基地局は報告されるＳＢの数に対する個数情報を以下の数式７のような特定ｂｉｔで端末に指示することができる。
【０５６５】
【数７】
2020517158.tif 000056
【０５６６】
この場合、端末は報告するＣＳＩのサイズが基地局により割り当てられたリソースに対応するペイロードのサイズより大きい場合、基地局は報告されたＳＢ  ＣＱＩのうち、ｂｅｓｔ  Ｍ個に該当するＳＢに対するＰＭＩが報告されることと予想し、パート２  ＣＳＩをデコーディングすることができる。
【０５６７】
または、報告されるＳＢは、ｂｅｓｔ  ＳＢ  ＣＱＩを基準に特定のパターン（例えば、Ｍ−１個はインデックスが増加するＳＢを選択）などに選択できる。
【０５６８】
同一のＳＢ  ＣＱＩ値が複数個である場合、特定の規則（例えば、最も低いインデックス順序）に従う順序にＳＢが選択されて報告できる。
【０５６９】
または、端末が選択されるＳＢの個数を示すＷの値をパート１  ＣＳＩに含んで報告することによって、全体のペイロードサイズに対する曖昧さを除去することができる。この場合、選択されるＳＢは前述した方法によって選択できる。
【０５７０】
＜Ｐｒｏｐｏｓａｌ  ７＞
【０５７１】
ＳＢを省略するための分散された省略パターンの場合、特定の数式によって一定のＳＢが省略できる。
【０５７２】
具体的に、分散された均一な省略（または、報告）ＳＢパターン（Ｄｉｓｔｒｉｂｕｔｅｄ  ｕｎｉｆｏｒｍ  ｄｒｏｐｐｉｎｇ（ｏｒ  ｒｅｐｏｒｔｅｄ）ＳＢ  ｐａｔｔｅｒｎ）は以下の数式８により定義できる。
【０５７３】
【数８】
2020517158.tif 000057
【０５７４】
数式８で、
2020517158.tif 000058
、
2020517158.tif 000059
、Ｙはｃｏｎｆｉｇｕｒｅｄ  ＳＢの数、Ｗはｒｅｐｏｒｔｅｄ  ＳＢの数を示す。
【０５７５】
図２０は数式５に従うパターンの一例を示し、この際、Ｙは１０、ｏｆｆｓｅｔ値であるｏは“０”に固定された。Ｗ値及び／又はｏｆｆｓｅｔ値は端末がＣＱＩなどを考慮して基地局に追加で報告するか、または予め特定の値に設定できる。
【０５７６】
または、基地局が上位層ｓｉｇｎａｌｉｎｇで端末に指示することができる。仮に、前記数式５による、ｏｆｆｓｅｔ値でない、特定のＳＢを基準に図２０のような均一に分散されたパターンを定義する場合、変更された数式は以下の数式９の通りである。
【０５７７】
【数９】
2020517158.tif 000060
【０５７８】
数式９によるパターンの場合にも、Ｗ値及び／又はｏｆｆｓｅｔ値は端末がＣＱＩなどを考慮して基地局に追加で報告するか、または予め特定の値に設定できる。
【０５７９】
または、基地局が上位層ｓｉｇｎａｌｉｎｇを通じて端末に指示することができる。端末が追加でｆｅｅｄｂａｃｋする情報、特にＳＢの個数Ｗはパート２  ＣＳＩのペイロードに影響を及ぼすので、パート１  ＣＳＩに含まれることができる。
【０５８０】
または、特定ＯＲ値（または、特定のパターン）が予め設定されている場合、使われるパターンを示すパターン情報がパート１  ＣＳＩに含まれることができる。
【０５８１】
Ｐｒｏｐｏｓａｌ  ５乃至７で説明した特定のパターンを通じて特定のＳＢを省略し、ＣＳＩを報告する場合、基地局は報告されていないＳＢを推定することができる。Ｐｒｏｐｏｓａｌ  ５乃至７で説明したパターンを使用する場合、ＳＢのＣＱＩは以下の２種類の方法により計算及び報告できる。
【０５８２】
第１に、報告されるＰＭＩに対応するＣＱＩのみ報告することができる。
【０５８３】
第２に、全てのＣＱＩに対するＣＱＩを報告し、この際、報告されていないＳＢのＣＱＩは報告されるＳＢのうち、インデックス差が最も少ないインデックスに対応するＳＢのＰＭＩを用いて計算できる。
【０５８４】
または、省略されたＳＢのインデックスより小さい、かつ報告されるＳＢのインデックスのうち、最も大きい（即ち、最も近い）インデックスに対応するＳＢのＰＭＩを通じて報告されないＳＢのＣＱＩが計算できる。
【０５８５】
または、省略されたＳＢのインデックスより大きい、かつ報告されるＳＢのインデックスのうち、最も小さい（即ち、最も近い）インデックスに対応するＳＢのＰＭＩを通じて報告されないＳＢのＣＱＩが計算できる。
【０５８６】
または、Ｐｒｏｐｏｓａｌ  １のようなＷＢ  ＰＭＩが報告される場合、省略されるＳＢのＣＱＩはＷＢ  ＰＭＩにより計算できる。
【０５８７】
Ｐｒｏｐｏｓａｌ  ５乃至７で説明した全てのパターンまたはサブセットのうち、どんなパターンを使用するか否かは基地局により設定されるか、または端末が基地局に追加で報告することができる。
【０５８８】
基地局により特定のパターンが設定される場合、基地局は以下の表１０のようにＣＳＩ  ｒｅｑｕｅｓｔ  ｆｉｅｌｄに他の情報とジョイントエンコーディングされて端末にダイナミックに知らせることができる。
【０５８９】
【表１０】
2020517158.tif 000061
【０５９０】
表１０は２ｂｉｔのＤＣＩフィールド内に‘０１’と‘１１’のｓｔａｔｅが設定されたパターンを示す。即ち、ＣＳＩ  ｒｅｑｕｅｓｔ  ｆｉｅｌｄの特定の値によりＯＲ値が指示されることができ、これに基づいてＣＳＩ報告のための特定のパターンが設定できる。
【０５９１】
このような値は一例に過ぎず、ＣＳＩ  ｒｅｑｕｅｓｔ  ｆｉｅｌｄによりＰｒｏｐｏｓａｌ  ５乃至７で説明したパターンが設定されるか、またはＰｒｏｐｏｓａｌ  ５乃至７で説明したパターンを設定するために特定パラメータ値または指示子が使われることができる。
【０５９２】
この場合、ダイナミックにペイロード、即ち、アップリンクトラフィックを考慮した基地局のリソース割り当てが可能になる効果がある。
【０５９３】
＜Ｐｒｏｐｏｓａｌ  ８＞
【０５９４】
ＳＢが省略されるパターンは報告されるＳＢ  ＣＱＩに従って以下のような方法により決定できる。
【０５９５】
第１に、予め基地局が端末に指示した特定のしきい値（例えば、ＳＢ  ＣＱＩしきい値）以下の値に対応するＳＢのパート２  ＣＳＩは省略することができる。
【０５９６】
第２に、予め基地局が端末に報告するＳＢの個数Ｗを指示することができる。この場合、端末は各ＳＢ別にＣＱＩ及びＰＭＩを計算し、このうち、一定個数（例えば、ｂｅｓｔ  Ｗ個）に対応するＳＢに対してのみパート２  ＣＳＩを報告することができる。
【０５９７】
または、第１及び第２の方法の組合せによりＳＢが省略されるパターンが決定できる。
【０５９８】
＜Ｐｒｏｐｏｓａｌ  ９＞
【０５９９】
ドロップまたは省略されるＳＢに対応するＳＢ  ＰＭＩは報告されるＳＢ  ＰＭＩに基づいて復元されることができ、このために端末は追加の情報（例えば、ｉｎｔｅｒｐｏｌａｔｉｏｎまたはｅｘｔｒａｐｏｌａｔｉｏｎを遂行する時に用いられるｃｏｅｆｆｉｃｉｅｎｔ）などを基地局に報告することができる。
【０６００】
例えば、図１５に図示されたＣｏｍｂ  ２、ｏｆｆｓｅｔ＝０のパターンを用いる場合、ｏｄｄ  ＳＢは互いに隣接した複数のｅｖｅｎ  ＳＢのｉｎｔｅｒｐｏｌａｔｉｏｎなどにより復元できる。
【０６０１】
例えば、ＳＢ＿（２ｉ＋１）ｗｈｅｒｅ  ｉ＝０、１、２、．．．のＳＢ  ＰＭＩの場合、
2020517158.tif 000062
と表記すれば、これは
2020517158.tif 000063
に復元できる。
【０６０２】
この場合、ｗｅｉｇｈｔｉｎｇ  ｃｏｅｆｆｉｃｉｅｎｔ（ｓ）
2020517158.tif 000064
は、特定の値
2020517158.tif 000065
に予め約束するか、または端末がこれを基地局に追加で報告することができる。
【０６０３】
＜Ｐｒｏｐｏｓａｌ  １０＞
【０６０４】
ドロップまたは省略されるＳＢに対応するＳＢ  ＰＭＩのために追加でＷＢ  ＰＭＩを報告し、ドロップまたは省略されるＳＢのＰＭＩはＷＢ  ＰＭＩに代替するか、またはＷＢ  ＰＭＩを用いて補正されたＳＢ  ＰＭＩが使われることができる。
【０６０５】
Ｐｒｏｐｏｓａｌ  １０で、パート１  ＣＳＩで報告されるＳＢ  ＣＱＩはドロップされるＳＢが報告されることを仮定して計算されたＳＢ  ＰＭＩを使用したＣＱＩ値が使われることができる。
【０６０６】
または、ドロップされたＳＢをＷＢ  ＣＱＩに代替するか、またはＳＢ  ＣＱＩもｄｒｏｐできる。
【０６０７】
追加でＷＢ  ＰＭＩを用いてＳＢ  ＰＭＩを推定する方法は、Ｐｒｏｐｏｓａｌ  ９で説明した方法を用いて推定することができる。
【０６０８】
例えば、
2020517158.tif 000066
であり、ｓｕｂｓｃｒｉｐｔ  ＷＢはｗｉｄｅｂａｎｄ  ＰＭＩに対応する情報を示す。ここで、ｗｅｉｇｈｔｉｎｇ情報ｗは予め約束するか、または端末が基地局に追加で報告することができ、基地局はこのような情報を用いてドロップされたＳＢのＰＭＩを推定または補正してデータの転送に使用することができる。
【０６０９】
Ｐｒｏｐｏｓａｌ  １乃至１０で説明した方法の全部または一部の組合せによりＣＳＩの一部を省略するための規則が新しく定義できる。
【０６１０】
＜Ｐｒｏｐｏｓａｌ  １１＞
【０６１１】
ＣＳＩ報告のために基地局により割り当てられたリソースのサイズが端末により報告されるＣＳＩのペイロードのサイズより小さい場合、端末はＣＳＩの一部または全部を省略せず、ＣＳＩのためのＳＢのサイズを調節することができる。
【０６１２】
具体的に、端末がＳＢ  ｒｅｐｏｒｔｉｎｇに設定され、ＵＣＩのために割り当てられたリソースに対応するペイロードサイズより端末が報告すべきＣＳＩに対応するペイロードのサイズがより大きい場合、端末は特定のＳＢに対応するＣＳＩの全部または一部を省略せず、ＳＢのサイズを調節してＣＳＩを報告することができる。
【０６１３】
Ｐｒｏｐｏｓａｌ  １１の場合、設定を受けたＳＢのサイズ（例えば、１ＳＢ＝６ＲＢ）をＵＣＩのために割り当てられたリソースに対応するペイロードのサイズによって調節することができる。
【０６１４】
例えば、１ＳＢが６ＲＢに設定された場合、これを１２ＲＢに設定して転送することができる。
【０６１５】
具体的に、
2020517158.tif 000067
を設定を受けたＲＢの個数と定義し、
2020517158.tif 000068
を１つのＳＢを構成するＲＢの個数とすれば、ＳＢの個数Ｙは以下の数式１０の通りである。
【０６１６】
【数１０】
2020517158.tif 000069
【０６１７】
この場合、Ｙは特定の要素（以下、Ｒｅｓｉｚｅ  ｆａｃｔｏｒ）によりサイズが変更できる。
【０６１８】
例えば、Ｙのサイズはｒｅｓｉｚｅ  ｆａｃｔｏｒ  ａ（例えば、ａ＝１、２、３、４、、）により以下の数式１１の通り変更できる。
【０６１９】
【数１１】
2020517158.tif 000070
【０６２０】
端末は、変更されたＹの値によってＣＳＩを転送することができる。
【０６２１】
Ｒｅｓｉｚｅ  ｆａｃｔｏｒを使用せず、明示的にサイズが調節されたＳＢを構成するＲＢの個数を知らせる場合、ＰＲＧサイズを考慮して、ＰＲＧサイズの定数倍になるようにＲＢの個数を調節することが好ましい。
【０６２２】
端末の場合、変更されたＳＢの個数に基づいてパート１とパート２  ＣＳＩを計算して基地局に報告することができる。
【０６２３】
ＳＢの個数Ｙが変更されたということは、端末が基地局に追加のｆｅｅｄｂａｃｋ（例えば、ａ、調節されたＳＢのサイズ及び／又はＳＢのサイズが変更されたということを示す変更指示子など）を通じて知らせることができる。
【０６２４】
このようなｆｅｅｄｂａｃｋの場合、パート１及びパート２  ＣＳＩより高い優先順位を有することができる。
【０６２５】
または、ａの値または調節されたＳＢのサイズは基地局と端末との間に予め約束されるか、または基地局が上位層ｓｉｇｎａｌｉｎｇなどを通じて端末に知らせることができる。
【０６２６】
Ｐｒｏｐｏｓａｌ  １１の場合、特定ｒａｎｋ（例えば、ｒａｎｋ＝２）に限定して適用できる。
【０６２７】
Ｐｒｏｐｏｓａｌ  １１の場合、固定された値に特定のＳＢのサイズが設定できる。
【０６２８】
例えば、５０ＲＢに対して８個のＳＢサイズが固定された値に設定されることができ、調節された値または更に他の値（例えば、４）は基地局が端末に上位層ｓｉｇｎａｌｉｎｇなどを通じて知らせることができる。
【０６２９】
または、設定されるＣＳＩのタイプによってＳＢのサイズが設定できる。
【０６３０】
例えば、タイプＩのＣＳＩは８に、タイプＩＩのＣＳＩは４に設定されるように端末と基地局との間に約束できる。
【０６３１】
即ち、支援するＳＢのサイズが２つである場合、大きい値は常にタイプＩ、Ｓｉｎｇｌｅ  ＣＣ、ｓｉｎｇｌｅ  ｌｉｎｋ、及び／又はｓｉｎｇｌｅ  ＢＷＰ報告に使われて、ＳＢサイズの小さい値は常にタイプＩＩに使われることができる。
【０６３２】
＜Ｐｒｏｐｏｓａｌ  １１−１＞
【０６３３】
端末がＳＢ  ｒｅｐｏｒｔｉｎｇに設定され、ＵＣＩのために割り当てられたリソースに対するペイロードサイズより端末が報告すべきＣＳＩに対応するペイロードのサイズがより大きい場合、端末は特定方式によるＳＢグルーピングで構成されるＳＢ  ｇｒｏｕｐ−ｗｉｓｅ  ＣＳＩを報告することができる。
【０６３４】
例えば、１０個のＳＢが設定されても、ＣＳＩ報告はグループの代表ＳＢに対応するＣＳＩを報告することができる。
【０６３５】
即ち、２つのＳＢが縛られて１つのグループをなす｛ＳＢ０、ＳＢ１｝、｛ＳＢ２、ＳＢ３｝．．．、｛ＳＢ８、ＳＢ９｝となる場合、ｅｖｅｎ  ｎｕｍｂｅｒ（あるいは、ｏｄｄ  ｎｕｍｂｅｒ）に対応するＳＢがｇｒｏｕｐの代表ＳＢに設定できる。
【０６３６】
端末は、代表ＳＢに設定されたＳＢに対応するＰＭＩを基地局に報告することができる。
【０６３７】
ＳＢのＣＱＩはＰＭＩを基準に計算されて全てのＳＢ  ＣＱＩがｒｅｐｏｒｔｉｎｇされるか、または代表ＳＢに相当するＣＱＩのみ報告できる。
【０６３８】
全てのＳＢ  ＣＱＩが報告される場合、グループ内の代表ＳＢを除外したＳＢは代表ＳＢのＰＭＩを基準にＳＢ  ＣＱＩが計算できる。
【０６３９】
ｇｒｏｕｐ代表ＳＢは予め端末と基地局との間に設定されるか、または基地局により設定できる。
【０６４０】
または、端末がｂｅｓｔ  ＣＱＩなどを基準にｇｒｏｕｐの代表ＳＢを設定することができ、端末は基地局にこの情報を追加で報告することができる。このような情報はペイロードに影響を及ぼさないので、パート２  ＣＳＩに含まれて報告できる。
【０６４１】
図２１及び図２２は、本明細書で提案する優先順位によってＣＳＩを省略するための方法の一例を示す図である。
【０６４２】
図２１及び図２２を参照すると、パート１及びパート２のＷＢ及びＳＢは優先順位が設定されることができ、ＵＣＩのために基地局により割り当てられたリソース（または、符号化率）が端末により報告されるＣＳＩのサイズ（または、符号化率）より小さい場合、設定された優先順位によってＳＢ及び／又はＷＢが省略できる。
【０６４３】
以下、優先順位によってＣＳＩ報告のための省略方法に対して具体的に説明する。
【０６４４】
＜Ｐｒｏｐｏｓａｌ  １２＞
【０６４５】
キャリアアグリゲーション（Ｃａｒｒｉｅｒ  ａｇｇｒｅｇａｔｉｏｎ）により、全体のＣＳＩペイロードがｃｏｎｔａｉｎｅｒサイズを超過する場合、ｃｃインデックスが高い順にＰｒｏｐｏｓａｌ  １乃至１１で説明した方法によりパート２  ＣＳＩのＳＢが省略できる。
【０６４６】
ＣＣ  ｉｎｄｅｘ  ０がＰ−ｃｅｌｌを指示すれば、Ｐ−ｃｅｌｌに該当するＣＳＩは常にｆｕｌｌ  ＣＳＩが転送されることを最も高い優先順位に設定することができる。
【０６４７】
仮に、Ｐ−ｃｅｌｌに対するｆｕｌｌ  ＣＳＩもｃｏｎｔａｉｎｅｒが含んで転送できない場合、Ｐｒｏｐｏｓａｌ  １乃至１１で説明した省略方法に従ってＣＳＩの一部または全部が省略できる。
【０６４８】
Ｐ−ｃｅｌｌのｆｕｌｌ  ＣＳＩが転送可能であるが、全てのＣＣに対するＦｕｌｌ  ＣＳＩが報告できない場合、ｃｃ  ｉｎｄｅｘが高い順に、パート２  ＣＳＩ→パート１  ＣＳＩがｄｒｏｐできる。
【０６４９】
この際、パート２  ＣＳＩはＰｒｏｐｏｓａｌ  １乃至１１で説明した省略方法により省略できる。
【０６５０】
例えば、ＣＣが５個である場合、省略される順序はＣＣ  ｉｎｄｅｘ  ４のパート  ２  ＣＳＩ→ＣＣ  ｉｎｄｅｘ  ４のパート１  ＣＳＩ  ＣＣ  ｉｎｄｅｘ  ３のパート２  ＣＳＩ→ＣＣ  ｉｎｄｅｘ  ３のパート１  ＣＳＩ．．．になることができる。
【０６５１】
更に他の方式に、各ＣＣに対してパート１  ＣＳＩに含まれたＲＩあるいはＣＱＩ情報が必要な場合、ＣＳＩの省略のための方法（以下、ｄｒｏｐｐｉｎｇ  Ｒｕｌｅ）は、ＣＣ  ｉｎｄｅｘ  ４のパート２  ＣＳＩ→ＣＣ  ｉｎｄｅｘ  ３のパート２  ＣＳＩ→ＣＣ  ｉｎｄｅｘ  ２のパート２  ＣＳＩ．．．．→ＣＣ  ｉｎｄｅｘ  ４のパート１  ＣＳＩ．．．の順にＣＳＩが省略できる。
【０６５２】
このような場合にもＣＣ  ｉｎｄｅｘ  ０は常にｆｕｌｌ  ＣＳＩが転送されなければならない。
【０６５３】
特定のｏｍｉｓｓｉｏｎ  ｐａｔｔｅｒｎに固定される場合、例えばｃｏｍｂ−２を使用する場合、特定のｏｆｆｓｅｔ（０  ｏｒ  １）を先に省略することができ、これは以下のように示すことができる。
【０６５４】
仮に、同一ｓｌｏｔ内に報告すべきＣＣがＮ（０〜Ｎ−１）個存在すれば、ＣＣ  ｉｎｄｅｘ（Ｎ−１）のパート２  ＣＳＩ  ｗｉｔｈ  ｏｆｆｓｅｔ１（ｉ．ｅ．，ｏｄｄ  ｃｏｍｂ）→ＣＣ  ｉｎｄｅｘ（Ｎ−２）のパート２  ＣＳＩ  ｗｉｔｈ  ｏｆｆｓｅｔ  １（ｉ．ｅ．，ｏｄｄ  ｃｏｍｂ）．．．→ＣＣ  ｉｎｄｅｘ  ０のパート２  ＣＳＩ  ｗｉｔｈ  ｏｆｆｓｅｔ  １（ｉ．ｅ．，ｏｄｄ  ｃｏｍｂ）→ＣＣ  ｉｎｄｅｘ（Ｎ−１）のパート２  ＣＳＩ  ｗｉｔｈ  ｏｆｆｓｅｔ  ０（ｉ．ｅ．，ｅｖｅｎ  ｃｏｍｂ）．．．．ＣＣ  ｉｎｄｅｘ  ０のパート２  ＣＳＩ  ｗｉｔｈ  ｏｆｆｓｅｔ  ０（ｉ．ｅ．，ｅｖｅｎ  ｃｏｍｂ）の順にＣＳＩが省略できる。
【０６５５】
この場合、パート１  ＣＳＩは常に報告できる。仮にｃｏｍｂのｌｅｎｇｔｈが増加するようになれば、特定の順序でＣＳＩが省略（例えば、ｏｆｆｓｅｔが大きい順から低い順序に）される方法により拡張適用できる。
【０６５６】
パート２  ＣＳＩはＷＢ  ＣＳＩとＳＢ  ＣＳＩに分けることができ、ＷＢ  ＣＳＩはＳＢ  ＣＳＩより高い優先順位を有し、優先順位によってＷＢ  ＣＳＩは最も後で省略できる。
【０６５７】
例えば、ｏｆｆｓｅｔ  ０を除外した他のｏｆｆｓｅｔに該当するＣＳＩが省略される場合、省略されるＣＳＩはＳＢ  ＣＳＩでありうる。
【０６５８】
この場合、ｏｆｆｓｅｔ  ０に該当するＳＢのＣＳＩはＷＢ  ＣＳＩ＋ＳＢ  ＣＳＩに設定されるか、またはＷＢ  ＣＳＩ及び／又はパート１  ＣＳＩに対する優先順位を最も高く設定することができる。
【０６５９】
＜Ｐｒｏｐｏｓａｌ  １３＞
【０６６０】
端末が複数のＢＷＰ（ｂａｎｄｗｉｄｔｈパート）の設定を受けた場合、全体のＣＳＩペイロードがｃｏｎｔａｉｎｅｒサイズを超過すれば、ＢＷＰインデックスが高い順（または、低い順）にＰｒｏｐｏｓａｌ  １乃至１１で説明したｄｒｏｐｐｉｎｇ  ｒｕｌｅが適用できる。
【０６６１】
端末が複数のＢＷＰの設定を受けて、設定を受けた全体のＢＷＰに対応する全体のＣＳＩを全て報告できない場合、ＢＷＰインデックスが高い順（または、低い順）にＣＳＩが省略できる。
【０６６２】
例えば、ＢＷＰ  ３（ＢＷＰ０、ＢＷＰ１、ＢＷＰ２）個が端末に設定され、ｉｎｄｅｘの高い順に省略される場合、省略されるＣＳＩの例は以下の通りである。
【０６６３】
ＢＷＰ２のパート２  ＣＳＩ→ＢＷＰ２のパート１  ＣＳＩ→ＢＷＰ１のパート２  ＣＳＩ→ＢＷＰ１のパート１  ＣＳＩ．．．の順に省略できる。
【０６６４】
本発明の更に他の実施形態で、各ＢＷＰに対してパート１  ＣＳＩに含まれたＲＩあるいはＣＱＩ情報が必要な場合、ｄｒｏｐｐｉｎｇ  ｒｕｌｅはＢＷＰ２のパート２  ＣＳＩ→ＢＷＰ１のパート２  ＣＳＩ→ＢＷＰ０  ２のパート２  ＣＳＩ→ＢＷＰ２のパート１  ＣＳＩ．．．の順にＣＳＩが省略できる。
【０６６５】
このような方法で、特定のＢＷＰに対する重要度がより高まる場合（基地局によりｃｏｎｆｉｇｕｒｅされる場合、例えば、ＢＷＰ０）、ＢＷＰ０はｆｕｌｌ  ＣＳＩが転送され、残りのＢＷＰはＰｒｏｐｏｓａｌ  １乃至１１で定義されたｄｒｏｐｐｉｎｇ  ｒｕｌｅが適用できる。
【０６６６】
省略されるＣＳＩが特定のｏｍｉｓｓｉｏｎ  ｐａｔｔｅｒｎに固定される場合、例えば、図１５に図示されたｃｏｍｂ−２のパターンが使われる場合、特定のｏｆｆｓｅｔ値（例えば、０または１）を先に省略することができ、これは以下の通りである。
【０６６７】
即ち、同一ｓｌｏｔ内に報告されるべきＢＷＰがＮ（０〜Ｎ−１）個存在すれば、ＢＷＰ  ｉｎｄｅｘ（Ｎ−１）のパート２  ＣＳＩ  ｗｉｔｈ  ｏｆｆｓｅｔ  １（ｉ．ｅ．，ｏｄｄ  ｃｏｍｂ）→ＢＷＰ  ｉｎｄｅｘ（Ｎ−２）のパート２  ＣＳＩ  ｗｉｔｈ  ｏｆｆｓｅｔ  １（ｉ．ｅ．，ｏｄｄ  ｃｏｍｂ）．．．→ＢＷＰ  ｉｎｄｅｘ  ０のパート２  ＣＳＩ  ｗｉｔｈ  ｏｆｆｓｅｔ  １（ｉ．ｅ．，ｏｄｄ  ｃｏｍｂ）→ＢＷＰ  ｉｎｄｅｘ（Ｎ−１）のパート２  ＣＳＩ  ｗｉｔｈ  ｏｆｆｓｅｔ  ０（ｉ．ｅ．，ｅｖｅｎ  ｃｏｍｂ）．．．．ＢＷＰ  ｉｎｄｅｘ  ０のパート２  ＣＳＩ  ｗｉｔｈ  ｏｆｆｓｅｔ  ０（ｉ．ｅ．，ｅｖｅｎ  ｃｏｍｂ）の順にＣＳＩが省略できる。
【０６６８】
このような方法でパート１  ＣＳＩは常に報告されることが仮定できる。
【０６６９】
仮に、ｃｏｍｂのｌｅｎｇｔｈが増加するようになれば、特定の順にＣＳＩの省略が設定（例えば、ｏｆｆｓｅｔ値が大きい順から低い順に）されて拡張適用できる。
【０６７０】
パート２  ＣＳＩはＷＢ  ＣＳＩとＳＢ  ＣＳＩに分けることができ、ＷＢ  ＣＳＩはＳＢ  ＣＳＩより高い優先順位を有することができ、このために、ＷＢ  ＣＳＩは最も後で省略されることに設定できる。
【０６７１】
例えば、ｏｆｆｓｅｔ値が０を除外した他のｏｆｆｓｅｔに該当するＣＳＩが省略される場合のＣＳＩはＳＢ  ＣＳＩであり、ｏｆｆｓｅｔ  ０に該当するＳＢのＣＳＩはＷＢ  ＣＳＩ＋ＳＢ  ＣＳＩに設定されるか、またはＷＢ  ＣＳＩに対する優先順位が最も高く設定できる。
【０６７２】
図２１及び図２２に図示したパート１及びパート２  ＣＳＩの優先順位は、ＣＣ  ｉｎｄｅｘをＢＷＰ  ｉｎｄｅｘに変更して適用できる。
【０６７３】
＜Ｐｒｏｐｏｓａｌ  １４＞
【０６７４】
ＣｏＭＰなどの環境により多重ＣＳＩが定義される場合、全体のＣＳＩペイロードがｃｏｎｔａｉｎｅｒサイズを超過する場合、ＣＳＩプロセスインデックス（ｐｒｏｃｅｓｓ  ｉｎｄｅｘ）が高い順序に従ってＰｒｏｐｏｓａｌ  １乃至１１で説明したｄｒｏｐｐｉｎｇ  ｒｕｌｅが適用できる。
【０６７５】
Ｐｒｏｐｏｓａｌ  １１で説明した方法と類似するように、Ｆｕｌｌ  ＣＳＩが報告できない場合、ＣＳＩプロセスインデックスが高い順序通りにパート２  ＣＳＩ→パート１  ＣＳＩの順にＣＳＩが省略できる。
【０６７６】
この場合、パート２  ＣＳＩはｐｒｏｐｏｓａｌ  １乃至１１で説明したｄｒｏｐｐｉｎｇ  ｒｕｌｅに従ってパート２のＳＢが省略できる。
【０６７７】
例えば、ＣＳＩプロセスが３個の場合、ｄｒｏｐｐｉｎｇ  ｒｕｌｅに従う省略順序はＣＳＩプロセスインデックス２のパート２  ＣＳＩ→ＣＳＩプロセスインデックス２のパート１  ＣＳＩ→ＣＳＩプロセスインデックス１のパート２  ＣＳＩ→ＣＳＩプロセスインデックス２のパート１  ＣＳＩの順にＣＳＩが省略できる。
【０６７８】
本発明の更に他の実施形態に、各ＣＳＩプロセスに対してパート１  ＣＳＩに含まれたＲＩまたはＣＱＩ情報が必要な場合、ｄｒｏｐｐｉｎｇ  ｒｕｌｅはＣＳＩプロセスインデックス３のパート２  ＣＳＩ→ＣＳＩプロセスインデックス３のパート２  ＣＳＩ→ＣＳＩプロセスインデックス０のパート２  ＣＳＩ→ＣＳＩプロセスインデックス２のパート１  ＣＳＩ．．．順にＣＳＩが省略できる。
【０６７９】
このような方法はＮＲのようにＣＳＩプロセスという概念がないシステムに適用する場合、以下のように適用できる。
【０６８０】
例えば、１つのＣＳＩ報告設定が複数のチャネル測定用ＣＳＩ−ＲＳリソース設定と接続された場合、リソース設定ＩＤまたはｌｉｎｋ  ＩＤによってｐｒｉｏｒｉｔｙを設定して前述したｄｒｏｐｐｉｎｇ  ｒｕｌｅが適用できる。
【０６８１】
ここで、ｐｒｉｏｒｉｔｙは予めｐｒｉｏｒｉｔｙを指示する指示子を通じて設定されるか、または最も低いＩＤの高いｐｒｉｏｒｉｔｙを有することに予め設定できる。
【０６８２】
または、リソース設定またはｌｉｎｋにｐｒｉｏｒｉｔｙに対する指示子が別途に設定できる。
【０６８３】
本発明の更に他の一例で、複数のＣＳＩ報告設定を同時にトリガーする場合、報告設定ＩＤによって優先順位を設定するか（例えば、ｌｏｗｅｓｔ  ＩＤ  ｉｎｄｅｘ）、または報告設定に別途のｐｒｉｏｒｉｔｙ指示子が設定できる。
【０６８４】
本発明の更に他の一例で、前述したキャリアアグリゲーションでのＰｃｅｌｌと類似するように、重要度が高くて必ずｆｕｌｌ  ＣＳＩを報告すべきｌｉｎｋ／ＣＳＩプロセスが存在する場合（これに対する情報は予め特定のｌｉｎｋ／ＣＳＩプロセスＩＤで約束されるか、または上位層を通じて設定できる。）、これは他のｌｉｎｋに比べて高いｐｒｉｏｒｉｔｙを有し、特定のｌｉｎｋ／ＣＳＩプロセスを除外したｌｉｎｋ／ＣＳＩプロセスに対するＣＳＩの省略が先に遂行できる。
【０６８５】
本発明の更に他の実施形態で、省略されるＣＳＩが図１５乃至図２０で説明した特定のｏｍｉｓｓｉｏｎ  ｐａｔｔｅｒｎに固定される場合、例えば図１５に図示したｃｏｍｂ−２を使用する場合、特定のｏｆｆｓｅｔ値（例えば、０  ｏｒ  １）を先に省略することができ、これは以下の通りである。
【０６８６】
即ち、同一ｓｌｏｔ内に報告されるべきｌｉｎｋ／ＣＳＩプロセスがＮ（０〜Ｎ−１）個存在すれば、ｌｉｎｋ／ＣＳＩプロセスインデックス（Ｎ−１）のパート２  ＣＳＩ  ｗｉｔｈ  ｏｆｆｓｅｔ  １（ｉ．ｅ．，ｏｄｄ  ｃｏｍｂ）→ｌｉｎｋ／ＣＳＩプロセスインデックス（Ｎ−２）のパート２  ＣＳＩ  ｗｉｔｈ  ｏｆｆｓｅｔ  １（ｉ．ｅ．，ｏｄｄ  ｃｏｍｂ）．．．→ｌｉｎｋ／ＣＳＩプロセスインデックス０のパート２  ＣＳＩ  ｗｉｔｈ  ｏｆｆｓｅｔ  １（ｉ．ｅ．，ｏｄｄ  ｃｏｍｂ）→ｌｉｎｋ／ＣＳＩプロセスインデックス（Ｎ−１）のパート２  ＣＳＩ  ｗｉｔｈ  ｏｆｆｓｅｔ  ０（ｉ．ｅ．，ｅｖｅｎ  ｃｏｍｂ）．．．．→ｌｉｎｋ／ＣＳＩプロセスインデックス０のパート２  ＣＳＩ  ｗｉｔｈ  ｏｆｆｓｅｔ  ０（ｉ．ｅ．，ｅｖｅｎ  ｃｏｍｂ）の順にＣＳＩが省略できる。
【０６８７】
この際、パート１  ＣＳＩは常に報告できる。仮にｃｏｍｂのｌｅｎｇｔｈが増加するようになれば、特定の順序に従うＣＳＩの省略が設定されて（例えば、ｏｆｆｓｅｔ値が大きい順から低い順に）拡張適用できる。
【０６８８】
パート２  ＣＳＩはＷＢ  ＣＳＩとＳＢ  ＣＳＩに分けることができ、ＷＢ  ＣＳＩはＳＢ  ＣＳＩより高いｐｒｉｏｒｉｔｙを有することができる。
【０６８９】
このために、ＷＢ  ＣＳＩは最も後で省略されることに設定できる。例えば、ｏｆｆｓｅｔ値０を除外した他のｏｆｆｓｅｔ値に該当するＣＳＩが省略される場合のＣＳＩはＳＢ  ＣＳＩであり、ｏｆｆｓｅｔ値０に該当するＳＢのＣＳＩはＷＢ  ＣＳＩ＋ＳＢ  ＣＳＩに設定されるか、またはＷＢ  ＣＳＩに対するｐｒｉｏｒｉｔｙが最も高く設定できる。
【０６９０】
図２１及び図２２に図示したパート１及びパート２  ＣＳＩの優先順位はＣＣ  ｉｎｄｅｘをｌｉｎｋ／ＣＳＩプロセスインデックスに置換して適用できる。
【０６９１】
Ｃｃ  ｉｎｄｅｘはＢＷＰ  ｉｎｄｅｘより高いｐｒｉｏｒｉｔｙを有することができ、ＢＷＰ  ｉｎｄｅｘはｌｉｎｋ／ＣＳＩ  ｐｒｏｃｅｓｓより高いｐｒｉｏｒｉｔｙを有することができる。
【０６９２】
このようなｐｒｉｏｒｉｔｙは基地局が上位層ｓｉｇｎａｎｇｌｉｎｇを通じて端末に知らせることができる。
【０６９３】
本発明が適用できる装置一般
【０６９４】
図２３は、本明細書で提案する方法が適用できる無線通信装置のブロック構成図を例示する。
【０６９５】
図２３を参照すると、無線通信システムは基地局２３１０と基地局２３１０の領域内に位置した多数の端末２３２０を含む。
【０６９６】
前記基地局と端末は各々無線装置で表現されることもできる。
【０６９７】
基地局２３１０は、プロセッサ（ｐｒｏｃｅｓｓｏｒ）２３１１、メモリ（ｍｅｍｏｒｙ）２３１２、及びＲＦモジュール（ｒａｄｉｏ  ｆｒｅｑｕｅｎｃｙ  ｍｏｄｕｌｅ）２３１３を含む。プロセッサ２３１１は先の図１乃至図２２で提案された機能、過程、及び／又は方法を具現化する。無線インターフェースプロトコルの階層はプロセッサにより具現化できる。メモリ２３１２はプロセッサと接続されて、プロセッサを駆動するための多様な情報を格納する。ＲＦモジュール２３１３はプロセッサと接続されて、無線信号を送信及び／又は受信する。
【０６９８】
端末２３２０は、プロセッサ２３２１、メモリ２３２２、及びＲＦモジュール２３２３を含む。
【０６９９】
プロセッサ２３２１は先の図１乃至図２２で提案された機能、過程、及び／又は方法を具現化する。無線インターフェースプロトコルの階層はプロセッサにより具現化できる。メモリ２３２２はプロセッサと接続されて、プロセッサを駆動するための多様な情報を格納する。ＲＦモジュール２３２３はプロセッサと接続されて、無線信号を送信及び／又は受信する。
【０７００】
メモリ２３１２、２３２２はプロセッサ２３１１、２３２１の内部または外部にいることができ、よく知られた多様な手段によりプロセッサ２３１１、２３２１と接続できる。
【０７０１】
また、基地局２３１０及び／又は端末２３２０は１つのアンテナ（ｓｉｎｇｌｅ  ａｎｔｅｎｎａ）または多重アンテナ（ｍｕｌｔｉｐｌｅ  ａｎｔｅｎｎａ）を有することができる。
【０７０２】
図２４は、本発明の一実施形態に従う通信装置のブロック構成図を例示する。
【０７０３】
特に、図２４では先の図２３の端末をより詳細に例示する図である。
【０７０４】
図２４を参照すると、端末は、プロセッサ（または、デジタル信号プロセッサ（ＤＳＰ：ｄｉｇｉｔａｌ  ｓｉｇｎａｌ  ｐｒｏｃｅｓｓｏｒ）２４１０、ＲＦモジュール（ＲＦ  ｍｏｄｕｌｅ）（または、ＲＦユニット）２４３５、パワー管理モジュール（ｐｏｗｅｒ  ｍａｎａｇｅｍｅｎｔ  ｍｏｄｕｌｅ）２４０５、アンテナ（ａｎｔｅｎｎａ）２４４０、バッテリー（ｂａｔｔｅｒｙ）２４５５、ディスプレイ（ｄｉｓｐｌａｙ）２４１５、キーパッド（ｋｅｙｐａｄ）２４２０、メモリ（ｍｅｍｏｒｙ）２４３０、ＳＩＭカード（ＳＩＭ（Ｓｕｂｓｃｒｉｂｅｒ  Ｉｄｅｎｔｉｆｉｃａｔｉｏｎ  Ｍｏｄｕｌｅ）ｃａｒｄ）２４２５（この構成は選択的である）、スピーカー（ｓｐｅａｋｅｒ）２４４５、及びマイクロフォン（ｍｉｃｒｏｐｈｏｎｅ）２４５０を含んで構成できる。また、端末は単一のアンテナまたは複数のアンテナを含むことができる。
【０７０５】
プロセッサ２４１０は先の図１乃至図２３で提案された機能、過程、及び／又は方法を具現化する。無線インターフェースプロトコルの階層はプロセッサにより具現化できる。
【０７０６】
メモリ２４３０はプロセッサと接続され、プロセッサの動作と関連した情報を格納する。メモリ２４３０は、プロセッサの内部または外部にいることができ、よく知られた多様な手段によりプロセッサと接続できる。
【０７０７】
ユーザは、例えば、キーパッド２４２０のボタンを押すか（あるいは、タッチするか）、またはマイクロフォン２４５０を用いた音声駆動（ｖｏｉｃｅ  ａｃｔｉｖａｔｉｏｎ）により電話番号などの命令情報を入力する。プロセッサは、このような命令情報を受信し、電話番号で電話をかけるなど、適切な機能を遂行するように処理する。駆動上のデータ（ｏｐｅｒａｔｉｏｎａｌ  ｄａｔａ）はＳＩＭカード２４２５またはメモリ２４３０から抽出することができる。また、プロセッサはユーザが認知し、また便宜のために命令情報または駆動情報をディスプレイ２４１５上にディスプレイすることができる。
【０７０８】
ＲＦモジュール２４３５はプロセッサに接続されて、ＲＦ信号を送信及び／又は受信する。プロセッサは通信を開始するために、例えば、音声通信データを構成する無線信号を転送するように命令情報をＲＦモジュールに伝達する。ＲＦモジュールは、無線信号を受信及び送信するために受信機（ｒｅｃｅｉｖｅｒ）及び送信機（ｔｒａｎｓｍｉｔｔｅｒ）で構成される。アンテナ２４４０は、無線信号を送信及び受信する機能をする。無線信号を受信する時、ＲＦモジュールはプロセッサにより処理するために信号を伝達し、基底帯域に信号を変換することができる。処理された信号はスピーカー２４４５を介して出力される可聴または可読情報に変換できる。
【０７０９】
図２５は、本明細書で提案する方法が適用できる無線通信装置のＲＦモジュールの一例を示した図である。
【０７１０】
具体的に、図２５はＦＤＤ（Ｆｒｅｑｕｅｎｃｙ  Ｄｉｖｉｓｉｏｎ  Ｄｕｐｌｅｘ）システムで具現化できるＲＦモジュールの一例を示す。
【０７１１】
まず、転送経路で、図２４及び図２５で記述したプロセッサは転送されるデータをプロセシングしてアナログ出力信号を送信機２５１０に提供する。
【０７１２】
送信機２５１０内で、アナログ出力信号はデジタル−アナログ変換（ＡＤＣ）により引き起こされるイメージを除去するために低域通過フィルタ（Ｌｏｗ  Ｐａｓｓ  Ｆｉｌｔｅｒ、ＬＰＦ）２５１１によりフィルタリングされ、アップコンバータ（Ｍｉｘｅｒ）２５１２により基底帯域からＲＦにアップコンバートされ、可変利得増幅器（Ｖａｒｉａｂｌｅ  Ｇａｉｎ  Ａｍｐｌｉｆｉｅｒ、ＶＧＡ）２５１３により増幅され、増幅された信号はフィルタ２５１４によりフィルタリングされ、電力増幅器（Ｐｏｗｅｒ  Ａｍｐｌｉｆｉｅｒ、ＰＡ）２５１５により追加で増幅され、デュプレクサ２５５０／アンテナスイッチ２５６０を介してルーティングされ、アンテナ２５７０を通じて転送される。
【０７１３】
また、受信経路で、アンテナ２５７０は外部から信号を受信して、受信された信号を提供し、この信号はアンテナスイッチ２５６０／デュプレクサ２５５０を通じてルーティングされ、受信機２５２０に提供される。
【０７１４】
受信機２５２０内で、受信された信号は低雑音増幅器（Ｌｏｗ  Ｎｏｉｓｅ  Ａｍｐｌｉｆｉｅｒ、ＬＮＡ）２５２３により増幅され、帯域通過フィルタ２５２４によりフィルタリングされ、ダウンコンバータ（Ｍｉｘｅｒ）２５２５によりＲＦから基底帯域にダウンコンバートされる。
【０７１５】
前記ダウンコンバートされた信号は低域通過フィルタ（ＬＰＦ）２５２６によりフィルタリングされ、ＶＧＡ２５２７により増幅されてアナログ入力信号を獲得し、これは図２３及び図２４で記述したプロセッサに提供される。
【０７１６】
また、局部発振器（ｌｏｃａｌ  ｏｓｃｉｌｌａｔｏｒ、ＬＯ）発生器２５４０は、転送及び受信ＬＯ信号を発生及びアップコンバータ２５１２及びダウンコンバータ２５２５に各々提供する。
【０７１７】
また、位相同期ループ（Ｐｈａｓｅ  Ｌｏｃｋｅｄ  Ｌｏｏｐ、ＰＬＬ）２５３０は適切な周波数で転送及び受信ＬＯ信号を生成するためにプロセッサから制御情報を受信し、制御信号をＬＯ発生器２５４０に提供する。
【０７１８】
また、図２５に図示された回路は図２５に図示された構成と異なるように配列されることもできる。
【０７１９】
図２６は、本明細書で提案する方法が適用できる無線通信装置のＲＦモジュールの更に他の一例を示した図である。
【０７２０】
具体的に、図２６はＴＤＤ（Ｔｉｍｅ  Ｄｉｖｉｓｉｏｎ  Ｄｕｐｌｅｘ）システムで具現化できるＲＦモジュールの一例を示す。
【０７２１】
ＴＤＤシステムでのＲＦモジュールの送信機２６１０及び受信機２６２０は、ＦＤＤシステムでのＲＦモジュールの送信機及び受信機の構造と同一である。
【０７２２】
以下、ＴＤＤシステムのＲＦモジュールはＦＤＤシステムのＲＦモジュールと差が出る構造に対してのみ説明し、同一な構造に対しては図２５の説明を参照することにする。
【０７２３】
送信機の電力増幅器（Ｐｏｗｅｒ  Ａｍｐｌｉｆｉｅｒ、ＰＡ）２６１５により増幅された信号は、バンド選択スイッチ（Ｂａｎｄ  Ｓｅｌｅｃｔ  Ｓｗｉｔｃｈ）２６５０、バンドパスフィルタ（ＢＰＦ）２６６０、及びアンテナスイッチ２６７０を通じてルーティングされ、アンテナ２６８０を介して転送される。
【０７２４】
また、受信経路で、アンテナ２６８０は外部から信号を受信して、受信された信号を提供し、この信号はアンテナスイッチ２６７０、バンドパスフィルタ２６６０、及びバンド選択スイッチ２６５０を介してルーティングされ、受信機２６２０に提供される。
【０７２５】
以上で説明された実施形態は本発明の構成要素と特徴が所定の形態に結合されたものである。各構成要素または特徴は別途の明示的な言及がない限り、選択的なものとして考慮されなければならない。各構成要素または特徴は、他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と置き換えられる。特許請求の範囲で明示的な引用関係のない請求項を結合して実施形態を構成するか、または出願後の補正により新たな請求項に含めることができることは自明である。
【０７２６】
本発明に従う実施形態は、多様な手段、例えば、ハードウェア、ファームウェア（ｆｉｒｍｗａｒｅ）、ソフトウェア、またはそれらの結合などにより具現化できる。ハードウェアによる具現化の場合、本発明の一実施形態は一つまたはその以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ ）、ＤＳＰｓ（ｄｉｇｉｔａｌ  ｓｉｇｎａｌ  ｐｒｏｃｅｓｓｏｒｓ）、ＤＳＰＤｓ （ｄｉｇｉｔａｌ  ｓｉｇｎａｌ  ｐｒｏｃｅｓｓｉｎｇ  ｄｅｖｉｃｅｓ ）、ＰＬＤｓ（ｐｒｏｇｒａｍｍａｂｌｅ  ｌｏｇｉｃ  ｄｅｖｉｃｅｓ）、ＦＰＧＡｓ （ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現化できる。
【０７２７】
ファームウェアやソフトウェアによる具現化の場合、本発明の一実施形態は以上で説明された機能または動作を遂行するモジュール、手続、関数などの形態に具現化できる。ソフトウェアコードはメモリに格納されてプロセッサにより駆動できる。前記メモリは、前記プロセッサの内部または外部に位置して、既に公知の多様な手段により前記プロセッサとデータをやり取りすることができる。
【０７２８】
本発明は、本発明の必須の特徴を逸脱しない範囲で他の特定の形態に具体化できることは当業者に自明である。したがって、前述した詳細な説明は全ての面で制限的に解析されてはならず、例示的なものとして考慮されなければならない。本発明の範囲は添付した請求項の合理的な解析により決定されなければならず、本発明の等価的な範囲内での全ての変更は本発明の範囲に含まれる。
【産業上の利用可能性】
【０７２９】
本発明の無線通信システムで参照信号をマッピングする案は、３ＧＰＰ  ＬＴＥ／ＬＴＥ−Ａシステム、５Ｇシステム（Ｎｅｗ  ＲＡＴシステム）に適用される例を中心として説明したが、その他にも多様な無線通信システムに適用可能である。
【図１】
2020517158.tif 000071
【図２】
2020517158.tif 000072
【図３】
2020517158.tif 000073
【図４】
2020517158.tif 000074
【図５】
2020517158.tif 000075
【図６】
2020517158.tif 000076
【図７】
2020517158.tif 000077
【図８】
2020517158.tif 000078
【図９】
2020517158.tif 000079
【図１０】
2020517158.tif 000080
【図１１】
2020517158.tif 000081
【図１２】
2020517158.tif 000082
【図１３】
2020517158.tif 000083
【図１４】
2020517158.tif 000084
【図１５】
2020517158.tif 000085
【図１６】
2020517158.tif 000086
【図１７】
2020517158.tif 000087
【図１８】
2020517158.tif 000088
【図１９】
2020517158.tif 000089
【図２０】
2020517158.tif 000090
【図２１】
2020517158.tif 000091
【図２２】
2020517158.tif 000092
【図２３】
2020517158.tif 000093
【図２４】
2020517158.tif 000094
【図２５】
2020517158.tif 000095
【図２６】
2020517158.tif 000096
【手続補正書】
【提出日】令和1年10月7日(2019.10.7)
【手続補正１】
【補正対象書類名】明細書
【補正対象項目名】０１５６
【補正方法】変更
【補正の内容】
【０１５６】
【表４】
2020517158.tif 000097
【手続補正２】
【補正対象書類名】明細書
【補正対象項目名】０１７４
【補正方法】変更
【補正の内容】
【０１７４】
【表６】
2020517158.tif 000098
【国際調査報告】
2020517158.tif 000099
2020517158.tif 000100
2020517158.tif 000101
2020517158.tif 000102